(57)【要約】  １つ以上の空間的に相関するアンテナを備える１つ以上の送信機および受信機を有するシステムを使用して仮想境界を画定することにより、マイクロロケーションゾーンを作成する方法およびシステム。
2019537016.tif 000002
【特許請求の範囲】
【請求項１】
携帯デバイスおよび対象物に関する位置情報を確立するためのシステムであって、
対象物に対して固定した位置に配置されるマスタデバイスと、
前記マスタデバイスは、携帯デバイスと１つ以上のセンサデバイスとの少なくとも１つと通信することが可能であり、
複数のアンテナと、を備え、
前記複数のアンテナの各々は、無線通信を受信するように構成され、その無線通信に対応するアンテナ出力を提供し、少なくとも１つのアンテナ出力の時間の間隔を空けた複数の測定に基づき、少なくとも１つのアンテナ出力に対して特性信号が決定され、前記少なくとも１つのアンテナ出力は、前記時間の間隔を空けた複数の測定ごとに、複数の異なる無線通信周波数の少なくとも１つに対応し、
出力信号が、前記特性信号の関数に基づき決定され、携帯デバイスの位置は、前記出力信号に基づいて前記対象物に対して決定され、それにより、前記関数が、前記少なくとも１つのアンテナ出力における環境の影響を軽減するシステム。
【請求項２】
前記特性信号は、前記複数のアンテナの各々の前記アンテナ出力に対して決定され、前記出力信号は、前記関数に基づいて各々の前記特性信号に対して決定される、請求項１に記載のシステム。
【請求項３】
第１のアンテナ出力に対する前記特性信号は、第２のアンテナ出力に対する前記特性信号の基礎を形成する特性とは異なる特性に関して決定され、前記第１のアンテナ出力に対する前記特性信号に適用される前記関数は、前記第２のアンテナ出力に対する前記特性信号に適用される関数とは異なる請求項２に記載のシステム。
【請求項４】
前記出力信号は、前記特性信号の時間の間隔を空けた測定値の指数移動平均に相当し、所定の時間における各々の前記アンテナ出力に対する前記時間の間隔を空けた測定値は、周波数が相関している請求項２に記載のシステム。
【請求項５】
組み合わせ信号が、少なくとも２つの前記特性信号の関数として決定され、前記関数は、前記少なくとも２つの信号特性の時間および周波数が相関する値に適用される請求項２に記載のシステム。
【請求項６】
前記関数は差分関数であり、前記少なくとも２つの特性信号は第１の特性信号と第２の特性信号とを含み、前記組み合わせ信号の各々の値は、前記第１の特性信号の第１の値と前記第２の特性信号の第２の値との差分に相当し、前記第１および第２の値は、無線通信の同じ時間および同じ周波数に相関する請求項５に記載のシステム。
【請求項７】
組み合わせ信号が、少なくとも２つの出力信号の関数として決定され、出力分析関数が前記少なくとも２つの出力信号の時間的に相関する値に適用される請求項２に記載のシステム。
【請求項８】
前記マスタデバイスが、前記出力信号を決定するとともに、前記出力信号に基づいて前記携帯デバイスの位置を決定するように構成される請求項１に記載のシステム。
【請求項９】
前記１つ以上のセンサデバイスの少なくとも１つは、前記複数のアンテナに動作可能に結合される請求項１に記載のシステム。
【請求項１０】
前記少なくとも１つのセンサデバイスは、前記出力信号を決定するように構成され、前記少なくとも１つのセンサデバイスは、前記出力信号の信号特性を前記マスタデバイスに通信する請求項９に記載のシステム。
【請求項１１】
前記少なくとも１つのセンサデバイスは、前記無線通信の受信に使用される通信チャネルとは別の通信チャネルを介して、前記少なくとも１つのアンテナ出力を前記マスタデバイスに通信し、前記マスタデバイスは、前記特性信号を決定するとともに、前記特性信号に基づいて前記出力信号を決定する請求項１に記載のシステム。
【請求項１２】
前記特性信号は、前記複数のアンテナによって受信される無線通信に関して時間および周波数において相関する請求項１に記載のシステム。
【請求項１３】
前記複数のアンテナの第１のアンテナと第２のアンテナとは空間的に相関する請求項１に記載のシステム。
【請求項１４】
前記第１および第２のアンテナは接地面によって分離されている請求項１３に記載のシステム。
【請求項１５】
前記複数のアンテナが配置され、前記複数のアンテナの各々からの前記アンテナ出力が、少なくとも１つの仮想境界を画定する複数のゾーンを定めるために分析される請求項１に記載のシステム。
【請求項１６】
前記複数のアンテナは、第１のアンテナ出力を有する第１のアンテナと第２のアンテナ出力を有する第２のアンテナとを含み、前記第１のアンテナ出力の第１の値と前記第２のアンテナ出力の第２の値との差分に基づいて、差分信号が決定され、仮想境界は前記差分信号に基づいて画定される請求項１５に記載のシステム。
【請求項１７】
前記差分は、前記第１および第２の値の時間および周波数が相関する値について決定され、時間および周波数が相関する値は、前記携帯デバイスから同じ時間および周波数で通信される無線通信に対応し、携帯デバイスは第１および第２の異なる時間に異なる周波数で通信するように、携帯デバイスは、無線通信の周波数を経時的に変化させる請求項１６に記載のシステム。
【請求項１８】
前記差分信号は、環境の影響を軽減するための関数に提供される請求項１６に記載のシステム。
【請求項１９】
前記関数は、前記特性信号の前記少なくとも２つの時間の間隔を空けた値に関して平均、最大、最小、およびクラスタリングを決定する少なくとも１つを含む請求項１に記載のシステム。
【請求項２０】
前記平均が指数移動平均として決定され、前記指数移動平均の重み付けが、以前のＮ個の有効測定値の数に基づく請求項１９に記載のシステム。
【請求項２１】
前記特性信号が、前記少なくとも１つのアンテナ出力の時間の間隔を空けた測定値に関して決定され、２つ以上の前記時間の間隔を空けた測定値が、異なる通信周波数で発生する無線通信に関して取得される請求項１に記載のシステム。
【請求項２２】
前記２つ以上の前記時間の間隔を空けた測定値は、前記異なる通信周波数で発生する無線通信に関する２つ以上のＲＳＳＩ測定値に相当する請求項２１に記載のシステム。
【請求項２３】
対象物は、外部空間と内部空間とを有する車両であり、前記携帯デバイスの前記位置は、外部空間と内部空間に対して決定される請求項１に記載のシステム。
【請求項２４】
携帯デバイスおよび対象物に関する位置情報を確立するためのシステムであって、
対象物に対して固定した位置に配置されるマスタデバイスと、
前記マスタデバイスは、携帯デバイスと１つ以上のセンサデバイスとの少なくとも１つと通信することが可能であり、
複数のアンテナと、を備え、
前記複数のアンテナの各々は無線通信を受信するように構成され、前記複数のアンテナの各々は無線通信に対応するアンテナ出力を提供するように構成され、複数の信号特性が、少なくとも１つのアンテナ出力からの出力に関して決定され、および、前記複数の信号特性は、飛行時間特性と、信号強度特性および到着角度特性の少なくとも１つとを含み、前記携帯デバイスの位置は、無線通信の前記複数の信号特性に基づいて対象物に対して決定されるシステム。
【請求項２５】
前記出力の複数の時間の間隔を空けた測定値に基づいて、前記複数の信号特性のそれぞれに対する時間ベースの信号が生成され、前記時間ベースの信号が時間および周波数において相関するように、前記出力は複数の異なる無線通信周波数の少なくとも１つに対応する請求項２４に記載のシステム。
【請求項２６】
前記信号強度特性および前記到着角度特性の少なくとも１つは、ゾーンに対する前記携帯デバイスの位置のおおよその決定のための基礎を提供する請求項２４に記載のシステム。
【請求項２７】
前記飛行時間特性は、対象物に対する前記携帯デバイスの位置を決定するための基礎を提供する請求項２６に記載のシステム。
【請求項２８】
前記複数のアンテナは、複数のゾーンおよび１つ以上の仮想境界を画定するように配置される請求項２４に記載のシステム。
【請求項２９】
前記複数の信号特性に基づいて、前記マスタデバイスは、前記携帯デバイスが複数のゾーンの少なくとも１つの中にないことを決定する請求項２８に記載のシステム。
【請求項３０】
前記複数の信号特性に基づいて、前記マスタデバイスは、前記携帯デバイスが複数のゾーンの少なくとも１つの中にあることを決定する請求項２８に記載のシステム。
【請求項３１】
前記到着角度特性は、車両に対する高さを決定するための基礎を形成する請求項２４に記載のシステム。
【請求項３２】
前記信号強度特性は、車両に対する高さを決定するための基礎を形成する請求項２４に記載のシステム。
【請求項３３】
前記対象物は車両である請求項２４に記載のシステム。
【請求項３４】
携帯デバイスおよび対象物に関する位置情報を決定するためのシステムであって、
対象物に対して固定した位置に配置されるマスタデバイスと、
前記マスタデバイスは、携帯デバイスと１つ以上のセンサデバイスとの少なくとも１つと通信することが可能であり、
複数のアンテナと、を備え、
前記複数のアンテナの各々は無線通信を受信するように構成され、前記無線通信の複数の信号特性が、前記複数のアンテナから出力されるアンテナ信号を介して検出され、前記複数のアンテナは、第１および第２のゾーンの間に第１の仮想境界を画定するように配置される第１および第２のアンテナを含み、前記第１の仮想境界に対する携帯デバイスの位置は、前記第１のアンテナから出力されるアンテナ信号から決定される第１の信号特性と、前記第２のアンテナから出力されるアンテナ信号から決定される第２の信号特性との差分に基づいて決定され、そして、
前記複数のアンテナは、第３および第４のゾーンの間に第２の仮想境界を画定するように配置される第３および第４のアンテナを含み、前記第２の仮想境界に対する携帯デバイスの位置は、前記第３のアンテナから出力されるアンテナ信号から決定される第３の信号特性と、前記第４のアンテナから出力されるアンテナ信号から決定される第４の信号特性との差分に基づいて決定されるシステム。
【請求項３５】
前記第２のアンテナと前記第４のアンテナは同じアンテナであり、第１と第３のアンテナは異なるアンテナである請求項３４に記載のシステム。
【請求項３６】
前記複数のアンテナの各々は、前記１つ以上のセンサデバイスの異なるセンサに結合される請求項３４に記載のシステム。
【請求項３７】
前記第４のゾーンと前記第２のゾーンとが複合ゾーンを形成する請求項３４に記載のシステム。
【請求項３８】
前記マスタデバイスは、携帯デバイスの位置を決定するように構成され、前記第１、第２、第３、および第４の信号特性は前記マスタデバイスに通信される請求項３４に記載のシステム。
【請求項３９】
対象物は車両である請求項３４に記載のシステム。
【請求項４０】
携帯デバイスおよび対象物に関する位置を決定する方法であって、
第１のアンテナにおいて、ターゲットデバイスから送信される無線通信を受信すること、その無線通信は、複数の通信周波数の少なくとも１つにて送信され、
第１のアンテナで受信された無線通信に基づいて第１の特性信号を決定すること、
第２のアンテナにおいて、ターゲットデバイスから送信される無線通信を受信すること、
第２のアンテナで受信された無線通信に基づいて第２の特性信号を決定すること、
第１および第２の特性信号の関数として少なくとも１つの出力特性を生成すること、第１および第２の特性信号は、無線通信に関して時間および周波数が揃えられており、そして
少なくとも１つの出力特性に基づいて、第１および第２のアンテナに対するターゲットデバイスの位置を決定すること、を備える方法。
【請求項４１】
ターゲットデバイスは携帯デバイスであり、第１および第２のアンテナは、対象物に対して固定した位置に配置される請求項４０に記載の方法。
【請求項４２】
対象物は車両である請求項４１に記載の方法。
【請求項４３】
少なくとも１つの出力特性をマスタデバイスに通信することを備える請求項４０に記載の方法。
【請求項４４】
時間および周波数について、第１および第２の信号特性を相関させることを備える請求項４０に記載の方法。
【請求項４５】
前記第１の特性信号を決定することは、第１のアンテナからの第１のアンテナ出力に関して時間の間隔を空けた複数の第１の測定を行うことを含み、少なくとも２つの時間の間隔を空けた第１の測定は異なる通信周波数で発生する無線通信に対応し、
前記第２の特性信号を決定することは、第２のアンテナからの第２のアンテナ出力に関して時間の間隔を空けた複数の第２の測定を行うことを含み、第２の特性信号は第１の特性信号と時間および周波数について揃えられており、少なくとも２つの時間の間隔を空けた第２の測定は異なる通信周波数で発生する無線通信に対応し、それにより、時間の間隔を空けた第２の測定の少なくとも２つの時間の間隔を空けた測定は、時間の間隔を空けた第１の測定の少なくとも２つの時間の間隔を空けた測定と、周波数において相関し、
時間の間隔を空けた第１および第２の測定のそれぞれについて複数の出力特性を決定するものであり、時間の間隔を空けた第１および第２の測定のそれぞれは、時間的に相関し、複数の出力特性を決定する関数にそれぞれ提供され、複数の出力特性は、時間的に間隔を置いた値を有する出力特性信号を形成する請求項４０に記載の方法。
【発明の詳細な説明】
【技術分野】
【０００１】
本開示は、１つ以上の空間的に相関するアンテナを備える、１つ以上の送信機および１つ以上の受信機のシステムを使用して仮想境界を画定することによって、マイクロロケーションゾーンを作成するシステムおよび方法に関する。
【背景技術】
【０００２】
ドアや車両などの機器デバイスにアクセスしたり、その動作を指令したりするための鍵としてのスマートフォンの利用を可能にするために多大な努力が払われてきた。従来のシステムは、送信機と受信機との間の相対的な距離および／または位置を決定するために、通信の信号強度に依存する場合がある。例えば、多くの従来のシステムは、送信機と受信機との間の相対距離および／または位置を決定するために、指向性アンテナを用いて信号強度を測定する。この従来の構成はいくつかの制約を有するが、主な制約は位置精度である。いくつかの要因が位置精度に影響を与える可能性がある。そのような要因の例には、物理的境界、外部物体、および移動物体、ならびに機器デバイスの移動態様が含まれる。従来のシステムは、これらのまたは他の要因の観点から位置精度を達成または維持することができない可能性がある。
【発明の概要】
【０００３】
本開示は、１つ以上の空間的に相関するアンテナを備える、１つ以上の送信機および１つ以上の受信機のシステムを使用して仮想境界を画定することによって、マイクロロケーションゾーンを作成する方法およびシステムに関する。
【０００４】
一実施形態では、携帯デバイスおよび対象物に関する位置情報を確立するためのシステムが提供される。このシステムは、マスタデバイスと複数のアンテナとを含むことができる。マスタデバイスは、対象物に対して固定した位置に配置されることができ、携帯デバイスと１つ以上のセンサデバイスとの少なくとも１つと通信することが可能であってもよい。複数のアンテナの各々は、無線通信を受信するように構成されることができ、無線通信の信号特性が、複数のアンテナのそれぞれから出力されるアンテナ信号を介して検出される。
【０００５】
一実施形態では、信号特性は、アンテナ信号出力の測定値（または、計算された距離あるいは飛行時間などの測定値から導出されたもの）である。信号特性の、時間の間隔を空けた複数の測定が、計測される特性信号を形成するために実施されてもよい。測定は、２以上の複数の異なる周波数で起こる無線通信に対して実施されてもよい。例えば、携帯デバイスは、異なる周波数のセットのうちの１つの周波数で通信を送信してもよい。送信の周波数は、異なる周波数のセットの中で、経時的に変化してもよい。アンテナ信号出力の測定値は、時間および周波数において、他のアンテナ信号出力からの測定値と相関し得る。
【０００６】
一実施形態では、アンテナ信号出力の測定値は、平滑化関数に従って平滑化されてもよく、平滑化された出力は携帯デバイスに関する位置決定の基礎を形成する。
【０００７】
一実施形態では、１つ以上の組み合わせ信号が、単一のアンテナからの少なくとも２つの特性信号および／または２つ以上の別々のアンテナからの少なくとも２つの特性信号の関数として決定されてもよい。例えば、関数は差分関数であってもよく、組み合わせ信号は少なくとも２つの特性信号についての差分信号であってもよい。組み合わせ信号は、少なくとも２つの特性信号と時間的に相関することができ、少なくとも２つの特性信号は、上述したように、時間と周波数において相関することができる。携帯デバイスの位置は、組み合わせ信号に基づいて対象物に対して決定され得る。関数は、少なくとも２つの検出された信号特性に現れるフェージングおよび他の環境的影響を軽減することができる。少なくとも２つの特性信号に適用される関数は、少なくとも２つの特性信号に適用される他の関数と異なってもよい。一実施形態では、組み合わせ信号は、異なる時間に発生する単一の特性信号の少なくとも２つの態様の関数として決定されてもよい。
【０００８】
一実施形態では、マスタデバイスは、組み合わせ信号と、その組み合わせ信号に基づいて携帯デバイスの位置とを決定するように構成される。一実施形態では、少なくとも１つのセンサデバイスは、無線通信の受信に使用される通信チャネルとは別の通信チャネルを介して、組み合わせ信号の１つ以上の信号特性をマスタデバイスに通信してもよい。
【０００９】
一実施形態では、特性信号は、複数のアンテナによって受信される無線通信に関して時間および周波数において相関する。一実施形態では、複数のアンテナのうちの第１および第２のアンテナは、第１および第２のアンテナが接地面または２つ以上のアンテナ間のＲＦ経路を隔てる他の物体（例えば、減衰器または反射器）によって分離されるように空間的に相関される。
【００１０】
一実施形態では、複数のアンテナが配置され、複数のアンテナからの信号出力が、少なくとも１つの仮想境界を画定する複数のゾーンを定めるために分析される。一実施形態では、少なくとも２つの測定は異なる通信周波数に関して実施される。
【００１１】
一実施形態では、無線通信の１つ以上の信号特性は、複数のアンテナから出力されるアンテナ信号を介して検出される。１つ以上の信号特性は、飛行時間特性、信号強度特性、および到着／出発角度特性の少なくとも１つを含むことができ、携帯デバイスの位置は、無線通信の１つ以上の信号特性に基づいて、対象物に対して決定される。一実施形態では、無線通信の１つ以上の信号特性は、１つのタイプの信号特性の複数個（例えば、２つの信号強度読出値、２つの到着角度測定値）を含むことができる。
【００１２】
一実施形態では、複数のアンテナは、第１および第２のゾーンの間の第１の仮想境界を画定するために配置される第１および第２のアンテナを含むことができ、第１のアンテナから出力されるアンテナ信号から決定される第１の信号特性と、第２のアンテナから出力されるアンテナ信号から決定される第２の信号特性との差分に基づいて、第１の仮想境界に対する携帯デバイスの位置が決定される。複数のアンテナは、第３および第４のゾーンの間の第２の仮想境界を画定するために配置される第３および第４のアンテナを含むことができ、第３のアンテナから出力されるアンテナ信号から決定される第３の信号特性と、第４のアンテナから出力されるアンテナ信号から決定される第４の信号特性との差分に基づいて、第２の仮想境界に対する携帯デバイスの位置が決定される。一実施形態では、仮想境界は、ａ）第１および第２のアンテナの配置に基づくゾーンと、ｂ）第３のアンテナに対応するゾーンとの間に、同様に、ａ）第１および第２のアンテナの配置に基づくゾーンと、ｂ）第４のアンテナとの間に画定されることができる。
【図面の簡単な説明】
【００１３】
【図１】一実施形態によるシステムの代表図を示す。
【００１４】
【図２】一実施形態による電子部品の代表図を示す。
【００１５】
【図３】一実施形態によるシステムを示す。
【００１６】
【図４】一実施形態による指向性アンテナ放射パターンの特徴を示す。
【００１７】
【図５】一実施形態による、１つのゾーンを有する無指向性アンテナを示す。
【００１８】
【図６】一実施形態による、２つのゾーンを有する無指向性アンテナを示す。
【００１９】
【図７】一実施形態による、受信ゾーンの外側にあるデバイスとともに、１つのゾーンを形成する１つの指向性アンテナを示す。
【００２０】
【図８】一実施形態による、受信ゾーンの内側にあるデバイスとともに、１つのゾーンを形成する１つの指向性アンテナを示す。
【００２１】
【図９】一実施形態による、２つのゾーンと１つの境界を作り出す、２つの背中合わせの指向性アンテナを示す。
【００２２】
【図１０】一実施形態による、ゾーンＡ内で、仮想境界の「左側」に位置するデバイスを示す。
【００２３】
【図１１】一実施形態による、ゾーンＢ内で、仮想境界の「右側」に位置するデバイスを示す。
【００２４】
【図１２】一実施形態による、３つのゾーンと３つの境界を作り出す、３つの背中合わせの指向性アンテナを示す。
【００２５】
【図１３】一実施形態による、反対方向にアンテナボアサイトを有する４つの背中合わせの指向性アンテナを示す。
【００２６】
【図１４】一実施形態による、２つの例示的なデバイス位置とともに、４つの背中合わせの指向性アンテナを示す。
【００２７】
【図１５】一実施形態による、６つのゾーン（仮想境界は図示せず）を有する６つの背中合わせの指向性アンテナを示す。
【００２８】
【図１６】一実施形態による、オーバーラップするゾーンから作成される複合ゾーンを示す。
【００２９】
【図１７】一実施形態による、隣接する指向性アンテナによって形成されるゾーンを示す。
【００３０】
【図１８】一実施形態によるドアの両側にあるゾーンまたは複合ゾーンを示す。
【００３１】
【図１９】一実施形態による４つのゾーンを有する車両内部を示す。
【００３２】
【図２０】一実施形態による内側／外側ゾーンを示す車両を含む。
【００３３】
【図２１】一実施形態によるＲＳＳＩを使用する３アンテナ車両マイクロロケーションシステムを示す。
【００３４】
【図２２】一実施形態によるＲＳＳＩを使用する７アンテナ車両マイクロロケーションシステムを示す。
【００３５】
【図２３】一実施形態によるＲＳＳＩを使用する１１アンテナ車両マイクロロケーションシステムを示す。
【００３６】
【図２４】一実施形態による、ＲＳＳＩを使用する、機器の可動部分上のアンテナを示す。
【図２５】一実施形態による、ＲＳＳＩを使用する、機器の可動部分上のアンテナを示す。
【図２６】一実施形態による、ＲＳＳＩを使用する、機器の可動部分上のアンテナを示す。
【図２７】一実施形態による、ＲＳＳＩを使用する、機器の可動部分上のアンテナを示す。
【００３７】
【図２８】一実施形態による、到着角度を使用する、機器の可動部分上のアンテナを示す。
【図２９】一実施形態による、到着角度を使用する、機器の可動部分上のアンテナを示す。
【図３０】一実施形態による、到着角度を使用する、機器の可動部分上のアンテナを示す。
【図３１】一実施形態による、到着角度を使用する、機器の可動部分上のアンテナを示す。
【００３８】
【図３２】一実施形態による、到着角度を使用する、代替の外部アンテナ構成（４アンテナ）を示す。
【図３３】一実施形態による、到着角度を使用する、代替の外部アンテナ構成（４アンテナ）を示す。
【００３９】
【図３４】一実施形態による、到着角度を使用する、代替の外部アンテナ構成（６アンテナ）を示す。
【図３５】一実施形態による、到着角度を使用する、代替の外部アンテナ構成（８アンテナ）を示す。
【図３６】一実施形態による、到着角度を使用する、代替の外部アンテナ構成（５アンテナ）を示す。
【図３７】一実施形態による、到着角度を使用する、代替の外部アンテナ構成（２アンテナ）を示す。
【００４０】
【図３８】一実施形態による、到着角度を使用する、代替の内部アンテナ構成（４アンテナ）を示す。
【図３９】一実施形態による、到着角度を使用する、代替の内部アンテナ構成（４アンテナ）を示す。
【図４０】一実施形態による、到着角度を使用する、代替の内部アンテナ構成（１アンテナ）を示す。
【図４１】一実施形態による、到着角度を使用する、代替の内部アンテナ構成（２アンテナ）を示す。
【図４２】一実施形態による、到着角度を使用する、代替の内部アンテナ構成（２アンテナ）を示す。
【図４３】一実施形態による、到着角度を使用する、代替の内部アンテナ構成（４アンテナ）を示す。
【００４１】
【図４４】一実施形態による、小領域におけるフェージングを示す。
【００４２】
【図４５】一実施形態によるレイリー確率関数を示す。
【００４３】
【図４６】一実施形態による２アンテナ構成を示す。
【００４４】
【図４７】一実施形態による図４６のアンテナ構成のパターンを示す。
【００４５】
【図４８】一実施形態による、到着角度を使用する、１２アンテナ車両マイクロロケーションシステムを示す。
【００４６】
【図４９】一実施形態による、到着角度およびＲＳＳＩを使用する、２３アンテナ車両マイクロロケーションシステムを示す。
【００４７】
【図５０】一実施形態による、到着角度およびＲＳＳＩを使用する、１９アンテナ車両マイクロロケーションシステムを示す。
【００４８】
【図５１】一実施形態による、到着角度およびＲＳＳＩを使用する、１７アンテナ車両マイクロロケーションシステムを示す。
【００４９】
【図５２】一実施形態による、到着角度およびＲＳＳＩを使用する、１５アンテナ車両マイクロロケーションシステムを示す。
【００５０】
【図５３】一実施形態による、到着角度およびＲＳＳＩを使用する、代替の１５アンテナ車両マイクロロケーションシステムを示す。
【００５１】
【図５４】一実施形態による、到着角度およびＲＳＳＩを使用する、１５アンテナ車両マイクロロケーションシステムを示す。
【００５２】
【図５５】一実施形態による、到着角度およびＲＳＳＩを使用する、１３アンテナ車両マイクロロケーションシステムを示す。
【００５３】
【図５６】一実施形態による、到着角度およびＲＳＳＩを使用する、１１アンテナ車両マイクロロケーションシステムを示す。
【００５４】
【図５７】一実施形態による、到着角度およびＲＳＳＩを使用する、１８アンテナ車両マイクロロケーションシステムを示す。
【００５５】
【図５８】一実施形態による、到着角度およびＲＳＳＩを使用する、１６アンテナ車両マイクロロケーションシステムを示す。
【００５６】
【図５９】一実施形態による、到着角度およびＲＳＳＩを使用する、１２アンテナ車両マイクロロケーションシステムを示す。
【００５７】
【図６０】一実施形態による、到着角度およびＲＳＳＩを使用する、１３合同アンテナ車両マイクロロケーションシステムを示す。
【００５８】
【図６１】一実施形態による代替配置の、到着角度およびＲＳＳＩを使用する、１３合同アンテナ車両マイクロロケーションシステムを示す。
【００５９】
【図６２】一実施形態による、到着角度およびＲＳＳＩを使用する、１５合同アンテナ車両マイクロロケーションシステムを示す。
【００６０】
【図６３】一実施形態による、到着角度およびＲＳＳＩを使用する、１１合同アンテナ車両マイクロロケーションシステムを示す。
【００６１】
【図６４】一実施形態による、到着角度およびＲＳＳＩを使用する、１１合同アンテナ車両マイクロロケーションシステムを示す。
【００６２】
【図６５】一実施形態による、到着角度およびＲＳＳＩを使用する、７合同アンテナ車両マイクロロケーションシステムを示す。
【００６３】
【図６６】一実施形態による、到着角度およびＲＳＳＩを使用する、多角測量および三角測量を示す。
【図６７】一実施形態による、到着角度を使用する、代替の外部アンテナ構成（４アンテナ）を示す。
【００６４】
本発明の実施形態を詳細に説明する前に、本発明は、または以下の説明に記載されている、または図面に示されている、動作の詳細または構成要素の構成および配置の詳細に限定されないことを理解されたい。本発明は、他の様々な実施形態において実施することができ、本明細書に明示的に開示されていない代替の方法で実施または実行することができる。また、本明細書で使用される表現および用語は、説明のためのものであり、限定するものとして見なされるべきではないことを理解されたい。「含む（including）」および「備える（comprising）」およびそれらのバリエーションの使用は、それ以降に列挙される品目及びそれらの等価物、並びに追加の品目およびそれらの等価物を包含することを意味する。さらに、列挙することが、様々な実施形態の説明において使用されるかもしれない。特に明記しない限り、列挙することの使用が、本発明をある特定の順序またはコンポーネントの数に限定するものとして解釈されるべきではない。また、列挙することの使用が、列挙されたステップまたはコンポーネントと組み合わせることができる任意の追加のステップまたはコンポーネントを本発明の範囲から除外するものとして解釈されるべきではない。
【発明を実施するための形態】
【００６５】
Ａ．システム概要
Ａ．１  システムアーキテクチャ
本開示は、１つ以上の空間的に相関するアンテナを備える、１つ以上の送信機および１つ以上の受信機のシステムを使用して仮想境界を画定することによって、マイクロロケーションゾーンを作成するシステムおよび方法に関する。そのようなシステムが、図１の図示された実施形態では１００と指定されている。
【００６６】
本開示は、従来のシステムのいくつかの欠点に取り組み、信号処理方法および信号処理技法を使用し得るシステムコンポーネント（センサ）設計を提供する。センサを組み合わせるためのシステムおよび方法も記載されており、それらのセンサは、集められ、限定されないが、ブルートゥース（登録商標、以下同）ローエナジー（ＢＬＥ）を使用して動作するマイクロロケーションシステムを含む、様々な用途／実施形態において、変更可能な、ユーザ定義の設定を生成する記載された方法を使用して処理される。
【００６７】
本システムおよび方法は、受信信号強度インジケータ（ＲＳＳＩ）（例えば、三辺測量、フィンガープリンティングなどを採用することができる）、飛行時間測定、到着角度／出発角度（ＡｏＡ、例えば三角測量などを採用することができる）、または任意の数の他の確立された距離測定および／または位置決め技法を使用して、相対距離および／または位置を決定するために、指向性および／または無指向性アンテナを使用することができる。
【００６８】
本開示による一実施形態は、デバイスがいずれのゾーンに位置しているかを決定するために、測定されたＲＳＳＩに基づく差分技法を使用するが、システムはＲＳＳＩを使用することに限定されず、除外されるマイクロロケーションゾーンを作成または決定するために任意の１つ以上の特定の位置決め技法を使用することにも限定されない（例えば、デバイスのゾーンは、測定されたＲＳＳＩの代わりに、またはそれに加えて、最も可能性の高いＡｏＡの差分、最も早い到着時間、三角測量位置、三辺測量位置などを使用して決定されてもよい）。
【００６９】
本明細書で説明される実施形態は、無線周波数信号の送信の使用を説明しているが、他のタイプの信号の送信が、それら他のタイプの信号の送信を使用する際に存在する適合性および制限に応じて、使用されてもよい。例えば、無線周波数信号の代わりに光または音を使用することが可能であり得る。
【００７０】
一実施形態では、図４に示され３１２で指定されるものと同様のアンテナが提供される。図４の図示の実施形態は指向性のアンテナ３１２を示しているが、本開示はそのように限定されず、アンテナ３１２は無指向性アンテナとして構成されることを含めて、異なって構成されてもよい。一実施形態における指向性アンテナのアンテナ構成は、特徴的な放射パターンが本明細書に記載の１つまたは複数の実施形態の適用に十分であるようなものであり得る。一実施形態では、アンテナ３１２は、強調されたメインローブ３１４と、最小化された（または縮小されたサイズの）サイドローブ３１６およびバックローブ３１８とを含むように構成される。提供される図面において、示された放射パターンは典型的なパターンを示すことを意図しているが、示された形状または複数の形状に制限されないことに留意されたい。実際の放射パターンは、変化する可能性があり、（アンテナを含む）センサの構成およびセンサを囲む材料によって影響を受ける可能性がある（システムの利益または不利益として）。後続の図示の実施形態は、放射パターンを例示するために単純化されたアンテナ放射パターン（楕円形または同様のもの）を使用するかもしれない。
Ａ．２  アンテナの相互関係
【００７１】
記載される以下の方法およびシステムでは、指向性アンテナは送信機または受信機に接続されてもよい。例えば、アンテナ３１２は、センサ３１０（遠隔デバイスとしても記載される）に組み込まれるかまたは結合されてもよい。別の例として、アンテナ３１２は、システム制御モジュール１２０、機器コンポーネント１４０、および携帯デバイス１１０のうちの１つ以上に組み込まれるかまたは結合されてもよい。これらの例示のデバイスのうちのいずれか１つは、アンテナ３１２を使用して送信または受信、あるいはその両方を行うように構成され得る。本明細書には、様々なアンテナの実施形態が記載されており、それらのうちのいくつかは２つ以上のアンテナ３１２を含む。このように、アンテナ３１２自体は、本明細書に記載のアンテナ３１２の１つまたは複数の実施形態に従って、２つ以上のタイプのアンテナ３１２から構成することができる。例えば、アンテナ３１２は、第１および第２のゾーン４００に焦点を合わせるように配置される第１および第２のアンテナ３１２を含むことができる。本明細書に記載の実施形態のいずれも、任意の１つ以上の、本明細書に記載のアンテナ３１２を使用することができる。
Ａ．３  センサの定義
【００７２】
以下の説明のために、アンテナに接続された送信機／受信機システムの部分をセンサ３１０と呼ぶ。
Ａ．４  デバイスの定義
【００７３】
以下の説明のために、センサと反対側の送信機／受信機システムの部分をデバイス１１０と呼ぶ。デバイス１１０は携帯型であってもなくてもよいが、示される実施形態のいくつかにおいては、携帯型である。この携帯性は、人間によって携帯されているデバイス１１０を連想させうる。一実施形態では、デバイス１１０は、センサ３１０に対するその位置が意味を持つ物体である。しかしながら、その逆もまた真実であり得、デバイス１１０はそれ自体に対するセンサ３１０の位置を決定するように構成される。
【００７４】
本明細書に記載されるのは、特定用途向けマイクロロケーションシステムを作成するために、センサ３１０が互いに協同して使用され得る、一実施形態のシステム１００である。すなわち、センサ３１０は、デバイス１１０の相対位置を決定するために使用され得るマイクロロケーションゾーンを作り出すために互いに協同して使用され得る。システム１００の１つまたは複数の部分は、２０１５年２月１２に出願され、「車両と通信するためのシステムおよび方法」と題する、J. Michael Ellisらの米国特許出願第１４／６２０９５９、および２０１６年４月１５日に出願され、「リアルタイムロケーションを確立するためのシステムおよび方法」と題する、Raymond Michael Stittの米国仮出願第６２／３２３２６２号に記載されているマイクロロケーションシステムの１つまたは複数の部分とともに実行することができる。これらの開示は、その全体が参照により本明細書に組み込まれる。システム１００は、引き続き説明されるアンテナ構成を装備されたセンサ３１０を含むことができる。
Ａ．５  システムコンポーネント
【００７５】
一実施形態によるシステムが図１に示され、全体的に１００で指定される。システム１００は、以下のシステムコンポーネントのうちの１つ以上を含むことができる。ａ）１人以上のユーザ１０（例えば、人々）、ｂ）携帯デバイス（例えば、スマートフォン、カードもしくはフォブ、またはそれらの組み合わせ）および／または固定デバイス（例えば、コンピュータ／サーバ、もしくは壁掛けパネル／ディスプレイ、またはそれらの組み合わせ）などの１つ以上のデバイス１１０、ｃ）ハードウェアとしても説明される１つ以上のシステム制御モジュール（ＳＣＭ）１２０、ｄ）１つ以上のセンサ３１０（これは任意選択であり得る）、ｅ）機器動作を制御し、そこでサービスを起動し、システム１００の他の部分に情報を中継し、またはシステム１００の他の部分から情報を検索し、またはそれらの組み合わせのために構成され得る１つ以上の機器コンポーネント１４０。
【００７６】
システム１００は、１人以上のユーザ１０が、デバイス１１０を使用して機器１４０とやり取りするか、または機器１４０にアクセスすることを可能にすることができる。デバイス１１０は、ＳＣＭ１２０と通信することによって機器１４０（車両、ロック、またはテーブルなど）と通信することができる。一実施形態のＳＣＭ１２０は、デバイス１１０を認証し、設定データを提供または受信し、アクション（例えば、接続すること、または要求、コマンド、更新または応答、またはそれらの組み合わせを送信および／または受信すること）を承認し、または所望のアクションを達成するために機器コンポーネント１４０と通信し、またはそれらの組み合わせを実行することができる。デバイス１１０は、関係するデバイスおよびユーザとの間で、（本明細書で説明される）認可および他の設定データを取得し、変更し、または配信し、またはそれらの組み合わせを行うために、クラウド（図示せず）と通信することができる。そのようなシステムの一例は、２０１７年１０月２７日に出願され、「デバイスを認証および認可するためのシステムおよび方法」と題する、Smithらの米国特許出願第１５／７９６１８０号に示され、説明されている。その開示は、その全体が参照により本明細書に組み込まれる。
Ａ．５．ａ  通信とやり取りの概要
【００７７】
図１に図示された実施形態に示された１つ以上のシステムコンポーネント間の通信リンクは、無線または有線、またはその両方であってもよい。デバイス１１０などの１つのシステムコンポーネントは、ＳＣＭ１２０などの別のシステムコンポーネントに対してローカルまたはリモートであってもよい。システム１００は、機器が存在しない場合のように、その数がゼロである実施形態を含む、任意の数の各システムコンポーネントを含むことができる。
【００７８】
一実施形態では、システム１００のシステムコンポーネントの役割は、必ずしも１つのタイプのコンポーネントとして固定されるとは限らない。例えば、システムコンポーネントは、動作中に動的に役割を変更してもよく、またはシステムコンポーネントが、システム１００の２つ以上のコンポーネントの役割を受け持ってもよい。例えば、ＳＣＭ１２０は、別のＳＣＭ１２０のための機器コンポーネント１４０であってもよい。この例のより具体的な形態では、ＳＣＭ１２０は、他のＳＣＭ１２０と通信する機器コンポーネント１４０であってもよい。これらのシステムコンポーネントの１つまたは複数が存在しなくてもよいと理解されるべきであるが、開示の目的のため、残りの議論は、１つまたは複数の機器コンポーネント１４０が存在するシステム１００に焦点を当てる。オプションとして、システム１００は、デバイスのクラウドシステムなどの別のシステムと通信するように構成されてもよい。
Ａ．５．ｂ  コンポーネントの概要
【００７９】
図示された実施形態におけるシステム１００は、本明細書に概説されるような１つ以上のシステムコンポーネントを含むことができる。システムコンポーネントは、ユーザまたは電子システムコンポーネントであってもよく、それは、デバイス１１０、ＳＣＭ１２０、機器コンポーネント１４０、またはクラウド、もしくはそれらの組み合わせであってもよい。本明細書で論じられるように、電子システムコンポーネントは、それらのデバイスの任意の１つまたは複数として動作するように構成することができる。この意味で、一実施形態では、デバイス１１０、ＳＣＭ１２０、機器コンポーネント１４０、およびクラウド間で共通するいくつかの様相または特徴が存在し得る。開示の目的のために、これらの特徴が、図２に示され、全体として２００で指定される電子コンポーネントに関連して説明される。
【００８０】
電子システムコンポーネント２００（例えば、ユーザを除くすべてのシステムコンポーネント）は、他の電子ハードウェアの中で、１つ以上のアプリケーション２３２（ソフトウェアおよび／またはファームウェアを含む）を実行する１つ以上のプロセッサ２１０、１つ以上のメモリユニット２１２（例えば、ＲＡＭおよび／またはＲＯＭ）、および１つ以上の通信ユニット２１４を含むことができる。電子システムコンポーネント２００は、通信ユニット２１４を介してより下位レベルのデバイス／電子機器へのアクセスを制御するオペレーティングシステム２３０を有していても有していなくてもよい。電子システムコンポーネント２００は、ハードウェアベースの暗号化ユニット２２２を有していても有していなくてもよく、存在しない場合、暗号化機能はソフトウェアで実行されてもよい。電子システムコンポーネント２００は、セキュアメモリユニット２２０（例えば、セキュアエレメントまたはハードウェアセキュリティモジュール（ＨＳＭ））を有していても有していなくても（または、アクセスしてもアクセスしなくても）よい。オプションのコンポーネントおよび通信経路は、図示の実施形態では仮想線で示されている。
【００８１】
図示された実施形態のシステム１００は、任意のコンポーネント内のセキュアメモリユニット２２０の存在に依存しない。セキュアメモリユニット２２０がオプションで存在しない場合、セキュアメモリユニット２２０に格納されてもよいデータ（例えば、非公開鍵および／または秘密鍵）は、休止時に（可能なときに）暗号化されてもよい。ソフトウェアベースおよびハードウェアベースの対策の両方を利用して、そのようなデータへのアクセスを実質的に防止し、並びに、全体的なシステムコンポーネントのセキュリティ破壊の招来を実質的に防止しまたは検出するか、またはその両方を行うことができる。このような対策機能の例には、物理的な障害物またはシールドの実装、ＪＴＡＧおよび他のポートの無効化、攻撃ベクトルを排除するようにソフトウェアインターフェースの強化、信頼できる実行環境（ハードウェアまたはソフトウェア、またはその両方）の使用、オペレーティングシステムのルートアクセスまたはセキュリティ破壊の招来の検出などがある。
【００８２】
開示の目的のため、安全であることは、一般に、秘密であること（暗号化されていること）、認証されていること、および完全性が検証されていることと考えられている。しかし、本開示はそれに限定されず、「安全」という用語はこれらの態様のサブセットであってもよく、またはデータセキュリティに関連する追加の態様を含んでもよいことを理解されたい。
【００８３】
通信インターフェース２１４は、有線または無線を含む、本明細書で説明する通信リンクのタイプのいずれかを含む、任意のタイプの通信リンクとすることができる。通信インターフェース２１４は、外部または内部の、またはその両方の通信を容易にすることができる。例えば、通信インターフェース２１４は、アンテナ３１２に結合されてもよく、または組み込まれてもよい。
【００８４】
別の例として、通信インターフェース２１４は、ブルートゥースＬＥ規格による無線通信や、Ｗｉ−Ｆｉイーサネット（登録商標）通信リンクを介するクラウド１３０など、デバイス１１０の形態の別のシステム電子デバイス２００との無線通信リンクを提供することができる。別の例では、通信インターフェース２１４は、複数のデバイス間の通信を容易にするＣＡＮベースの有線ネットワークなどの有線リンクを介して、機器コンポーネント１４０（例えば、車両コンポーネント）と通信するように構成することができる。一実施形態の通信インターフェース２１４は、ユーザ１０に情報を通信し、および／またはユーザ１０から情報を受信するためのディスプレイおよび／または入力インターフェースを含むことができる。
【００８５】
図２に示す一実施形態では、電子システムコンポーネント２００は、別の電子システムコンポーネント２００またはユーザ以外の１つまたは複数の補助デバイス３００と通信するように構成されてもよい。補助デバイス３００は、電子システムコンポーネント２００とは異なって構成されてもよく、例えば、補助デバイス３００は、プロセッサ２１０を含まず、代わりに、電子システムコンポーネント２００との情報の送信または受信、もしくはその両方のための少なくとも１つの直接接続および／または通信インターフェースを含んでもよい。例えば、補助デバイス３００は、電子システムコンポーネント２００からの入力を受け入れるソレノイドであってもよく、または補助デバイス３００は、電子システムコンポーネント２００にアナログおよび／またはデジタルフィードバックを提供するセンサ（例えば、近接センサ）であってもよい。
Ａ．５．Ｃ  マイクロロケーション
【００８６】
図示の実施形態のシステム１００は、デバイス１１０に関してリアルタイムで位置情報を決定するように構成されてもよい。図１の図示の実施形態では、ユーザ１０は、デバイス１１０（例えば、スマートフォン）を携帯することができる。システム１００は、機器へのアクセスまたは機器コマンドの許可が与えられるべき位置にユーザが位置しているかどうかを判定するのに十分な精度でリアルタイムに、機器１４０（例えば、車両）に対するデバイス１１０の位置特定を容易にすることができる。
【００８７】
例えば、機器１４０が車両である車両の分野では、システム１００は、デバイス１１０が車両の外部にあるが、例えば、運転者側のドアまで５フィート、３フィート、または２フィート以下のようにすぐ近くであるかどうかの決定を容易にすることができる。この決定は、システム１００が車両をアンロックすべきかどうかを識別するための基礎をなすことができる。一方、システム１００が、デバイス１１０は車両の外部にあり、運転者側ドアのすぐ近くにない（例えば、２フィート、３フィート、または５フィートの範囲外にある）と判定した場合、システム１００は、運転者側ドアをロックすることを決定することができる。別の例として、システム１００が、デバイス１１０は運転者側シートのすぐ近くにあるが、助手席シートまたは後席シートの近くではないと判断した場合、システム１００は、車両の始動を可能にすることを決定することができる。逆に、デバイス１１０が運転者側シートの近接範囲外であると判定された場合、システム１００は、車両を不動にすることまたは不動を維持することを決定することができる。
【００８８】
この状況における車両はまた、図３の図示された実施形態に関連して説明される、１つまたは複数のセンサ３１０のような他のタイプの機器１４０を含むことができる。１つまたは複数のセンサ３１０は、電子システムコンポーネント２００に関連して説明した実施形態と同様に構成することができる。
【００８９】
機器１４０のマイクロロケーションは、全地球測位システム、デバイス１１０からの通信の１つ以上の信号特性、および１つまたは複数のセンサ（例えば、近接センサ、リミットスイッチ、または視覚センサ）、またはそれらの組み合わせから得られた情報を使用するなど、様々な方法で決定することができる。システム１００を構成することができるマイクロロケーション技法の一例は、２０１７年４月１４に出願され、「リアルタイムロケーションを確立するためのシステムおよび方法」と題する、Raymond Michael Stittらの米国特許出願第１５／４８８１３６に記載され、その開示は、全体が参照により本明細書に組み込まれる。
【００９０】
一実施形態において、図３の図示された実施形態では、ＳＣＭ１２０および複数のセンサ３１０は、機器コンポーネント１４０に対して固定された位置に配置することができる。機器コンポーネント１４０の例示のユースケースは、先の例で特定された車両、または機器コンポーネント１４０によってアクセスが制御される建物を含む。図示の実施形態におけるセンサ３１０は、本明細書に記載されるように１つまたは複数のアンテナ３１２を含むことができる。センサ３１０の配置または位置は、本明細書に記載の１つまたは複数の実施形態に従うことができる。ＳＣＭ１２０の信号処理は、本明細書に記載の１つまたは複数の実施形態に従うことができる。
【００９１】
デバイス１１０は、通信リンクを介してＳＣＭ１２０と無線で（例えば、ブルートゥースＬＥを介して）通信することができる。複数のセンサ３１０は、デバイス１１０とＳＣＭ１２０との間の通信を傍受して、信号強度などの通信の１つ以上の信号特性を決定するように構成することができる。決定された信号特性は、デバイス１１０とＳＣＭ１２０との間の通信リンクとは別の通信リンクを介して、ＳＣＭ１２０に通信されるか、または分析された後に通信されてもよい。追加的にまたは代替的に、デバイス１１０は、１つまたは複数のセンサ３１０との直接の通信リンクを確立してもよく、１つ以上の信号特性は、この直接通信リンクに基づいて決定されてもよい。
【００９２】
一例として、図示の実施形態に示すように、デバイス１１０からＳＣＭ１２０への通信の伝播波が示され、３０２、３０４、３０６で明示されている。デバイス１１０（ソース）からの距離が大きいほど、無線通信の強度は小さくなる。伝播波３０６に関する通信の強度は、伝播波３０２の強度よりも小さい。さらに、時間Ｔ０において通信が送信された場合、伝播波３０２での通信のための伝搬時間（ＴＰ１−Ｔ０）は、伝播波３０６での通信のための伝搬時間（ＴＰ３−Ｔ０）よりも短い。その結果、センサ３１０が伝播波３０２で通信を受信した場合、通信の到着のタイムスタンプは、通信が伝播波３０６で受信された場合よりも早くなる可能性がある。
【００９３】
本明細書に記載されるように、信号強度および到着時間などの１つ以上の信号特性が、ＳＣＭ１２０に対するデバイス１１０に関する位置情報を決定するために、解析されてもよい。例えば、センサ３１０とＳＣＭ１２０との間の到着時間差が、デバイス１１０の相対位置を決定するために処理されてもよい。ＳＣＭ１２０に対する１つまたは複数のセンサ３１０の位置は、デバイス１１０の相対位置がセンサ３１０およびＳＣＭ１２０に対する絶対位置に変換されることができるように、既知であってもよい。信号特性の追加的または代替的な例が、距離関数、三辺測量関数、三角測量関数、多辺測量関数、フィンガープリント関数、差分関数、飛行時間関数、到着時間関数、到着時間差関数、到着角度関数、出発角度関数、幾何学関数など、またはそれらの任意の組み合わせを含む、１つまたは複数のアルゴリズムに従って位置を決定することを容易にするために取得されてもよい。
【００９４】
図示の目的のために、伝播波３０２、３０４、３０６は一様な円形として描かれているが、伝播波は、干渉または指向性アンテナの使用などの他の要因に依存して形状が変化するかもしれないことに留意されたい。
【００９５】
一実施形態では、デバイス１１０とＳＣＭ１２０との間の通信に関する情報は、複数のセンサ３１０に提供されてもよい。例えば、ブルートゥースＬＥチャネルに関する接続パラメータは、複数のセンサ３１０が通信を監視することができるように、センサ３１０に提供されてもよい。例えば、通信チャネルは、パケットごとにまたはパケット内で送信されるビットの中で、送信の周波数など、通信中に１つまたは複数のパラメータを変更するかもしれない。これらの１つ以上の可変パラメータは、パケットまたは通信の受信を可能にするためにセンサ３１０に通信されてもよい。
Ｂ．１つまたは複数の実施形態で採用される１つまたは複数の例示的なアンテナ構成
Ｂ．１  無指向性アンテナ 
【００９６】
一実施形態によるアンテナ３１２が、図５の図示された実施形態に示されている。図示された実施形態におけるアンテナ３１２は、ゾーン４００としても記載される、ほぼ円形の受信ゾーンを生成するように構成された単一の無指向性アンテナである。デバイス１１０の位置は、ゾーン４００内であるか否かの、２つの状態のうちの１つであり得る。そのようなアンテナ構成の一例が、図３の図示された実施形態に示されている。ゾーン半径、すなわちゾーン４００の半径は、閾値（ＲＳＳＩ、原点からの計算された距離など）によって定義されてもよいし、あるいはアンテナ３１２の受信範囲によって定義されてもよい。
【００９７】
さらに、複数の閾値が定義されてもよく、その結果、アンテナ３１２の受信範囲内に複数のゾーン４００が存在する。そのようなアンテナ構成の一例が図６に示されており、外側ゾーン４０４および内側ゾーン４０２を含む。
Ｂ．２  １つのゾーンを備える指向性アンテナ
【００９８】
単一の指向性アンテナ３１２が、図７および図８の図示された実施形態に示されている。図示された実施形態における指向性アンテナ３１２は、１つの受信ゾーン４００を生成するように構成されている。デバイス位置は、ゾーン４００内であるか否かの、２つの状態のうちの１つであり得る。ゾーンフィールド４００（またはゾーンエリア４００）は、閾値（ＲＳＳＩ、原点からの計算された距離など）によって定義されてもよいし、またはアンテナ３１２の受信範囲によって定義されてもよい。さらに、複数の閾値が定義されてもよく、その結果、アンテナ３１２の受信範囲内に複数のゾーン４００が存在する。
Ｂ．３  ２つのゾーンと１つの仮想境界を備える１組の指向性アンテナペア
【００９９】
１つの仮想境界４１０を備えた、ペアとされた構成のアンテナ３１２の一実施形態が図９−図１１に示されている。図示された実施形態では、アンテナボアサイトが互いに反対方向を向いている、３１２Ａ、３１２Ｂで明示される（すなわち、一対）、２つの空間的に相関する指向性アンテナが、２つのゾーン４００Ａ、４００Ｂ、ならびに２つのゾーン４００Ａ、４００Ｂの間に１つの仮想境界４１０Ａ−Ｂを生み出す。あるいは、一実施形態のアンテナ３１２は、２つのゾーン４００を生み出すために、反対向きではないが、接地面または２つ以上のアンテナ間のＲＦ経路を隔てることができる他の物体（例えば、減衰器または反射器）によって分離されるボアサイトを備える第１のアンテナ３１２および第２のアンテナ３１２で構成されてもよい。ＲＦ経路を隔てる接地面または他の物体（例えば、減衰器または反射器）は、反対方向を向いたボアサイトと同様の効果を生じることができる。
【０１００】
一実施形態では、このようなアンテナ３１２のペア、各アンテナ３１２が、１つのセンサ３１０に結合されてもよく（例えば、それぞれ１つのアンテナ３１２を有する２つのセンサ３１０）、その場合、各センサ３１０は実質的に同時の測定値をマスタデバイス１２０に通信することができる。そのようなアンテナ３１２ペアの別の実施形態では、両方のアンテナ３１２が１つのセンサ３１０に結合されてもよく（すなわち、２つのアンテナ３１２を有する１つのセンサ３１０）、その場合、センサ３１０は、実質的に同時の、両方のアンテナ３１２からの測定値をマスタデバイス１２０に通信するために、メッセージの間、またはメッセージの個々の要素の間にアンテナ３１２を切り換えてもよい。例えば、ＢＬＥを使用する実施形態において、センサ３１０は、接続イベントの個々のデータパケットの間にアンテナ３１２を切り替えてもよい。１つのセンサ３１０が複数のアンテナ３１２に接続されるさらに別の実施形態では、各アンテナ３１２間での切り換えの代わりに、２以上のアンテナ３１２出力が並行してセンサ３１０に与えられてもよく、それにより、センサ３１０は、アンテナ３１２からの測定値を実質的に同時に取得することが可能となる（例えば、本明細書のセクションＣ．９．ｅに記載されているように）。
【０１０１】
図示された実施形態の変形例では、３１２Ａおよび／または３１２Ｂは、指向性アンテナ、および／または、アンテナ３１２Ａと３１２Ｂとの間の信号を減衰または反射する任意の分離器が存在する（例えば、接地面、金属シート、木材、水など）、無指向性アンテナであってもよい。さらに、複数の閾値が定義されてもよく、その結果、アンテナの受信範囲内に複数のゾーン４００が存在する。開示の目的のために、アンテナ３１２、ゾーン４００および仮想境界４１０は、１つまたは複数のアンテナ３１２に対するゾーン４００および仮想境界４１０の相関を補助するために文字名称が与えられている。文字名称が与えられたゾーン４００、仮想境界４１０、および１つまたは複数のアンテナ３１２は、いずれか１つのタイプの構成に限定されないことを理解されたい。例えば、図示された実施形態において３１２Ａと指定されるアンテナの場合、任意の実施形態のアンテナが、図に示される実施形態を含む、アンテナ３１２と併せて実装されてもよい。例えば、アンテナ３１２Ａが指向性アンテナ構成であるのではなく、むしろアンテナ３１２Ａは無指向性アンテナ構成であってもよい。
【０１０２】
図１０および図１１の図示された実施形態では、アンテナ３１２Ａ、３１２Ｂとデバイスとが、互いの受信範囲内にある場合、アンテナ３１２とデバイス１１０との間の相対位置は、ゾーン４００Ａ内またはゾーン４００Ｂ内にあり得る。アンテナ３１２Ａ、３１２Ｂとデバイス１１０とが互いの受信範囲内にない場合（ゾーン４００Ａの外側およびゾーン４００Ｂの外側）、アンテナ３１２Ａ、３１２Ｂとデバイス１１０との間の相対位置は未知である。２つの指向性アンテナの例では、デバイス１１０が範囲内にあると仮定すると、デバイス１１０が仮想境界４１０Ａ−Ｂのどちら側に位置するかを判断することが可能であり得る。ゾーン４００Ａまたはゾーン４００Ｂを決定するために使用される、選択された閾値に応じて、デバイス１１０が両方のゾーンに同時に（例えば、仮想境界に沿ってまたは近くに）存在すると決定されることが可能であるかもしれず、その場合、デバイス１１０の位置は、未知、両方のゾーン内、以前に決定されたゾーン内、または、新規な「合間の」ゾーン（図１０の図示された実施形態において４００Ｃで指定される）内にあるとみなしてもよい。本明細書に記載の１つまたは複数の実施形態において、ゾーン間の境界に関して、同様の合間のゾーンが検出されてもよい。
Ｂ．４  ３つのゾーンと３つの仮想境界を備える３つの指向性アンテナ
【０１０３】
３つの仮想境界４１０でトリプレットを形成する３つのアンテナ３１２を有する一実施形態が図１２に示されている。図示された実施形態では、３つの空間的に相関する指向性アンテナ３１２Ａ、３１２Ｂ、３１２Ｃが設けられている。指向性アンテナ３１２Ａ、３１２Ｂ、３１２Ｃは、互いに反対向きのアンテナボアサイトを備えるように構成され、３つのゾーン４００Ａ、４００Ｂ、４００Ｃ、ならびに３つのゾーン４００Ａ、４００Ｂ、４００Ｃの間の３つの仮想境界４１０Ａ−Ｂ、４１０Ｂ−Ｃ、４１０Ａ−Ｃを生み出す。そのようなアンテナ３１２トリプレットの一実施形態では、各アンテナ３１２は１つのセンサ３１０に結合されてもよく（すなわち、それぞれ１つのアンテナ３１２を有する３つのセンサ３１０）、その場合、各センサ３１０は実質的に同時の測定値をマスタデバイス１２０に通信することができる。そのようなアンテナ３１２トリプレットの別の実施形態では、いずれのアンテナ３１２も１つのセンサ３１０に結合されてもよく（すなわち、３つのアンテナ３１２を有する１つのセンサ３１０）、その場合、センサ３１０は、実質的に同時の、いずれのアンテナ３１２からの測定値をマスタデバイス１２０に通信するために、メッセージの間、またはメッセージの個々の要素の間にアンテナ３１２を切り換えてもよい。例えば、ＢＬＥを使用する実施形態において、センサ３１０は、接続イベントの個々のデータパケットの間にアンテナ３１２を切り替えてもよい。１つのセンサ３１０が複数のアンテナ３１２に接続されるさらに別の実施形態では、各アンテナ３１２間での切り換えの代わりに、２以上のアンテナ３１２出力が並行してセンサ３１０に与えられてもよく、それにより、センサ３１０は、アンテナ３１２からの測定値を実質的に同時に取得することが可能となる（例えば、本明細書のセクションＣ．９．ｅに記載されているように）。
【０１０４】
図示された実施形態の変形例では、３１２Ａ、３１２Ｂ、および／または３１２Ｃは、指向性アンテナ、および／または、アンテナ３１２Ａ、３１２Ｂ、および３１２Ｃ間の信号を減衰または反射する任意の分離器が存在する（例えば、接地面、金属シート、木材、水など）無指向性アンテナであってもよい。さらに、複数の閾値が定義されてもよく、その結果、アンテナ３１２Ａ、３１２Ｂ、３１２Ｃの受信範囲内に複数のゾーンが存在する。
【０１０５】
一実施形態では、アンテナ３１２Ａ、３１２Ｂ、３１２Ｃとデバイス１１０とが互いの受信範囲内にある場合、アンテナ３１２Ａ、３１２Ｂ、３１２Ｃとデバイス１１０との間の相対位置は、ゾーン４００Ａ、ゾーン４００Ｂ、またはゾーン４００Ｃ内にあり得る。アンテナ３１２Ａ、３１２Ｂ、３１２Ｃおよびデバイス１１０が互いの受信範囲内にない場合（ゾーン４００Ａの外側、ゾーン４００Ｂの外側、およびゾーン４００Ｃの外側）、アンテナとデバイス１１０との間の相対位置は、アンテナ３１２Ａ、３１２Ｂ、３１２Ｃに対して未知であるとみなされる。
Ｂ．５  ４つのゾーンと２つの仮想境界を備える２組の指向性アンテナペア
【０１０６】
２つの仮想境界４１０を備える２組のアンテナ３１２のペアを有する一実施形態が、図１３および図１４に示されている。図示された実施形態では、３１２Ａ、３１２Ｂ、３１２Ｃ、３１２Ｄで示される、４つの空間的に相関する指向性アンテナが設けられる。アンテナ３１２Ａ、３１２Ｂ、３１２Ｃ、３１２Ｄは互いに直角に配置され、４つのゾーン４００Ａ、４００Ｂ、４００Ｃ、４００Ｄ、ならびに２つの仮想境界４１０Ａ−Ｂ、４１０Ｃ−Ｄを生み出す。そのようなアンテナ３１２のペアをペアリングする一実施形態では、各アンテナ３１２が１つのセンサ３１０に結合されてもよく（すなわち、それぞれ１つのアンテナ３１２を有する４つのセンサ３１０）、その場合、各センサ３１０は実質的に同時の測定値をマスタデバイス１２０に通信することができる。そのようなペアを形成するアンテナ３１２のペアリングの別の実施形態では、アンテナ３１２を１つのセンサ３１０に結合してもよく（例えば、４つのアンテナ３１２を有する１つのセンサ３１０）、その場合、センサ３１０は、実質的に同時の、いずれのアンテナ３１２からの測定値をマスタデバイス１２０に通信するために、メッセージの間、またはメッセージの個々の要素の間にアンテナ３１２を切り換えてもよい。例えば、ＢＬＥを使用する実施形態において、センサ３１０は、接続イベントの個々のデータパケットの間にアンテナ３１２を切り替えてもよい。１つのセンサ３１０が複数のアンテナ３１２に接続されるさらに別の実施形態では、各アンテナ３１２間での切り換えの代わりに、２以上のアンテナ３１２出力が並行してセンサ３１０に与えられてもよく、それにより、センサ３１０は、アンテナ３１２からの測定値を実質的に同時に取得することが可能となる（例えば、本明細書のセクションＣ．９．ｅに記載されているように）。そのようなアンテナ３１２のペアをペアリングするさらに別の実施形態では、それぞれが２つのアンテナ３１２と結合される一対のセンサ３１０からなり、先の２つの実施形態の組み合わせを使用してもよい。
【０１０７】
例示された実施形態の変形例では、３１２Ａ、３１２Ｂ、３１２Ｃ、および／または３１２Ｄは、指向性アンテナ、および／または、アンテナ３１２Ａ、３１２Ｂ、３１２Ｃおよび３１２Ｄのペアリングの間の信号を減衰または反射する任意の分離器が存在する（例えば、接地面、金属シート、木材、水など）無指向性アンテナであってもよい。さらに、複数の閾値が定義されてもよく、その結果、アンテナ３１２Ａ、３１２Ｂ、３１２Ｃ、３１２Ｄの受信範囲内に複数のゾーンが存在する。
【０１０８】
図１３−図１４の図示された実施形態では、アンテナ３１２Ａ、３１２Ｂ、３１２Ｃ、３１２Ｄとデバイス１１０とが互いの受信範囲内にある場合、アンテナ３１２Ａ、３１２Ｂ、３１２Ｃ、３１２Ｄとデバイス１１０との間の相対位置は、ゾーン４００Ａ、ゾーン４００Ｂ、４００Ｃまたはゾーン４００Ｄ内にあり得る。アンテナ３１２Ａ、３１２Ｂ、３１２Ｃ、３１２Ｄおよびデバイス１１０が互いの範囲内にない場合（ゾーン４００ＡからゾーンＤの外側）、アンテナ３１２Ａ、３１２Ｂ、３１２Ｃ、３１２Ｄとデバイス１１０との間の相対位置は、アンテナ３１２Ａ、３１２Ｂ、３１２Ｃ、３１２Ｄに対して未知であるとみなされる。２つの指向性アンテナの例では、デバイス１１０が範囲内にあると仮定すると、図１４の図示された実施形態に示すように、デバイス１１０が仮想境界４１０Ａ−Ｂ、４１０Ｃ−Ｄのどちら側に位置するかを決定することが可能であり得る。
Ｂ．６  ６つのゾーンと３つの仮想境界を備える３組の指向性アンテナペア
【０１０９】
３組のアンテナ３１２のペアを有する一実施形態が図１５に示されている。図示された実施形態では、互いに直角に配置された６つの指向性アンテナが設けられ、（図示されない後部の）３１２Ａと共に３１２Ｌ、３１２Ｒ、３１２Ｔ、３１２Ｂ、および３１２Ｆで指定され、（図示されない後部の）４００Ａとともに、６つのゾーン４００Ｌ、４００Ｒ、４００Ｔ、４００Ｂおよび４００Ｆ、ならびに３つの仮想境界（図示せず）を生み出す。このような３組のアンテナ３１２ペアの実施形態は、以前に説明されたセンサ３１０とアンテナ３１２の組み合わせ、および／または以前に説明された方法のいずれかを使用して構成することができる。図示された実施形態の変形例では、３１２Ｌ、３１２Ｒ、３１２Ｔ、３１２Ｂ、３１２Ｆ、および／または３１２Ａは、指向性アンテナ、および／または、アンテナ３１２Ｌ、３１２Ｒ、３１２Ｔ、３１２Ｂ、３１２Ｆ、および３１２Ａのペアリングの間の信号を減衰または反射する任意の分離器が存在する（例えば、接地面、金属シート、木材、水など）無指向性アンテナであってもよい。さらに、複数の閾値が定義されてもよく、その結果、アンテナ３１２Ｌ、３１２Ｒ、３１２Ｔ、３１２Ｂ、３１２Ｆ、および３１２Ａの受信範囲内に複数のゾーンが存在する。
Ｂ．７  Ｎ個のペアの指向性アンテナ
【０１１０】
さらに、Ｎ個のペアの指向性アンテナ３１２を組み合わせて、２Ｎ個のゾーン４００とともにＮ個の仮想境界４１０を作成してもよい。これらの仮想境界４１０は、ゾーン４００の配列を作成する任意の方向に構成され、その結果、デバイス１１０が、どのゾーン４００（仮想境界４１０によって分割されている）に配置されているかを検出することができる。さらに、複数の閾値を定義することができ、その結果、アンテナ３１２の受信範囲内に複数のゾーン４００が存在する。
【０１１１】
アンテナ３１２のペアまたはＮ個のアンテナ３１２は、別々のアンテナ３１２として記載されているが、一実施形態によるアンテナ３１２は、それ自体２つ以上のアンテナ３１２から構成されてもよいことをさらに理解されたい。一例として、図１３および図１４の図示された実施形態におけるアンテナ３１２Ａ、３１２Ｂ、３１２Ｃ、３１２Ｄは、複数のゾーン４００と複数の仮想境界４１０とを備える単一のアンテナ３１２とみなすことができる。
Ｂ．８  ３Ｄ空間認知
【０１１２】
仮想境界４１０が実際に３Ｄ空間内の平面に類似していることを理解すると、一実施形態では、３Ｄ空間は、指向性アンテナ３１２を適切な位置および向きに配置することによってゾーン４００に分割することができる。
Ｃ．例示のシステム
【０１１３】
一実施形態によれば、デバイス１１０の実際の相対位置をシステム１００において正確に識別することができる可能性を高めるために、いくつかの技術および構成が個別にまたは一緒に利用されることができる。例えば、本明細書に記載の実施形態の１つまたは複数の態様は、本明細書に記載の別の実施形態と共に実施することができる。他の実施形態に関連して説明された１つまたは複数の態様がいくつかの構成には存在しないことがあり得ることも理解されたい。このように、一実施形態によるシステム１００は、本開示の第１の実施形態からの任意の態様または特徴と、別の実施形態の任意の態様または特徴の両方を含み得る。
Ｃ．１  分散アンテナ接続／処理
【０１１４】
複数のアンテナ３１２を使用するとき、それらは１つまたは複数の送信機または受信機（例えば、電子システムコンポーネント２００）に接続されてもよい。電子機器の分散の有無は、機能上または経済上の利点を促進する可能性がある。例えば、単一のセットの電子機器に複数のアンテナ３１２を多重化することは、電子機器に関連する全体的な複雑さおよびコストを低減することができる。あるいは、特定の状況下では、例えばアンテナ３１２と関連する電子機器との間の接続が極端に長くなる可能性があるため、アンテナ３１２に接続される電子機器を分散させることが有益であり得る。
Ｃ．２  既知の外部ゾーンが有用である
【０１１５】
デバイス１１０がシステム１００の全ての検出ゾーン４００の外側に位置しているとき、有用な情報を得ることができる。例えば、デバイス１００が、ゾーン４００のいずれかの中に入るほど、機器１４０の一部に十分に接近して物理的に位置していない場合、デバイス１１０は、特定の作業を実行すること、または特定の機能にアクセスすることを許可され得ない。
【０１１６】
さらに、デバイス１１０がシステム１００の複数の検出ゾーン４００内に位置しているとき、有用な情報を得ることができる。例えば、デバイス１１０が仮想境界上またはその近くに位置する場合、システム１００は、デバイス１１０の位置が、未知、複数のゾーン内、以前に決定されたゾーン内、または、複数のゾーン内の存在を表す別のゾーン内（例えば、「合間」）、もしくはそれらの任意の組み合わせであると決定することができ、それらの各々は、特定の作業を実行すること、または特定の機能にアクセスするための異なる認可との結果になるかもしれない。
Ｃ．３  複合ゾーン
【０１１７】
一実施形態では、１つ以上のゾーン４００を重ね合わせて、複合ゾーン４０２を作成することができる。複合ゾーンは、図１６の図示された実施形態では、ゾーン４０２として示されているが、議論を容易にするために他の実施形態では複合ゾーン４０２をゾーン４００とみなすことができることを理解されたい。図１６の図示された実施形態では、２つの複合ゾーン４０２ＢＥ、４０２ＣＦが示されているが、それより多いまたは少ない複合ゾーンが実現されてもよい。
【０１１８】
デバイス１１０が複合ゾーン４０２内（複合ゾーン４０２を構成するすべてのゾーン４００内）で検出されるという確認を得ることは、デバイス１１０が実際にそこに位置しているとの可能性を高める。図示された実施形態では、複合ゾーン４０２ＢＥは、ゾーン４００Ｂとゾーン４００Ｅとの重なりによって形成される。複合ゾーン４０２ＣＲは、ゾーン４００Ｃとゾーン４００Ｆとの重なりによって形成される。
Ｃ．４  隣接アンテナの組み合わせによる追加のゾーン 
【０１１９】
図１７に示す一実施形態では、２つの空間的に相関する指向性アンテナ３１２、それらのアンテナボアサイトが互いに反対方向を向いているペアの構成を使用するのではなく、隣接するアンテナを１つのものとして組み合わせたアンテナ構成を実施してもよい。これにより、追加の機能性のために使用可能なゾーン形状４２０ＡＤ、４２０ＡＢ、４２０ＢＣ、４２０ＣＤを作り出すことができる。これらの構成間の変換は、アンテナへの信号の切り替えを使用することによって達成され得る。ゾーン形状４２０は、複合ゾーン４０２と同様に、議論を容易にするため他の実施形態ではゾーン４００とみなされうる。
【０１２０】
図１７の図示された実施形態では、例えば、図４に関連して説明した４つのゾーン（４００Ａ、４００Ｂ、４００Ｃ、４００Ｄ）の２組の指向性アンテナペアセンサ３１２Ａ、３１２Ｂ、３１２Ｃ、３１２Ｄを、上記のような構成間での切り換えによって、８ゾーンの２組の指向性アンテナペアセンサに拡張することができる。このように、センサ３１０は、８つのゾーン４００Ａ、４００Ｂ、４００Ｃ、４００Ｄ、４２０ＡＤ、４２０ＡＢ、４２０ＢＣ、４２０ＣＤを含むことができる。仮想境界４１０は、仮想境界４１０ＡＤ−ＢＣ、４１０ＡＢ−ＣＤを用いて、図１７の図示された実施形態に示すように、ゾーン形状４２０ＡＤ、４２０ＡＢ、４２０ＢＣ、４２０ＣＤによって定義することができる。
【０１２１】
一実施形態では、図示された実施形態は、上方向または下方向を向く追加のアンテナ３１２を組み合わせ、次いで（１つ、２つ、または３つのアンテナを選択することによって）センサ３１２を取り囲む領域の任意の区域にビームを向けることによって、３次元に拡張することができる。
Ｃ．５  ゾーンの組み合わせ
【０１２２】
アナログ回路を使用してアンテナ３１２を組み合わせること／切り替えることは、図１７に関連して説明した挙動をもたらす結果となり得る。２つ以上のアンテナ３１２をデジタルで組み合わせることは（例えば、最大、平均、変換などと、測定されたＲＳＳＩを使用することによって）、それらの対応するゾーン４００の、１つのより大きなゾーン４００への統合（組み合わせ）との結果をもたらし得る。
Ｃ．６  仮想境界の作成とゾーン決定
【０１２３】
仮想境界４１０は、複数の、空間的に相関するおよび／または同じ場所に（上述のように、適切な向きで）配置されたアンテナ３１２から受信した所定の信号の差分を介して作成されてもよい。一実施形態では、差分は、対向するアンテナ３１２を使用して得られる。しかしながら、差分は、１つ以上の物理的アンテナ３１２（例えば、隣接または対向）または仮想アンテナ３１２（例えば、複数の物理的アンテナ３１２を組み合わせることによって作成されるアンテナ）から取得されてもよい。例えば、対向するアンテナ３１２Ａおよび３１２Ｂから測定されたＲＳＳＩを使用して、ＲＳＳＩが４００Ａにおいてより高く、４００Ｂにおいてより低い場合（すなわち、４００Ａ−４００Ｂ＞０）、デバイス１１０はゾーン４００Ａに存在し、逆に、ＲＳＳＩが４００Ｂにおいてより高く、４００Ａにおいてより低い場合（すなわち、Ｂ−Ａ＞０）、ゾーン４００Ｂに存在するものとして、デバイス１１０はゾーン４００Ａまたはゾーン４００Ｂのいずれかにおいて検出され得る。さらに、任意の所与のアンテナ３１２に対して、最小および／または最大閾値を利用して、メインローブ３１４に対するバック／サイドローブ３１６、３１８を克服し、（デバイス１１０がゾーン４００内にあるが遠く離れているか、近くではあるがゾーン４００の外側にあるかは不明であるので）、デバイス１１０がゾーン４００内に存在するという信頼性を提供してもよい。同様に、任意の所与のアンテナペア３１２について、デバイス１１０が一方のゾーン４００または他方のゾーン４００内にあるという信頼性を提供するために、最小差が利用されてもよい（例えば、満たされない場合、ゾーン４００は未知として報告されてもよい）。デバイス１１０がどのゾーン４００にも存在しない場合、デバイス１１０はゾーン４００の範囲外にあるか、またはゾーン４００の間（例えば、境界内）にある。フィンガープリンティング、三辺測量、三角測量（粗いまたは細かい）、ヒステリシスなどを含む、特定のゾーン４００に存在すると示される、デバイス１１０をより正確に位置決めする（および／またはより高い精度／信頼性を提供する）ために追加の技法を使用することができる。ＲＳＳＩの代わりに、どこか別の場所を示すものとして、仮想境界（差分）手法を用いて、デバイス１１０が位置するゾーンを決定するための他の技法が使用されてもよい（例えば、デバイス１１０が特定のゾーン４００内にいる確率を計算するなど）。精度を向上させるために、ＲＳＳＩと代替案とが組み合わされてもよい（例えば、ＲＳＳＩ＋確率）。
【０１２４】
上記に加えて、デバイス１１０が移動するときにシステム１００を通じてデバイス１１０を追跡する際、可能なゾーン４００のセットから、不当なゾーン遷移の可能性を除去または低減するため、時間または数値ベースのヒステリシス、経時的最大変化、加速度／速度／ステップのカウント、隣接行列などの技術を採用してもよい。
【０１２５】
他に記載されているように、デバイス１１０を特定のゾーン４００に分離するために、（仮想境界４１０を生成しないセンサ３１０であっても）複数のセンサ３１０が組み合わされてもよい。追加の技術を使用して、デバイス１１０は特定のゾーン４００内でより正確に位置決めされてもよい。
Ｃ．７  バックグランド電力の減算
【０１２６】
一実施形態では、特定のマイクロロケーションシステム１００の一部となり得る送信機以外にも多数の送信機が存在する（例えば、特定のエリア内の多数のＷｉ−Ｆｉ対応ラップトップがあったり、部屋には多数のＢＬＥデバイスがあったりするなど）。これらの送信機は、特定のデバイス１１０についてのＲＳＳＩが測定されている間に信号を送信（または漏洩）するかもしれず、その結果、他の送信機に起因して、測定されたＲＳＳＩに変動が生じる可能性がある。この変動を低減するために（したがって、測定の正確性および精度を高めるために）、測定されたバックグランド電力を測定されたＲＳＳＩから差し引いてもよい。バックグランド電力は、任意の適切な単位（例えば、ワット）で測定され、標準的な数学的関係（例えば、電力＝１０Ａ［ｄｂ／１０］、ｄｂ＝ｌｏｇ１０（電力）*１０など）を用いてＲＳＳＩ単位（例えば、ｄＢ）に／から変換され得る。ＲＳＳＩが電力に変換され、次いで、ＲＳＳＩ単位に戻る前に、バックグランド電力が加算され、減算され、平均化され、変換され（例えば、確率分布または推定など）、および／またはフィルタリングされ（時間／値ベースのヒステリシスを含む）、またはこれらの任意の組み合わせが行われ、もしくは、必要に応じて他の技法が用いられる。あるいは、バックグランド電力がＲＳＳＩ単位に変換され、次いで加算され、減算され、平均化され、変換され（例えば、確率分布または推定など）、および／またはフィルタリングされ（時間／値ベースのヒステリシスを含む）、またはこれらの任意の組み合わせが行われ、もしくは、必要に応じて他の技法が用いられてもよい。バックグランド電力は、信号が受信される前、最中、および／または後に１回以上測定されてもよい。そして、それらの測定値は、バックグランド電力を得るために、平均化され（例えば、すべての時間／起動後、移動［線形、指数など］など）、最小最大化され（例えばピークホールド）、外れ値／矛盾値を除去するためにフィルタ処理され（時間／値ベースのヒステリシスを含む）、変換され（例えば、確率分布または推定など）、またはこれらの任意のくみあわせ、あるいは他の技法が行われてもよい。
【０１２７】
バックグランド電力測定値／推定値は、（上記の任意の組み合わせまたは他の方法を使用して）センサまたはシステム全体のバックグランド電力測定値を決定するためにアンテナ／センサにわたって共有または配信されてもよく、それは、個別のアンテナまたはセンサのバックグランド電力測定値と併せて、または代わりに使用される。
Ｃ．８  信頼できないＲＳＳＩ測定値を識別するためのバックグランド電力の使用
【０１２８】
ＲＳＳＩの測定およびバックグランド電力の観測を伴う信号の受信時に、バックグランド電力が、絶対値的に（例えば、バックグランドＲＳＳＩがＸより大きい、Ｙより小さい、ＸからＹの外部にある、またはＸからＹの内部にあるなど）または相対値的に（例えば、測定されたＲＳＳＩとバックグランドＲＳＳＩとが近すぎる、または遠すぎるなど）、所定の閾値または範囲から外れている場合、測定されたＲＳＳＩが無視されたり、より関連があるとみなされたり、または、より関連が低いとみなされてもよい。例えば、関連性は、１つまたは複数の測定値に関連付けられる１つまたは複数の重みを増減することによって、ゾーンの判定または位置特定／位置決めアルゴリズムに反映されてもよい。
Ｃ．９  マルチパス変動を緩和するための複数測定値の使用
【０１２９】
ＲＳＳＩ、および複数のアンテナからの信号強度を比較することに基づくＡｏＡは、マルチパス干渉（フェージングとも呼ばれる）によって、当然、損なわれる可能性がある。フェージングは、反射面および／または遮断面の存在によって、信号源からの信号が複数の経路を辿った結果である。図４４は、アパーチャが波長のサイズに対して意味の有る範囲（おそらく１０波長）にわたって移動する、小領域におけるフェージングの特性を示す。フェージングは、アンテナパターンで矯正されないように信号強度を変化させることがあり、そのため、実際の信号が理想的な受信信号強度から逸脱すると、ＲＳＳＩおよびＡｏＡ技法はエラーを示すことがある。本開示による一実施形態は、信号特性（例えば、受信電力、角度、飛行時間など）に影響を及ぼし得るフェージングおよび他の環境の影響を軽減するために、単独でまたは互いに組み合わせて２つの方法を使用することができる。例えば、送信機から受信機へ受信電力を変化させる可能性がある環境のいくつかの特性は、限定されるわけではないが、ａ）受信機に向かうラインの、送信機で測定される姿勢座標（方位、ピッチ、ロール）における方位（すなわち、アンテナ利得パターンおよび偏波パターンに起因する）、ｂ）送信機に向かう、受信機で測定される方位座標（方位、ピッチ、ロール）における方位（すなわち、アンテナ利得パターンおよび偏波パターンに起因する）、ｃ）送信機および受信機におけるアンテナ利得の周波数変動、ｄ）デバイス間の経路内にある物体による減衰、ｅ）アンテナを離調させる、アンテナの近距離場にある物体（例えば、手、財布など）による減衰、f）電力を反射し導く物体（例えば、近くの壁、天井、車など）、これらの物体のいくつかは動く（例えば、自動車のドア、ガレージのドアなど）、ｇ）それぞれ破壊的または建設的干渉を引き起こす物体からの反射による、特定の狭い場所で特定の周波数での高速フェージングまたはスパイク、ｈ）ＲＦが物体の周りを曲がるときの回折、を含む。
【０１３０】
図４５に示すように、多くのフェージングされる信号の特性は、レイリー確率関数にほぼ従う。
Ｃ．９．ａ  低相関チャネルの結果を組み合わせることによるマルチパス緩和
【０１３１】
マルチパスは、低い相関を有する信号からの結果を組み合わせることによって軽減することができる。本開示は、無線チャネル間でフェージングを相関解除するのに十分に広い周波数間隔を有する送信信号からの信号強度比較の結果を組み合わせる方法を提供する。これは、相関帯域幅よりも広いチャネル間隔を有すると言われる。例えば、ＢＬＥを用いると、様々なチャネルにわたって得られる測定結果を組み合わせることができる。
Ｃ．９．ｂ  低相関偏波チャネルの結果を組み合わせることによるマルチパス緩和
【０１３２】
低相関チャネルの結果を組み合わせることによる緩和と同様に、同じ場所に配置されているが低い偏波相関を有するアンテナ３１２を使用することによって相関を低減することができる。複数の偏波を組み合わせる１つの方法は、対向する端（送信または受信）で線形偏波にて受信または送信アパーチャに円偏波を使用することである。
Ｃ．９．Ｃ  低相関チャネルからの結果を組み合わせる方法
【０１３３】
マルチパスフェージングは、レイリーと呼ばれる確率分布に従う（図４５に示す）。理解され得るように、単一の信号強度測定値が非常に小さい確率は、典型的な信号強度を測定する確率と比較して小さい。しかし、フェージングによる信号強度の非常に大きな潜在的な変動があるので、単一の測定値には大きな誤差が生じる可能性がある。したがって、本開示の一態様は、精度を向上するために一連の低相関測定値を使用する。低相関は、周波数または偏波を用いて達成することができる。組み合わせは、以下の各方法で、単独でまたは組み合わせて行うことができる。
・方法１−ピークホールド
【０１３４】
この方法では、ピーク受信信号が、ある範囲の時間にわたって保持される。根底にある理論は、フェージングされる信号のピークは単一の値であるということである。この方法は、計算上複雑であるとは考えられないが、発生する可能性が低い、図らずもピーク振幅を持つ信号を受信することに依存する。
・方法２−加重時間（移動）平均
【０１３５】
測定値を組み合わせることは、ある期間にわたって測定値を取ることを含み得る。そのため、より間近の測定値は概してより関連性がある。それ故、より間近の測定値に対してより高い重みを与える、信号の加重平均を使用することは、マルチパスフェージングを軽減することを促進し得る。これは、好ましくは指数関数的な重み減少または潜在的に線形的な重み減少のいずれかとして行うことができる。ＢＬＥを使用する一実施形態では、すべてのチャネルにわたる測定値は、重み付けが、固定される、いくつかの測定間隔（例えば、最新のＮ個の有効測定値）またはある期間にわたって受信された有効測定値の数の関数である、いくつかの測定間隔またはある期間にわたる、互いに対する、または測定値の現在の平均に対する変動性もしくは一貫性の関数である、現在の平均の関数である、またはそれらの任意の組み合わせである、指数移動平均を使用して組み合わされる。
・方法３−確率関数の推定 
【０１３６】
一連の測定値を取ることによって、レイリー関数を推定することができる。この方法は方法１の潜在的な弱点を克服することができるが、より多くの測定値を利用する場合がある。測定値の数を増やすと、推定の精度が向上する。
【０１３７】
例えば、組み合わされた方法は、推定またはピークホールドに使用される、より最近の測定値をより重く重み付けすることができる。
・方法４−他の方法
【０１３８】
測定値を組み合わせるために、上記および下記の方法とは別に、またはそれらと組み合わせて、他の方法を使用することができる。例えば、測定値は、より単純なアプローチ（瞬間的、または仮想境界生成およびゾーン決定の説明に関連して説明された方法）、またはフィンガープリンティング、粒子フィルタ、カルマンフィルタ、時間および／または値ベースのヒステリシス、経時的最大変化、または他のアルゴリズムなどの、より高度なアプローチの一部として組み合わせることができる。
【０１３９】
加えて、加速度／速度／ステップのカウント、超音波、および既知の近接度（すなわち、ＵＩインタラクション（例えば、ボタン押下）での測定値はＸであるので、Ｙではありえない、など）のような特定の測定の正確さにおける信頼性をさらに提供するために、上述したことが、他のシステムレベルの組み合わせアプローチと組み合して使用されてもよい。
【０１４０】
環境の影響のために、アンテナ３１２からの出力が無効であるか欠落しているため、１つまたは複数のアンテナ３１２からの信号特性が決定されない可能性がある。しかしながら、他のアンテナ３１２からの信号特性が決定されてもよい。１つまたは複数の信号特性が１つまたは複数のアンテナ３１２から欠落／無効である場合、システム１００は、他の信号特性から導出されない欠落／無効信号特性ごとに、（ａ）対応する出力信号を更新しない（例えば、平均、移動平均、指数移動平均、最大、最小など）、（ｂ）出力信号を更新しないが、欠落読取り値インジケータをインクリメントし、欠落読取り値インジケータが閾値に達すると（例えば、２０を超える測定値の欠落）、出力信号を無効として記録する、（ｃ）デフォルト値で出力信号を更新する、（ｄ）デフォルト値で出力信号を更新するが、欠落読取り値インジケータをインクリメントし、欠落読取り値インジケータが閾値に達すると（例えば、２０を超える測定値の欠落）、出力信号を無効として記録し、即座にデフォルト値を用いて、または、いくつかの測定間隔にわたって出力信号をデフォルト値に傾斜させる、および／または（ｅ）対応する出力信号を無効として記録する、ことを選択してもよい。１つまたは複数の信号特性が１つまたは複数のアンテナ３１２から欠落／無効である場合、システム１００は、１つまたは複数の他の信号特性（例えば、差分、距離、飛行時間など）から導出される欠落／無効信号特性ごとに、（ａ）導出される信号特性を決定するために、欠落／無効信号特性に対応する現在の出力信号を使用する、（ｂ）導出される信号特性を決定するために、欠落／無効信号特性に対応する最後の既知の信号特性値を使用する、および／または（ｃ）欠落／無効信号特性に対応する導出信号特性の出力信号を更新しない（非導出信号特性の出力信号について上述した方法のいずれかで、例えば、出力信号の更新が行われなかったいくつかの間隔の後、出力信号は無効と記録されてもよい）、ことを選択してもよい。上記の組み合わせが与えられると、出力信号により、システム１００はさらに、信号特性が欠落しているまたは無効である期間中に、携帯デバイス１１０の位置を決定し続けること、または携帯デバイス１１０の位置を決定できないことを適切に示すことができる。
Ｃ．９．ｄ  空間的に低相関のチャネルを使用したマルチパス緩和
【０１４１】
この方法は、それぞれの受信信号強度において低い相関を有するのに十分に広く間隔が空けられた別々のアパーチャ（アンテナ３１２）を使用することができる。これは空間ダイバーシティとも呼ばれる。本開示のこの実施形態は、実質的に同じ領域をカバーするアパーチャについての複数の信号強度の組み合わせを使用することができる。換言すると、受信可能範囲が重なる。この方法の冗長性は、例えば、上記の方法２または３を使用して、より信頼性が高いと推定される重み付け結果に基づいて位置の推定値を構築することによって、当然、誤差を低減することができる。
Ｃ．９．ｅ  １つ以上の伝播方向を持つ単一のアパーチャの使用
【０１４２】
本開示の一態様は、異なるアパーチャから受信された信号振幅を比較することによってＲＳＳＩ測定値、または信号の到着方向を決定することである。２つの異なるアパーチャからの信号強度は、アパーチャが空間的に隔てられるにつれて相関しなくなる可能性がある。これを基礎とし、２つのアパーチャが同じ空間を占めることができる場合、空間的非相関は最小化されるかまたは減少され得る。これを達成する１つの方法は、（ダイポールアンテナのような）個別の放射器のセットを使用し、それらを異なる位相を使用して同時に電気的に組み合わせることである。例えば、図４６の図示された実施形態に示すように、２つのアンテナを１／４波長だけ離し、０／９０度および９０／０度で同時に給電することができる。これは、図４７の図示された実施形態に示されるように、２つの異なるパターンをもたらし得る。
【０１４３】
この実施形態は、より多くのアンテナ３１２およびより多くの位相制御を追加することによって、４象限以上での舵取りを達成するように拡張することができる。
Ｃ．９．ｆ  距離測定/測距
【０１４４】
ＲＳＳＩは、特定の受信機からの距離を概算（測距）するために使用されてもよい。距離が増加するにつれて距離推定値はより不正確となるので、範囲（距離）は、計算された誤差限界（例えば、−５０％／＋１００％）と共に伝送されてもよい。（従来の飛行時間を使用する、ＲＳＳＩの使用に適合された、ＡｏＡの使用に適合された、またはこれらの任意の組み合わせである、あるいは他の方法を使用する）距離制限のある信頼できない（認証されていない）デバイスのような、確実な距離測定方法が使用されてもよい。加えて、（例えば、中心、エッジなどから）既知の点までのゾーン距離もまた、距離を概算するために使用されてもよい。追加の技法が、同様に距離測定のために使用されてもよく、より高いロバスト性、正確性、および／または精度を達成するために組み合わされてもよい（例えば、三辺測量、三角測量、飛行時間など）。
【０１４５】
確実なマイクロロケーションおよび／または距離を配信するために、システムの１つまたは複数の態様は、２０１６年１０月２７日に出願され、「デバイスを認証および認可するための、および／またはキーを配布するためのシステムおよび方法」と題する、Smithらの米国仮特許出願第６２／４１３９６６号、および２０１７年１０月２７日に出願され、「デバイスを認証および認可するためのシステムおよび方法」と題する、Smithらの米国特許出願第１５／７９６１８０号に記載されたセキュリティモデルの１つまたは複数の態様と併せて実施されてもよく、それらの開示は、全体が参照により本明細書に組み入れられる。
Ｃ.１０  到着角度（ＡｏＡ）
【０１４６】
到着角度（ＡｏＡ）の測定は、アンテナアレイ３１２に入射する無線周波の伝播方向を決定するための方法である。ＡｏＡは、アレイ３１２の個々のエレメントにおいて到着時間差（ＴＤＯＡ）を測定することによって方向を決定することができる。それらの遅れ時間から、ＡｏＡを計算することができる。送信された信号の到着角度を決定することができるフェーズドアンテナまたはマルチエレメントアンテナ３１２（無指向性または指向性）を用いて、三角測量などの技法が、デバイス位置情報を補足するために使用され得る。（複数のセンサ３１０にわたって測定されるように）きめ細かい到着角度測定を用いることで、より正確な位置決めが決定され得る。
【０１４７】
多くのＲＦ環境は非常にノイズが多く（例えば、２．４ＧＨｚスペクトル）、したがって、受信されたＡｏＡもまた非常にノイズが多い可能性がある。ゾーン情報と組み合わされる（または組み合わされない）と、三角測量位置の正確さについてのさらなる信頼性が一致をもって得られるかもしれない。追加の位置決め情報は、システム１００がより正確にゾーン４００内のデバイス１１０の位置を決定することを可能にし得る。
【０１４８】
さらに、送信機は、ビーム操作を使用して、そのアンテナ３１２の指向性を調整することが可能であってもよい。これは、より正確な測位を可能にするように、受信機において特定のパターンにＡｏＡを変更するために行われてもよい。さらに、受信機は、同様の目的のために、同様の方法でそのアンテナ３１２の指向性を調整してもよい。
Ｃ.１１  粗い到着角度（ＡｏＡ）
【０１４９】
センサアンテナ３１２の本来の位置決めを利用することによって、粗い到着角度方式が実施されてもよい。例えば、１組の指向性アンテナ３１２ペア（２つのゾーン）は１８０度の到着角度測定精度を提供することができる。２組の指向性アンテナ３１２ペア（４ゾーン）は９０度の到着角測定精度を提供することができ、４組の指向性アンテナ３１２ペア（８ゾーン）は４５度の到着角測定精度を提供することができる。これを粗いＡｏＡアプローチと扱うことで、システムは特定のデバイスがどのゾーンに存在するかを判定することができる。きめ細かいＡｏＡと同様に、例えば、粗いＡｏＡが、三角測量と同様のプロセスを使用して、デバイス１１０がどのゾーン４００（重複フィールド）に存在するかを決定する、本システム１００とともに、三角測量がデバイス１１０を位置決めするために使用されてもよい。
Ｃ．１２  円偏波
【０１５０】
一実施形態では、システム１００は、直線偏波アンテナ３１２を使用してもよい。そのようなアンテナ３１２は小型であると考えられる。現実の状況では、信号はあらゆる種類のもので反射して、アンテナ３１２が最終的に低下した強度で信号を受信することを可能にする（理論的には、線状の水平偏波送信は線状の垂直偏波アンテナによって受信されない）。その結果、直線偏波受信機アンテナ３１２は、送信機の向きに応じて非常に異なる性能を発揮する可能性があり、これはシステム１００がＲＳＳＩ、ＡｏＡ、および／または他の属性を正確かつ一貫して測定する能力に影響を及ぼす可能性がある（人またはデバイスが動き回ったり、誰かの手で向きを変えられたりするので）。
【０１５１】
円偏波アンテナ３１２は、送信機の向きにそれほど依存せず、ＲＳＳＩ、ＡＯＡ、および／または他の属性のより正確で一貫した測定を可能にする。
【０１５２】
本明細書に記載の一実施形態によるシステム１００は、円偏波アンテナ３１２を利用してもよい。しかしながら、それらは直線偏波アンテナ３１２も使用することができる。さらに、確立されたシステム目標に応じて、他の偏波が利用されてもよい。
Ｃ．１３  環境の幾何学的形状と素材
【０１５３】
アンテナ３１２が配置される環境の物理的な幾何学的形状は、それらの放射パターンに影響を及ぼし、したがってそれらが生成するゾーン４００に影響を与える。多くの場合、これは利点となる可能性があり、アンテナ３１２が配置されるものの形状および素材によって、複雑なゾーン形状４００が形成されることを可能にする（例えば、自動車の金属シェル、または机の表面の緻密材料を使用など）。
Ｃ．１４  環境と障害物の特定
【０１５４】
システム１００内の様々なアンテナ３１２および／またはセンサ３１０で検出される、測定されたＲＳＳＩおよびバックグランド電力パターンは、システム１００がその環境または環境内の障害物を検出し、その位置決めアプローチを変更することを可能にし得る。例えば、システム１００は、デバイス１１０が既知の場所（車両ドアハンドルなど）に存在するという知識を与えられ、アンテナ３１２Ａ、３１２Ｂ、３１２Ｃ、および３１２ＤからのＲＳＳＩ測定値を与えられると、３１２Ａ、３１２Ｂ、および３１２Ｃは高く、３１２Ｄは低いので、３１２Ｃが低くなると予想されるとき、近くに別の車両がいると判定する。例えば、バックグランドノイズが非常に高い可能性があり、したがって、システム１００は、高ノイズ環境に最適化された代替の位置決めアルゴリズムに切り替えることができる。
Ｄ．追加の実施形態
【０１５５】
以下の実施形態では、送信機、受信機、アンテナ３１２、およびデバイス１１０のうちの任意の１つまたは複数が、固定された場所または携帯可能な場所にあってもよい。
【０１５６】
上述され、以下の実施形態で示される方法およびシステムはそれぞれ、以下を含むがこれらに限定されない複数の方法を使用して実施することができる。
・ＢＬＥを使用する実施形態。
・ＢＬＥとＲＳＳＩを使用する実施形態。
・ＢＬＥ、ＲＳＳＩ、および三辺測量を使用する実施形態。
・ＢＬＥ、ＲＳＳＩ、三辺測量、および三角測量を使用する実施形態。
・ＢＬＥ、ＲＳＳＩ、三辺測量、三角測量、および到着時間を使用する実施形態。
・ＵＷＢを使用する実施形態。
・ＢＬＥとＵＷＢを使用する実施形態。
・ＢＬＥおよびＮＦＣ（近距離無線通信）を使用する実施形態。
・ＢＬＥとＬＦ（低周波）を使用する実施形態。
・ＢＬＥとＬＦとＮＦＣを使用する実施形態。
・マイクロロケーションシステムに関連する、上記すべて、およびすべてのバリエーション。
・さらに、本明細書に記載の、および２０１６年４月１５日に出願され、「リアルタイムロケーションを確立するためのシステムおよび方法」と題する、Stittらの米国仮特許出願第６２／３２３２６２号、ならびに２０１７年４月１４日に出願され、「リアルタイムロケーションを確立するためのシステムおよび方法」と題する、Stittらの米国特許出願第１５／４８８１３６号の開示に記載されているような１つまたは複数の実施形態に従って、傍受マイクロロケーションシステムが実施されてもよい。これらの開示は、その全体が参照により本明細書に組み入れられる。
・確実なマイクロロケーションをおそらく使用しているさらなる例は、２０１６年１０月２７日に出願され、「デバイスを認証および認可するための、および／またはキーを配布するためのシステムおよび方法」と題する、Smithらの米国仮特許出願第６２／４１３９６６号、および２０１６年４月１５日に出願され、「リアルタイムロケーションを確立するためのシステムおよび方法」と題する、Stittらの米国仮特許出願第６２／３２３２６２号に記載される１つまたは複数の実施形態に基づくものであってもよい。これらの開示は、その全体が参照により本明細書に組み入れられる。
Ｄ．１  エネルギーアクセスの実施形態
【０１５７】
一実施形態は、エネルギーアクセスポイントに近接したデバイス１１０の検出を可能にし得る。エネルギーアクセスポイントは、移動しても固定位置にあってもよい。例えば、電気自動車充電ステーションは、エネルギーアクセスポイントを含んでもよい。エネルギーアクセスポイントのユーザは、エネルギーアクセスポイント内またはその近くに配置されたアンテナを有する１つのセンサ３１２または複数のセンサ３１２によって作成された１つのゾーン４００または複合ゾーン４０２内でデバイス１１０を移動させるかもしれない。１つまたは複数のセンサ３１２によるデバイス１１０の存在の認識により、例えば、接続ポイントへの物理的アクセス、エネルギー分配の調整、電気回路または取出口の有効化または無効化、ターゲットマーケティングなどの、エネルギーアクセスポイントに関連する特定の機能を実行することをユーザに許可することができる。エネルギーアクセスポイントに関連する追加のユーティリティまたはアメニティは、同様の方法で有効または無効にすることができる。
Ｄ．２  データアクセスの実施形態
【０１５８】
一実施形態は、データアクセスポイントに近接したデバイス１１０の検出を可能にし得る。データアクセスポイントは、移動しても固定位置にあってもよい。例えば、電気自動車充電ステーションは、データアクセスポイントを含んでもよい。データアクセスポイントのユーザは、データアクセスポイント内またはその近くに配置されたアンテナを有する１つのセンサ３１２または複数のセンサ３１２によって作成された１つのゾーン４００または複合ゾーン４０２内でデバイス１１０を移動させるかもしれない。１つまたは複数のセンサ３１２によるデバイス１１０の存在の認識により、例えば、接続ポイントへの物理的アクセス、データ／情報へのアクセスの調整、ターゲットマーケティングなどの、データアクセスポイントに関連する特定の機能を実行することをユーザに許可することができる。データアクセスポイントに関連する追加のユーティリティまたはアメニティは、同様の方法で有効または無効にすることができる。
Ｄ．３  ドアマイクロロケーションの実施形態
【０１５９】
１つ以上のゾーン４００、複合ゾーン４０２、または仮想境界４１０を使用して、ドアのどちら側に（どちらかであれば）デバイス１１０が配置されているかを判定することができる。ドアは、手動または自動操作、単一パネル、組み合わせまたはローラー構造、およびヒンジ式、スライド式または軌道移動式を含むことを意味する。ゾーン４００または複合ゾーン４０２を形成するアンテナ３１２は、ドアロック内に埋め込まれ、ドア自体に固定され、またはドアの近くの天井および壁またはドア周囲のトリムのような、ドアの近くの関連構造に固定されてもよい。デバイス位置情報は、ドアの施錠、開錠、開閉、非移動、ならびに出入口のターゲットマーケティングなどを通じてデバイス１１０の相対移動の記録などを制御するために使用されてもよい。そのような構成の例は、壁１４１および閉じた位置にあるドア１４２を含み、２つのゾーン４００に対して物理的境界４１１を形成する、図１５の図示された実施形態に示されている。
【０１６０】
自動ガレージドアの一実施形態は、自動車（デバイス）および携帯電話（デバイス）がドアに近接していると判定された場合、またはそれらの何らかの組合せである場合に、ガレージドアの開放をトリガしてもよい。
Ｄ．４  作業面マイクロロケーションの実施形態
【０１６１】
一実施形態は、作業面に近接したデバイス１１０の検出を可能にし得る。作業面は、移動しても固定位置にあってもよく、任意の形状でもよく、水平でも水平から任意の角度でもよい（例えば、机、製図台、ホワイトボードなど）。例えば、机にはしばしば作業面が含まれる。作業面のユーザ１０は、作業面内または近くに（例えば、左、右、上、下、正面、背後、面上、内部、近く、遠くなど）配置されたアンテナ３１２を有する１つまたは複数のセンサ３１０によって作成された１つのゾーン４００または複合ゾーン４０２内でデバイス１１０を移動させるかもしれない。１つまたは複数のセンサ３１２によるデバイス１１０の存在の認識により、例えば、作業面位置の物理的調整（例えば、高さ、傾きなど）、作業面の使用の記録（存在および／または期間）、デバイス（およびそのユーザ１０）の位置特定の援助、ターゲットマーケティングなどの、作業面に関連する特定の機能を実行することをユーザに許可することができる。作業面に関連する追加のユーティリティ（電力またはデータアクセス）またはアメニティ（例えば、照明、ディスプレイ、サウンド、または制御装置へのアクセスなど）は、同様の方法で有効または無効にすることができる。
Ｄ．５  家具のマイクロロケーションの実施形態
【０１６２】
一実施形態は、一点の家具に近接したデバイス１１０の検出を可能にし得る。家具は移動しても固定位置にあってもよい。一実施形態では、１つまたは複数のゾーン４００、複合ゾーン４０２、または仮想境界４１０を使用して、デバイス１１０が一点の家具に近接して配置されている（例えば、左、右、上、下、正面、背後、家具上、内部、近く、遠くなど）かを判定することができる。家具のユーザ１０は、家具内または近くに配置されたアンテナ３１２を有する１つまたは複数のセンサ３１０によって作成された１つのゾーン４００または複合ゾーン４０２内でデバイス１１０を移動させるかもしれない。１つまたは複数のセンサ３１０によるデバイス１１０の存在の認識により、例えば、家具１０への物理的アクセスまたは家具の調整、家具の使用の記録（存在および／または期間）、デバイス（およびそのユーザ１０）の位置特定の援助、ターゲットマーケティングなどの、家具に関連する特定の機能を実行することをユーザ１０に許可することができる。家具に関連する追加のユーティリティ（電力またはデータアクセス）またはアメニティ（例えば、照明、ディスプレイ、サウンド、またはコントロールへのアクセスなど）は、同様の方法で有効または無効にすることができる。
【０１６３】
家具における使用のいくつかの追加の例は、座席の決定を目的とした座席案内（私は正しい座席にいるか、または私の座席はどこか）、入場許可（タグをスキャンするのとは対照的に、テーマパークを含む）、特定のデバイスがどこに位置しているか（例えば、相談のため病院内で、食料品配達のためスポーツイベントで、注文配達のためレストランで、待ち行列システムで使用する顧客位置のため小売店などでの、注文履行、ユーザ位置）など、スタジアム／劇場／会議／イベント／レストラン／病院／その他への適用を含む。
Ｄ．６  個人用閲覧室、個人用小室、小仕切スペース、避難小屋、キオスクなどのマイクロロケーションの実施形態 
【０１６４】
一実施形態では、１つまたは複数のゾーン４００、複合ゾーン４０２、または仮想境界４１０を使用して、デバイス１１０が、個人用閲覧室、個人用小室、小仕切スペース、避難小屋、キオスクなどの特定のゾーン４００の内部、外部、または内側にあるかを判定することができる。個人用閲覧室、個人用小室、小仕切スペース、避難小屋、キオスクなどのユーザ１０は、個人用閲覧室、個人用小室、小仕切スペース、避難小屋、キオスクなどの内部もしくは近くに配置されたアンテナ３１２を有する１つまたは複数のセンサ３１０によって形成される１つのゾーン４００または複合ゾーン４０２内でデバイス１１０を移動させるかもしれない。１つまたは複数のセンサ３１２によるデバイス１１０の存在の認識により、例えば、個人用閲覧室、個人用小室、小仕切スペース、避難小屋、キオスクなどへの物理的アクセスまたはそれらの調整、ターゲットマーケティングなどのような、個人用閲覧室、個人用小室、小仕切スペース、避難小屋、キオスクなどに関連する特定の機能を実行することをユーザ１０に許可することができる。個人用閲覧室、個人用小室、小仕切スペース、避難小屋、キオスクなどに関連する追加のユーティリティ（電力またはデータアクセス）またはアメニティ（照明、ディスプレイ、サウンド、または制御装置へのアクセスなど）は、同様の方法で有効または無効にすることができる。
【０１６５】
個人用閲覧室、個人用小室、小仕切スペース、避難小屋、キオスクなどにおける使用のいくつかの追加の例は、入場許可の目的のため（タグをスキャンするのとは対照的に、テーマパークを含む）、スタジアム／劇場／会議／イベント／レストラン／病院／テーマパーク／その他への適用を含む。
Ｄ．７  部屋のマイクロロケーションの実施形態
【０１６６】
一実施形態では、１つまたは複数のゾーン４００、複合ゾーン４０２、または仮想境界４１０を使用して、デバイス１１０が部屋の内側、外側、あるいは部屋の内側または外側の特定のエリア内にあるかどうかを判定することができる（例えば、映画館の鑑賞室、空港、ホテル、またはリゾートの特定の施設／部屋へのアクセス、特定の会議室または事務所など）。部屋のユーザ１０は、部屋の中または近くに配置されたアンテナ３１２を有する１つまたは複数のセンサ３１０によって形成される１つのゾーン４００または複合ゾーン４０２内でデバイス１１０を移動させるかもしれない。１つまたは複数のセンサ３１２によるデバイス１１０の存在の認識により、例えば、部屋にアクセスすること、および、部屋への物理的アクセスまたはその調整、存在しているユーザに基づく部屋内の機器の自動カスタマイズ、ターゲットマーケティングなどのような、部屋に関連する特定の機能を実行することをユーザ１０に許可することができる。部屋に関連する追加のユーティリティ（電力またはデータアクセス）またはアメニティ（例えば、照明、ディスプレイ、サウンド、または制御装置へのアクセスなど）は、同様の方法で有効または無効にすることができる。
Ｄ．８  マイクロロケーションを構築する実施形態
【０１６７】
一実施形態では、１つまたは複数のゾーン４００、複合ゾーン４０２、または仮想境界４１０を使用して、デバイス１１０が建物の内側、外側、あるいは建物の内側または外側の特定の領域内にあるかどうかを判定することができる。建物のユーザ１０は、建物の中または近くに配置されたアンテナ３１２を有する１つまたは複数のセンサ３１０によって作成される１つのゾーン４００または複合ゾーン４０２内でデバイスを移動させるかもしれない。１つまたは複数のセンサ３１０によるデバイス１１０の存在の認識により、例えば、建物にアクセスすること、および、建物の制御パネルへの物理的アクセスまたは調整、ターゲットマーケティングなどのような、建物に関連する特定の機能を実行することをユーザに許可することができる。建物に関連する追加のユーティリティ（電力またはデータアクセス）またはアメニティ（例えば、照明、ディスプレイ、サウンド、または制御装置へのアクセスなど）は、同様の方法で有効または無効にすることができる。
Ｄ．９  機器マイクロロケーションの実施形態
【０１６８】
一実施形態は、機器に近接したデバイス１１０の検出を可能にし得る。機器は、機械式、電気機械式、または電気式の、手動、半自動、または自動の機器（例えば、消費者向け電気製品[トースター、ブレンダー、アウトレット、ライトスイッチ、備品など]）、家電製品[電子レンジ、オーブン、食洗機、洗濯機、乾燥機、運動器具など]、産業用/農場用/重機用機器[トラクター、コンバイン、コンベヤーなど]、安全な収納ボックスおよびロッカー、工具[チェーンソー、バックホー、ラジオなど]、およびアクセスを許可したり、デバイスで制御したりするすべてを含むより多くのもの）を含むことを意味する。機器は、機器と組み合わせて使用されるあらゆる制御装置（ボタン、スイッチ、ノブ、レバーなど）を含む。機器は、機器に情報を提供する任意のセンサを含む。機器は、機器によって制御される任意のアクチュエータを含む。機器は、移動しても固定位置にあってもよい。
【０１６９】
一実施形態では、１つまたは複数のゾーン４００、複合ゾーン４０２、または仮想境界４１０を使用して、デバイス１１０が機器の近くに配置されているかどうかを判断することができる。機器のユーザは、機器の中または近くに配置されたアンテナ３１２を有する１つまたは複数のセンサ３１０によって作成される１つのゾーン４００または複合ゾーン４０２内でデバイス１１０を移動させるかもしれない。１つまたは複数のセンサ３１２によるデバイス１１０の存在の認識により、例えば、機器への物理的アクセス、機器の起動、操作または調整など、機器に関連する特定の機能を実行することをユーザに許可することができる。
Ｄ．１０  車内マイクロロケーションの実施形態
【０１７０】
一実施形態では、図１９の図示された実施形態に示すように、システム１００は車両５００と組み合わせて実装されてもよい。車両５００は、内部空間５０２またはキャビン、前方部５０６、および後方部５０８を含み得る。図示の実施形態では、車両５００の内部空間５０２は、４つの領域またはゾーン４００、すなわち、左前席ゾーン５１０ＦＬ、右前席ゾーン５１２ＦＲ、右後席ゾーン５１６ＲＲ、および左後席ゾーン５１４ＲＬとして概念化され得る。用途に応じて、内部空間５０２は異なって概念化されてもよく、または存在しなくてもよい。内部空間はステアリングホイール５２０を含み得る。
【０１７１】
車両の使用により、本開示は、ワゴン、自転車、オートバイ、自動車、車、トラック、列車、トラム、船、ボート、航空機、および、宇宙船を含むがこれらに限定されない、人または貨物を輸送する移動機械を想定することを理解されたい。
【０１７２】
一実施形態では、車両５００の内側５０２に２つ以上の垂直な指向性アンテナ３１２のペアを配置することによって、乗員の着座位置に対応する４席（５１０ＦＬ、５１２ＦＲ、 ５１６ＲＲ、５１４ＲＬ）間に、ゾーン４００ＦＬ、４００ＦＲ、４００ＲＲ、４００ＲＬを生成することができる。これらのゾーン４００ＦＬ、４００ＦＲ、４００ＲＲ、４００ＲＬは、ブルートゥースローエナジーを使用して着席位置に位置する携帯電話の存在を検出するために使用され得る。（例えば、バンまたはバスなどの大型車両の）追加の座席列または列毎の座席に関連するゾーン、後方トランク、後部貨物エリア、前方トランク、前部貨物エリア、荷物保管コンパートメント（頭上または下方）などと関連付けられるゾーンのような、追加のゾーンが他のシステムに存在してもよい。
【０１７３】
３つ以上の指向性アンテナペア３１２が使用される代替実施形態では、１つは車両５００を半分に分割し、もう１つは座席の各ペアの間を分割する。
【０１７４】
代替の実施形態では、座席決定は、（図２３に示される）車両の内／外のマイクロロケーションのための１１アンテナのＲＳＳＩのみのシステムの内部アンテナ３１２について説明した位置など、車両５００の異なった位置に配置されるアンテナ３１２を使用して実行され得る。そのような実施形態では、各所望のゾーン（例えば、前方運転席、前方助手席、運転席後部席、助手席後部席、後方トランク／カーゴエリア）の近くに配置されたアンテナ３１２を使用して、（例えば、本明細書で説明されるように、ドア状態に基づく調整アルゴリズム処理で使用するため）対応するゾーンへの近接性（または近接性の欠如）、ならびに対応するドアへの近接性（または近接性の欠如）を判定してもよい。例えば、システム１００は、（ａ）内部前方運転席アンテナ３１２−２のＲＳＳＩが他のすべての該当する内部アンテナ３１２よりも閾値だけ大きい場合、または（ｂ）内部前方運転席アンテナ３１２−２のＲＳＳＩが他のすべての該当する内部アンテナ３１２よりも閾値だけ大きくなく（例えば、前記閾値が満足されない）、他の該当する内部アンテナ３１２のＲＳＳＩが閾値を超えず、および、内部前方運転席アンテナ３１２−２が他のすべての該当するアンテナ３１２よりも大きい場合、携帯デバイス１１０が運転席ゾーン４００ＦＬに位置すると判定してもよい。さらに、ドア状態を使用して、携帯デバイス１１０がどのドアに位置している可能性があるかを知らせてもよい（例えば、運転席ドアが開いており、携帯デバイス１１０が、そのＲＳＳＩによって閾値を超えると判定されるほど前方運転席アンテナ３１２−２に近接している可能性がある場合［および／または、複数の該当する内部アンテナが閾値を超えるため］、システム１００は、携帯デバイス１１０が運転席またはドアに近接していると判定してもよい。携帯デバイス１１０がどの座席またはどのドアの近くに位置するかを推測するために、存在しないこと（すなわち、特定のアンテナ３１２の近くではない）による確認を提供する方法を含む、上記の方法の任意の組み合わせが使用されてもよい。前記方法に含まれるアンテナ３１２のセットは、内部アンテナ３１２に限定されず、例えば、特定のゾーンの近傍にあることへのさらなる信頼度を与えるために、および／または特定のゾーンの近傍にないことへのさらなる信頼度を与えるために、外部アンテナ３１２も使用されてもよい。本明細書で説明されるように、内部ゾーンおよび／またはドアの近傍は、ＲＳＳＩに加えて、またはその代わりに、角度および／または距離（飛行時間）を使用して判定され得ることにも留意されたい。
【０１７５】
内部座席および／またはドアの判定のためのアンテナ３１２の配置は、用途の目的、利用可能なパッケージ位置、ならびにセンサ３１０／アンテナ３１２のパッケージおよび動作能力に応じて変更されてもよい。例えば、ヘッドライナーの中、ピラーの頂部の近く、背もたれの上部、またはヘッドレストなどのような、より高いアンテナ３１２の配置位置は、人が車両５００内に座って、携帯デバイス１１０を保持および／または使用しているとき、より高い位置は、携帯デバイス１１０へのより良好なＲＦ経路／見通し線を維持するので、また、そのような位置は、車両内の他の人々の身体によって生じる妨害を最小限に抑えるので、ドアの真ん中、シート内または背もたれの下部、ピラーの真ん中、コンソール、または、床の近くなどのような、より低い配置位置よりも優れた性能を提供し得る。
【０１７６】
上記および後述の実施形態のいずれも、携帯デバイス１１０がどの座席ゾーンに位置するかを判定するために組み合わされてもよい。座席位置は、座席固有のインフォテインメント、請求、ターゲットマーケティングなどを可能にするために使用されてもよい。
Ｅ．車内／車外マイクロロケーションの実施形態
【０１７７】
車両５００という用語の使用は、ワゴン、自転車、オートバイ、自動車、車、トラック、列車、トラム、船、ボート、航空機、および、宇宙船を含むがこれらに限定されない、
人または貨物を輸送するあらゆる移動機械を含むものとみなされる。例えば、ブルートゥースローエナジーを使用して、車両の内側、外側、近くまたは遠くのいずれかに位置されるデバイス１１０の存在の検出を可能にするために、アンテナを、車両の内側と外側に、車両のシェルと合わせて向きを変えて配置する。加えて、車両の外側の様々なゾーン（例えば、運転席ドア１４２、助手席ドア１４２、トランク、フード、運転席後部ドア１４２、助手席後部ドア１４２など）におけるデバイス１１０の検出を可能にするためにゾーンが作成され得る。
【０１７８】
ＤｏｏｒｍａｎとＳｎｉｆｆｉｎｇの開示（２０１５年２月１２に出願され、「車両と通信するためのシステムおよび方法」と題するEllisらの米国特許出願第１４／６２０９５９号、および２０１６年４月１５日に出願され、「リアルタイム位置を確立するためのシステムおよび方法」と題するStittらの米国仮出願番号第６２／３２３２６２号、これらの開示は、その全体が本明細書に組み入れられる）に記載されているように、正確性および精度を高めるために、ＲＳＳＩベースの差分アプローチ（例えば、三辺測量、三角測量、フィンガープリント、ＡｏＡなど）に加えて、追加の技法が使用されてもよい。
【０１７９】
内側／外側位置は、身元を認証し、自動タクシーおよび車／乗り物シェアリングサービスの支払いを可能にし、外部および／または内部車両システムへのアクセスを可能にし、ドア１４２を自動的にロック／アンロックし（他のシステムに記載されるように）、ターゲットマーケティングを行う（車内または車外）などのために使用することができる。この構成の一例は図２０の図示された実施形態に見ることができ、車両５００は、車両５００の構造によって定義される内部空間５０２と外部空間５０４との間の物理的境界４１１の両側に配置された第１および第２のアンテナ３１２Ａ、３１２Ｂを含む。図示の実施形態では、アンテナ３１２Ａは、ゾーン４００Ａと、車両構造体により近いゾーン４０１Ａとの少なくとも１つの中のデバイス１１０を検出するように配置される。両方のゾーン４００Ａ、４０１Ａは車両の空間５０２の外側にある。アンテナ３１２Ｂは、内部空間５０２内のゾーン４００Ｂの中のデバイス１１０を検出するように配置され得る。アンテナ３１２Ａ、３１２Ｂに関して検出された１つまたは複数の信号特性に基づいて、システム１００は、デバイス１１０の位置を判定することができる。一例では、アンテナ３１２Ａ、３１２Ｂによって画定された仮想境界４１０Ａ−Ｂは、デバイス１１０に関する位置情報の特定を容易にすることができる。
【０１８０】
以下のセクションでは、車両５００に関するマイクロロケーションのより具体的な実施形態について説明するが、本明細書で論じるように、以下の実施形態のそれぞれの態様は、車両の分野外の実施形態を含む、任意の他の実施形態とともに利用されえることを理解されたい。
Ｅ．１  ＲＳＳＩを用いる車内／車外マイクロロケーションの実施形態
【０１８１】
一実施形態では、（例えば、ヒューリスティックフィンガープリント、確率的ヒューリスティック、三辺測量、多辺測量などを使用して）車両５００に対するデバイス１１０の位置を判定するために、ＲＳＳＩを使用することができる。本明細書に記載されるように、ＲＳＳＩの読取り値は、スニッフィングアプローチを使用して得られる。しかしながら、実施形態自体は、読取り値を取得するために特定の構成の使用を利用する必要はない。
【０１８２】
１つまたは複数の記載された実施形態では、システム１００は、各々の報告されるゾーン４００ごとに、正しさ尤度指標（例えば、信頼性スコア／計量、尤度スコア／計量、他の報告されるゾーン４００および／または現在のゾーン４００に対する確率など）を提供してもよい。
Ｅ．１．ａ  ３アンテナＲＳＳＩ専用システム
【０１８３】
例えば図２１に示される車両マイクロロケーションシステム１００の一実施形態では、システム１００は、ＲＳＳＩおよび３つのアンテナ３１２を使用することができる。
１．室外側運転席ドアの近く、ドア上、または内部（例えば、ミラー、トリム、ホイールウェル、ドアハンドルなど）のアンテナ３１２−１。
２．室内側運転席ドアの近く、ドア上、または内部（例えば、ドア１４２、Ａピラー、Ｂピラー、ヘッドライナー、フロアなど）のアンテナ３１２−２。
３．センターの近く、またはセンター（例えば、センタースタック、アームレスト、ヘッドライナー、フロア、カップホルダー、キャビンライト、ダッシュボードなど）のアンテナ３１２−３。
【０１８４】
このシステム１００では、携帯デバイス１１０は、上記の３つのアンテナとは別個の、車両５００の内側５０２に配置されたマスタデバイス１２０と通信することができる。代替実施形態では、マスタデバイス１２０は、車両５００の外側５０４に配置されてもよい。
【０１８５】
図２１の図示された実施形態に示すように、このシステム１００は少なくとも以下のゾーン４００、つまり、Ａ）運転席の近くの内側、Ｂ）運転席のドア１４２の近くの外側、Ｃ）車両の近くではないが接続される、およびＤ）接続されない、を判定することができる。
【０１８６】
追加のゾーン４００が、様々なレベルの精度で定義されてもよい。例えば、運転席ドア１４２の外側に別の外部ゾーン４００が定義されてもよく、それはドア１４２からさらに遠くまで延びる（アプローチゾーン）が、デバイス１１０がどのゾーン４００内に位置するか否かを正確に判定するシステム１００の能力は、通信媒体の基本的な能力（例えば、ＢＬＥ対ＵＷＢ対ＬＦ）によって制限されることがある。
【０１８７】
携帯デバイス１１０がどのゾーン４００に位置しているかを判定することは、本開示内で説明される信号解析技法と共に、差分技法と閾値技法を組み合わせることによって達成され得る。システム１００は、内側を示すための、アンテナ３１２−１とアンテナ３１２−２との間の差分（例えば、［３１２−２］＞［３１２−１］）と、アンテナのセット（例えば、３１２−２および３１２−３）の中での最大ＲＳＳＩ（または最小計算距離）が所定の閾値（または閾値範囲）内にあることとの両方を要求することによって、ゾーンＡ（内側）を他のゾーンから区別することができる。組み合わせではなく、閾値のみが評価されるか、または差分のみが評価される、代替の実施形態が存在する。（アンテナの適切な組み合わせと配置で）閾値と差分との両方を使用すると、多くの環境の影響およびＲＦ伝播/経路損失の影響をより効果的に軽減できる、より優れたパフォーマンスのシステムを得ることができる。
【０１８８】
システム１００は、アンテナのセット（例えば、３１２−２および３１２−３）の中での最大ＲＳＳＩ（または最小計算距離）が、１つまたは複数の所定の閾値範囲内（例えば、近接閾値範囲内など）にあることを要求することによって、ゾーンＢをＣから区別することができる。
【０１８９】
システム１００は、携帯デバイス１１０が接続され（すなわち、１つまたは複数のマスタデバイス１２０と通信している）、かつゾーンＡまたはＢ内にあると判定されなかった場合、携帯デバイス１１０の位置がゾーンＣ内にあると判定することができる。システム１００はまた、携帯デバイス１１０が接続され、かつアンテナのセット（例えば、３１２−２および３１２−３）の中での最大ＲＳＳＩ（または最小計算距離）が、１つまたは複数の所定の閾値範囲を超えている（例えば、遠い閾値範囲よりも遠い、最小ＲＳＳＩを超えているなど）場合、携帯デバイス１１０の位置がゾーンＣ内にあると判定することができる。
【０１９０】
システム１００は、携帯デバイス１１０が接続されない場合、携帯デバイス１１０の位置がゾーンＤ内にあると判定することができる。
【０１９１】
単一の閾値（または閾値範囲）に加えて、またはその代わりに、アンテナ３１２の異なる組み合わせが、システムエッジケース（例えば、アンテナ３１２−２および３１２−３の最大ＲＳＳＩはＸより小さくなければならない、アンテナ３１２−１のＲＳＳＩはＹより小さくなければならない、など）をより上手く処理するために、異なる閾値および／または閾値の組み合わせを有してもよい。
【０１９２】
アンテナ測定／近似誤差は、閾値範囲の一部として、または各閾値（または閾値範囲）に適用される追加の範囲として表すことができる。例えば、測定／近似誤差が２ｄＢｍである場合、閾値（および閾値範囲）は、−５０ｄＢｍ＋／−２ｄＢｍ、−５２ｄＢｍ、または−４８ｄＢｍ、−６０ｄＢｍから−３０ｄＢｍ＋／−２ｄＢｍ、−５８ｄＢｍから−２８ｄＢｍ、-５８ｄＢｍから−３２ｄＢｍ、−６２ｄＢｍから−２８ｄＢｍ、または、−６２ｄＢｍから-３２ｄＢｍなどとして表すことができる。
【０１９３】
差分はまた、閾値または閾値範囲を適用されてもよい（例えば、内側と見なされるために、［３１２−２］は［３１２−１］より少なくともＸだけ大きくなければならない）。
【０１９４】
ゾーンに入る（例えば、ＡからＢへの遷移）ための１つの値（またはイン時間量）と、ゾーンから出る（例えば、ＢからＡへの遷移）ための別の値（またはアウト時間量）とを必要とするヒステリシス（時間ベースまたは値ベース）もまた、差分もしくは閾値（または閾値範囲）に適用されてもよい。ヒステリシスはまた、測定誤差を包み込むための手段であってもよい。ヒステリシスは、ゾーン遷移判定自体にも適用されてもよい（例えば、前記決定を知らせる前に、複数の位置決めの繰り返しが同じ決定をもたらすことを必要とする）。
【０１９５】
閾値および閾値範囲は、ＲＳＳＩ（例えば、ｄＢ、ｄＢｍなど）、計算距離（例えば、メートル）、合成値（すなわち、少なくとも部分的にＲＳＳＩから導出される別の値）、またはそれらの任意の組み合わせに関して表現され、評価されてもよい。
【０１９６】
異なる収集物および集約方法（最小、最大、平均、クラスタ、中央値など）から計算される距離は、異なる方程式または手法のセットを使用してもよい。例えば、個々のアンテナから計算される距離は、方程式または手法Ｘを使用することができ、一方、アンテナ３１２−２と３１２−３の最大値から計算される距離は、方程式または手法Ｙを使用してもよい。
【０１９７】
システムは、アンテナのセット（例えば、３１２−２および３１２−３）の中での最大ＲＳＳＩ（または最小計算距離）が、所定の閾値範囲内（例えば、運転席ドア近接閾値範囲内）にあることを要求することによって、ゾーンＢをＣから区別することができる。単一の閾値に加えて、またはその代わりに、アンテナ３１２の異なる組み合わせが、システムエッジケース（例えば、アンテナ３１２−２および３１２−３の最大ＲＳＳＩは運転席ドア近接閾値範囲内でなければならない、アンテナ３１２−１のＲＳＳＩはＸより小さくなければならない、アンテナ３１２−１のＲＳＳＩはＹより小さくなければならず、かつアンテナ３１２−２および３１２−３の最大ＲＳＳＩはＹからＺの範囲内でなければならない、など）をより上手く処理するために、異なる閾値および閾値の組み合わせを有してもよい。
【０１９８】
この実施形態のＢＬＥベースのバージョンは、いくつかの起こりうる欠点を有する可能性がある。特に、１つの構成の本実施形態は、システム１００が運転席での内側と助手席側での外側とをいつも区別できるとは限らないので、携帯デバイス１１０が車両５００の運転席側の近くに位置していないとき、最適に動作しない、または１つ以上の基準に適合しない可能性がある。後述の実施形態で説明するように、ＢＬＥはノイズの多い通信媒体でもあり、したがって、より少ないアンテナ３１２を使用することで、より低い精度および／またはゾーン判定の安定性の低下をもたらす可能性がある。
【０１９９】
この実施形態は運転席側、特に運転席側フロントドア／シートに関連して説明されるが、この手法はそのように限定されず、車両の他の側、ドア１４２、およびシートに適用可能である。
【０２００】
システム１００は、代替的または追加的に、三辺測量および／または多辺測量ベースの手法（本明細書に記載）を使用して、携帯デバイス１１０が位置するゾーン４００を決定してもよい。
【０２０１】
システム１００は、代替的にまたは追加的に、飛行時間／到着時間（ＴＯＦ／ＴＯＡ）および／または到着時間差（ＴＤＯＡ）ベースの手法（本明細書に記載）を使用して、距離を決定してもよい。
Ｅ．１．ｂ  ７アンテナＲＳＳＩ専用システム
【０２０２】
例えば図２２に示される車両マイクロロケーションシステム１００の一実施形態では、システム１００は、ＲＳＳＩおよび７つのアンテナ３１２を使用することができる。
１．室外側運転席ドアの近く、ドア上、または内部（例えば、ミラー、トリム、ホイールウェル、ドアハンドル、Ｂピラーなど）のアンテナ３１２−１。
２．室内側運転席ドアの近く、ドア上、または内部（例えば、ドア１４２、Ａピラー、Ｂピラー、ヘッドライナー、フロアなど）のアンテナ３１２−２。
３．センターの近く、またはセンター（例えば、センタースタック、アームレスト、ヘッドライナー、フロア、カップホルダー、キャビンライト、ダッシュボードなど）のアンテナ３１２−３。
４．室外側助手席ドアの近く、ドア上、または内部（例えば、ミラー、トリム、ホイールウェル、ドアハンドル、Ｂピラーなど）のアンテナ３１２−４。
５．室内側助手席ドアの近く、ドア上、または内部（例えば、ドア１４２、Ａピラー、Ｂピラー、ヘッドライナー、フロアなど）のアンテナ３１２−５。
６．室外側後部テールゲート／トランクの近く、その上、または内部（例えば、トリム、スペアタイヤウェル、ドアハンドル、バンパー／フェイシャなど）のアンテナ３１２−６。
７．室内側後部テールゲート／トランクの近く、その上、または内部（例えば、トリム、スペアタイヤウェル、ドアハンドル、バンパーなど）のアンテナ３１２−７。
【０２０３】
このシステム１００では、携帯デバイス１１０は、上記の７つのアンテナ３１２とは別の、車両５００の内側５０２に配置されたマスタデバイス１２０と通信することができる。代替実施形態では、マスタデバイス１２０は、車両５００の外側５０４に配置されてもよい。代替実施形態では、テールゲート／トランクアンテナ３１２−６、３１６−７を省く５つのアンテナ構成がある。図２２の図示された実施形態に示すように、このシステム１００は少なくとも以下のゾーン、つまり、Ａ）内側、Ｂ）運転席側近くの外側、Ｃ）助手席側近くの外側、Ｄ）テールゲート／トランク近くの外側、Ｅ）車両の近くではないが接続される、およびＦ）接続されない、を判定することができる。
【０２０４】
追加のゾーン４００が、様々なレベルの精度で定義されてもよい。例えば、近傍ゾーン４００の外側に別の外部ゾーン４００が定義されてもよく、それは車両５００からさらに遠くまで延びる（例えば、アプローチゾーン）。システム１００は、運転席側、助手席側、またはトランクに近いとの車両５００内の位置を判定することもできる。デバイス１１０がどのゾーン４００内に位置するか否かを正確に判定するシステム１００の能力は、通信媒体の基本的な能力（例えば、ＢＬＥ対ＵＷＢ対ＬＦ）によって制限されることがある。
【０２０５】
図２１に関連して説明した３アンテナシステムと同様に、図２２の図示された実施形態におけるシステム１００は、本開示内で説明される差分技法と閾値技法を組み合わせることによって、携帯デバイス１１０が位置しているゾーン４００を判定することができる。システム１００は、内側を示すための、内部アンテナ（３１２−２、３１２−３、３１２−５、および３１２−７）の最大値と、外部アンテナ（３１２−１、３１２−４、および３１２−６）の最大値との差分（例えば、内部＞外部）と、アンテナのセット（例えば、３１２−２、３１２−３、３１２−５、および３１２−７）の中での最大ＲＳＳＩ（または最小計算距離）が所定の閾値（または閾値範囲）内にある、との両方を要求することによって、ゾーンＡ（内側）を他のゾーンから区別することができる。最大の内部および外部アンテナ３１２の間の差分を使用することに加えて、もしくは代えて、システム１００は、適切な指示を提供するため、一定のアンテナ３１２のペア（例えば、対象の仮想境界４１０を生成する複数のアンテナ３１２）の差分を要求することによって、ゾーンＡ（内側）を他のゾーンから区別してもよい。例えば、システム１００は、すべて、ゾーンＡ内に位置しているとの内側であることを示すために、アンテナ３１２−１と３１２−２との差分、アンテナ３１２−４と３１２−５との差分、およびアンテナ３１２−６と３１２−７との差分を利用してもよい。どの組の差分を使用するかは、他の差分の値および満足される（または満足されない）閾値に基づいて選択されてもよい。例えば、すべての差分が内側であることを示し、最大ＲＳＳＩ閾値が第１閾値の別の範囲内である（例えば、第１閾値範囲を僅かに外れるが、第２閾値範囲内）場合、システム１００は、第１の閾値が満たされないにもかかわらず、携帯デバイスがゾーンＡ内と示してもよい。
【０２０６】
システム１００は、アンテナのセット（例えば、３１２−２、３１２−３、３１２−５および３１２−７）の中での最大ＲＳＳＩ（または最小計算距離）が、１つまたは複数の所定の閾値範囲内（例えば、運転席近傍閾値範囲内、助手席近傍閾値範囲内、テールゲート近傍閾値範囲内、など）にあることを要求することによって、ゾーンＢ、Ｃ、またはＤをＥから区別することができる。
【０２０７】
システム１００は、携帯デバイス１１０が接続され（すなわち、１つまたは複数のマスタデバイス１２０と通信している）、かつゾーンＡ−Ｄ内にあると判定されなかった場合、携帯デバイス１１０の位置がゾーンＥ内にあると判定することができる。システム１００はまた、携帯デバイス１１０が接続され、かつアンテナのセット（例えば、３１２−２、３１２−３、３１２−５、および３１２−７）の中での最大ＲＳＳＩ（または最小計算距離）が、１つまたは複数の所定の閾値範囲を超えている（例えば、遠い閾値範囲よりも遠い、最小ＲＳＳＩを超えているなど）場合、携帯デバイス１１０の位置がゾーンＥ内にあると判定することができる。
【０２０８】
システム１００は、携帯デバイス１１０が接続されない場合、携帯デバイス１１０の位置がゾーンＦ内にあると判定することができる。
【０２０９】
３センサシステム１００と同様に、単一の閾値に加えて、またはその代わりに、アンテナ３１２の異なる組み合わせが、システムエッジケース（例えば、アンテナ３１２−２、３１２−３、３１２−５、および３１２−７の最大ＲＳＳＩは運転席近傍閾値範囲内でなければならない、アンテナ３１２−１のＲＳＳＩはＸより小さくなければならない、アンテナ３１２−１のＲＳＳＩはＹより小さくなければならず、かつアンテナ３１２−２、３１２−３、３１２−５、および３１２−７の最大ＲＳＳＩはＹからＺの範囲内でなければならない、など）を処理することに焦点を当てるために、異なる閾値および閾値の組み合わせを有してもよい。
【０２１０】
アンテナ測定／近似誤差は、閾値範囲の一部として、または各閾値（または閾値範囲）に適用される追加の範囲として表すことができる。例えば、測定／近似誤差が２ｄＢｍである場合、閾値（および閾値範囲）は、−５０ｄＢｍ＋／−２ｄＢｍ、−５２ｄＢｍ、または−４８ｄＢｍ、−６０ｄＢｍから−３０ｄＢｍ＋／−２ｄＢｍ、−５８ｄＢｍから−２８ｄＢｍ、-５８ｄＢｍから−３２ｄＢｍ、−６２ｄＢｍから−２８ｄＢｍ、または、−６２ｄＢｍから-３２ｄＢｍなどとして表すことができる。
【０２１１】
差分はまた、閾値または閾値範囲を適用されてもよい（例えば、内側と見なされるために、［３１２−２］は［３１２−１］より少なくともＸだけ大きくなければならない）。
【０２１２】
ゾーンに入る（例えば、ＡからＢへの遷移）ための１つの値（またはイン時間量）と、ゾーンから出る（例えば、ＢからＡへの遷移）ための別の値（またはアウト時間量）とを必要とするヒステリシス（時間ベースまたは値ベース）もまた、差分もしくは閾値（または閾値範囲）に適用されてもよい。ヒステリシスはまた、測定誤差を包み込むための手段であってもよい。ヒステリシスは、ゾーン遷移判定自体にも適用されてもよい（例えば、前記決定を知らせる前に、複数の位置決めの繰り返しが同じ決定をもたらすことを必要とする）。
【０２１３】
閾値および閾値範囲は、ＲＳＳＩ（例えば、ｄＢ、ｄＢｍなど）、計算距離（例えば、メートル）、合成値（すなわち、少なくとも部分的にＲＳＳＩから導出される別の値）、またはそれらの任意の組み合わせに関して表現され、評価されてもよい。
【０２１４】
異なる収集物および集約方法（最小、最大、平均、クラスタ、中央値など）から計算される距離は、異なる方程式または手法のセットを使用してもよい。例えば、個々のアンテナ３１２から計算される距離は、方程式または手法Ｘを使用することができ、一方、アンテナ３１２−２、３１２−３、３１２−５、および３１２−７の最大値から計算される距離は、方程式または手法Ｙを使用してもよい。さらなる例として、運転席外部アンテナ（３１２−１）、助手席外部アンテナ（３１２−４）、および後方外部アンテナ（３１２−６）はそれぞれ、距離を計算するための異なる方程式または手法を有してもよい。
【０２１５】
システム１００は、満足される可能性のあるゾーン閾値のセットの中から、いずれのゾーンを代表する外部アンテナ（例えば、Ｂについては３１２−１、Ｃについては３１２−４、Ｄについては３１２−６など）が最も高いＲＳＳＩ（または最も小さい計算距離）を有するかを判定することによって、ゾーンＢ、Ｃ、およびＤを区別してもよい。
【０２１６】
ＢＬＥベースのシステムでは、携帯デバイス１１０が人のポケット内に入れられている（すなわち、彼らの人体によって減衰される）シナリオの取り扱いを容易にするために、携帯デバイス１１０が（そうでなければ近くではないと判断され得る）近接ゾーン内にあるか否かを判定するために、複数のセットのアンテナ３１２と閾値が利用されてもよい。このような処理は、システム１００が携帯デバイス１１０は対応する（または任意の）近接ゾーン閾値内にあると確信するかにかかわらず、どの近接ゾーン（Ｂ、Ｃ、またはＤ）が選択され得るかを決定するためにシステム１１０を利用し得る。携帯デバイス１１０が特定の近接ゾーン４００内にあるか否かを判定するために使用される第１閾値範囲が満たされないが、第２閾値範囲内であり、かつ（同じまたは別のアンテナ３１２を使用する）１つ以上の他の差分および／または第２閾値が、特定の近接ゾーン４００に関して満たされる場合、システム１００はその近接ゾーン４００を選択することができる。例えば、システム１００は、代表する外部アンテナ３１２を使用して判定されたものとして、携帯デバイス１１０が運転席側にあると確信しているが、車両からの距離を計算するために使用されるアンテナのセット（例えば、３１２−２、３１２−３、３１２−５、および３１２−７）の中の最大ＲＳＳＩ（または最小計算距離）は、第１運転席側近接閾値内ではないが、第２運転席側近接閾値内であり、かつ運転席側の代表外部アンテナ３１２のＲＳＳＩ（または、計算距離など）が、対応する近接オーバーライド閾値内である場合、システム１００は、携帯デバイス１１０がゾーンＥ（近くではない）ではなく、ゾーンＢ（運転席近く）に位置していると判定することができる。そのような判定はまた、より高い信頼性を提供するために、様々なセンサペア３１２の差分を組み込んでもよい（例えば、運転席側アンテナ３１２が外側を示し、助手席側アンテナ３１２が内側を示すことを確かめる）。そのような判定はまた、さらなる信頼性を提供するために他のアンテナ３１２からのＲＳＳＩ（または計算距離など）を組み込んでもよい（例えば、運転席側に近い場合、助手席側距離は特定の閾値範囲内であるべきである）。
【０２１７】
いくつかの基礎をなす通信技術では、ＲＳＳＩは、ＢＬＥの場合のように、信号遮断物および反射物のために非常にノイズが多くなる可能性があり、本開示で特定される高度な信号分析技法にもかかわらず、そのようなノイズまたは近接ゾーン（Ｂ、Ｃ、およびＤ）間の環境の影響による潜在的な望ましくない一時的なゾーン遷移を防止するために、追加の（インテリジェント）フィルタリングが実装されてもよい。そのようなフィルタリングは、１つの近接ゾーン４００から別のゾーン４００への遷移に対して、より大きい閾値差を利用することができる（例えば、ＤからＢまたはＣへの遷移に対して、代表する外部アンテナ間の５ｄＢのＲＳＳＩ差を利用し、ＢからＣへの遷移に対して、代表する外部アンテナ３１２間の１０ｄＢのＲＳＳＩ差を利用する、など）。そのようなフィルタリングはまた、近接ゾーン４００内へ遷移するとき、および／または１つの近接ゾーン４００から別のゾーンへ遷移するときに、適切な指示を提供するために、一定のアンテナ３１２のペア（例えば、対象の仮想境界４１０を生成するアンテナ３１２）間の１つ以上の差分を要求することを含んでもよい。例えば、システム１００は、ＥからＢへの遷移に対し、外側を示すための３１２−１と３１２−２との間の差分を利用してもよいが、ＣからＢへの遷移に対し、外側を示すための３１２−１と３１２−２との間の差分と、内側を示すための３１２−４と３１２−５との間の差分とを利用してもよい。別の例では、システムは、閾値が満足されなかったとき、ＣからＢへ遷移するときに、外側を示すための３１２−１と３１２−２との間の差分と、内側を示すための３１２−４と３１２−５との間の差分とを利用するだけでもよい。別の例では、システム１００は、ＢまたはＣからＤへの遷移に対して、内側を示すための３１２−１と３１２−２との間、および３１２−４と３１２−５との間の差分を利用してもよい。これらの技法は、内側／外側を含む、他のゾーン遷移にも適用されてもよい。
【０２１８】
反射による測定されたＲＳＳＩの変動（またはノイズ）は、その考えられる欠点にもかかわらず、複数の周波数／チャネルにわたって動作するシステム（例えば、ＢＬＥ）１００において、（セクションＣ．９に記載されように）周波数／チャネルごとのＲＳＳＩ測定値の分析を通じて、反射物体（例えば、他の車両）が近くにいることを判定可能である、との利点を提供し得る。例えば、携帯デバイスが遠くにある場合、大多数のチャネルでＲＳＳＩ測定値にばらつきがあるかもしれない。しかしながら、携帯デバイス１１０が近くにある場合、大多数のチャネルでのＲＳＳＩ測定値に実質的な一致があるかもしれない。したがって、（[本明細書に記載の]測定値／近似誤差を包み込むことができる、１つ以上の閾値によって判定されるように）わずか数チャネルでのＲＳＳＩ測定値が他のチャネルから大きく変化する状況では、システム１００は、車両または他の物体がそのアンテナ３１２の近くにあると結論付けることができ、必要に応じて閾値または方法を調整することができる。例えば、システム１００は、他の車両が車両の運転席側の近くに存在すると判定し、車両５００の該当する側のアンテナ３１２と共に使用される閾値または距離測定方法、ゾーン判定基準、較正／オフセット、本明細書に開示された任意の他の属性または方法、あるいはそれらの任意の組み合わせを変更してもよい。少なくとも、前述のように、無効な測定値はフィルタリングされてもよい。
【０２１９】
システム１００は、判定されたバックグランド電力および／またはバックグランドノイズに基づいて、閾値、ヒステリシス、アンテナ３１２の組み合わせ、差分、組み合わせ方法、および／または任意の他の開示された方法を調整してもよい。例えば、バックグランド電力／ノイズが高いと判定された場合、閾値を増加させることができる。
【０２２０】
システム１００はまた、システム自体のアンテナ３１２（マスタデバイス１２０の１つ以上のアンテナ３１２を含む）からの送信から測定されたＲＳＳＩに基づいて、閾値、ヒステリシス、アンテナ３１２の組み合わせ、差分、組み合わせ方法、および／または任意の他の開示された方法を調整してもよい。例えば、各アンテナ３１２がマスタデバイス１２０によって送信された信号のＲＳＳＩを測定し、前記測定されたＲＳＳＩが閾値（例えば、所定の［通常またはオープンフィールド］基準など）を超える場合、閾値は増加されてもよい。例えば、１つのアンテナ３１２が別のアンテナ３１２によって送信された信号のＲＳＳＩを測定し、前記測定されたＲＳＳＩが閾値（例えば、所定の［通常またはオープンフィールド］基準など）を超える場合、システム１００は、大きな反射物体が近くにあると判定することができ、または逆に、測定されたＲＳＳＩが閾値を下回る場合、物体が前記アンテナ３１２の間に存在すると判定することができる。
【０２２１】
一実施形態では、システム１００は、上述のように、数チャネルのみでの変動を観測することによって、またはアンテナ３１２間のＲＳＳＩを測定することによってなど、車両または物体が近くにあると判定したとき、前記車両または物体までの距離が、三辺測量および／または多辺測量、あるいは本明細書に記載の任意の他の方法、またはそれらの任意の組み合わせを使用することによって、測定ＲＳＳＩと所定の［通常またはオープンフィールド］基準との差を使用して計算されてもよい。
【０２２２】
いくつかのアンテナ３１２は、移動可能な場所（ドア１４２またはテールゲートなど）に配置されてもよい。ある場合には、アンテナ３１２の移動はシステム動作に影響を及ぼさない。他の場合では、機器（車両）の状態に関する理解は、システム１００が、いずれの閾値、差分、距離計算方法、または他の計算が実行されるかを変更するための手段を提供することができる。これらの場合のいくつかにおいて、望ましい振る舞いは、機器の状態が変化していない場合と同じ振る舞いであるかもしれない（例えば、携帯デバイス１１０が開いたドア１４２の隙間に置かれたとき、システム１００は、携帯デバイス１１０が内側（ゾーンＡ）内にあることを示さず、代わりに、外側にあることを示す（必要に応じて、ゾーンＢ、Ｃ、又はＤ）ことが望ましい場合がある）。車両５００によって提供される機器状態を使用することによって、そのような変更が可能である。各ドア１４２について、ドア１４２の半分開いた状態を受信することによって、システム１００は、破棄してもよいし、そのドアの相違またはアンテナ３１２を織り込む経験則のために、別の経験則を使用してもよい。例えば、運転席ドア１４２が開いている場合、対応する内部アンテナ３１２は、車両距離を計算するために使用されるアンテナ３１２のセットから省かれてもよい。例えば、携帯デバイス１１０が車室の外側の運転席後方ドア１４２に位置しているとき、運転席前方ドア１４２が閉じられていれば、差分は外側を示し、運転席ドア１４２が開かれていれば、差分は内側を示すかもしれず、携帯デバイスが外側に位置していると判定し続けるために、追加の閾値または追加の差分の比較の使用を必要とする。各ドア１４２のウィンドウの状態を受信することによって、影響を受けるアンテナ３１２に対して、代替の信号分析が実行されてもよいし、あるいは異なる閾値が選択されてもよい。例えば、車両のガラスがＲＦ遮断材料でコーティングされている場合は、ウィンドウの上げ下げで距離の計算が大幅に変わる可能性があり、一方、コーティングされていない場合は、影響が小さいか無視できる可能性がある。
【０２２３】
システム１００は、代替的または追加的に、三辺測量および／または多辺測量ベースの手法（本明細書に記載）を使用して、携帯デバイス１１０が位置するゾーン４００を判定してもよい。
【０２２４】
システム１００は、代替的または追加的に、飛行時間／到着時間（ＴＯＦ／ＴＯＡ）および／または到着時間差（ＴＤＯＡ）ベースの手法（本明細書に記載）を使用して距離を判定してもよい。
Ｅ．１．ｃ  １１アンテナＲＳＳＩ専用システム
【０２２５】
例えば、図２３に示す車両マイクロロケーションシステム１００の一実施形態では、システム１００は、ＲＳＳＩと、１１個のアンテナを使用することができる。
１．室外側運転席前方ドアの近く、ドア上、または内部（例えば、ミラー、トリム、ホイールウェル、ドアハンドル、Ｂピラーなど）のアンテナ３１２−１。
２．室内側運転席前方ドアの近く、ドア上、または内部（例えば、ドア１４２、Ａピラー、Ｂピラー、ヘッドライナー、フロアなど）のアンテナ３１２−２。
３．センターの近く、またはセンター（例えば、センタースタック、アームレスト、ヘッドライナー、フロア、カップホルダー、キャビンライト、ダッシュボードなど）のアンテナ３１２−３。
４．室外側助手席前方ドアの近く、ドア上、または内部（例えば、ミラー、トリム、ホイールウェル、ドアハンドル、Ｂピラーなど）のアンテナ３１２−４。
５．室内側助手席前方ドアの近く、ドア上、または内部（例えば、ドア１４２、Ａピラー、Ｂピラー、ヘッドライナー、フロアなど）のアンテナ３１２−５。
６．室外側後部テールゲート／トランクの近く、その上、または内部（例えば、トリム、スペアタイヤウェル、ドアハンドル、バンパー／フェイシャなど）のアンテナ３１２−６。
７．室内側後部テールゲート／トランクの近く、その上、または内部（例えば、トリム、スペアタイヤウェル、ドアハンドル、バンパーなど）のアンテナ３１２−７。
８．室外側運転席後方ドアの近く、ドア上、または内部（例えば、トリム、ホイールウェル、ドアハンドルなど）のアンテナ３１２−８。
９．室内側運転席後方ドアの近く、ドア上、または内部（例えば、ドア１４２、Ｂピラー、Ｃピラー、ヘッドライナー、フロアなど）のアンテナ３１２−９。
１０．室外側助手席後方ドアの近く、ドア上、または内部（例えば、トリム、ホイールウェル、ドアハンドルなど）のアンテナ３１２−１０．
１１．室内側助手席後方ドアの近く、ドア上、または内部（例えば、ドア１４２、Ｂピラー、Ｃピラー、ヘッドライナー、フロアなど）のアンテナ３１２−１１。
【０２２６】
このシステム１００では、携帯デバイス１１０は、上記で特定される１１個のアンテナとは別個の、車両５００の内部に配置されるマスタデバイス１２０と通信する。図２３の図示された実施形態に示すように、このシステム１００は少なくとも以下のゾーン、Ａ）内側、Ｂ）運転席側近くの外側、Ｃ）助手席側近くの外側、Ｄ）テールゲート／トランク近くの外側、Ｅ）車両５００の近くではないが接続される、およびＦ）接続されない、を判定することができてもよい。
【０２２７】
追加のゾーン４００が、様々なレベルの精度で定義されてもよい。例えば、近傍ゾーン４００の外側に別の外部ゾーン４００が定義されてもよく、それは車両５００からさらに遠くまで延びる（アプローチゾーン）。システム１００は、運転席前方ドア１４２、運転席後方ドア１４２、助手席前方ドア１４２、助手席後方ドア１４２、またはトランクに近い、車両５００内外の位置を判定することもできる。デバイス１１０がどのゾーン４００内に位置するか否かを正確に判定するシステム１００の能力は、通信媒体の基本的な能力（例えば、ＢＬＥ対ＵＷＢ対ＬＦ）によって制限されることがある。
【０２２８】
１１アンテナシステム１００は、車両５００のシェルの周囲に、よりロバストな内側／外側の到達範囲を提供し、各ドア１４２に対して、および車両５００の車体のより多くの点で、近接度および差分をより正確に判定することができるという点で、７アンテナシステム１００に対する潜在的な利点を提供する。ＢＬＥベースのシステム１００において、追加のアンテナ３１２は、このシステム１００が多様な環境において車両５００からの距離をより正確に判定することを可能にもする。ＢＬＥベースのシステム１００では、追加のアンテナ３１２はまた、システム１００が、人のポケット（前面または背面）の中にある可能性がある携帯デバイスの位置を確認するときに他のシステムが有するいくつかの課題を克服することを可能にする。
【０２２９】
７アンテナシステム１００と同様に、携帯デバイス１１０がどのゾーン４００に位置するかを判定することは、本開示内に記載された差分および閾値技法を組み合わせることによって達成され得る。システム１００は、内側を示すための（例えば、内部＞外部）、内部アンテナ３１２（３１２−２、３１２−３、３１２−５、３１２−７、３１２−９、および３１２−１１）の最大値と外部アンテナ３１２（３１２−１、３１２−４、３１２−６、３１２−８、および３１２−１０）の最大値との差分と、アンテナ３１２のセット（例えば、３１２−２、３１２−３、３１２−５、３１２−７、３１２−９、および３１２−１１）の中の最大ＲＳＳＩが所定の閾値（または閾値範囲）内であることの両方を要求することによって、ゾーンＡ（内側）を他のゾーン４００から区別することができる。最大の内部および外部アンテナ３１２の間の差分を使用することに加えて、もしくは代えて、システム１００は、適切な指示を提供するため、一定のアンテナ３１２のペア（例えば、対象の仮想境界４１０を生成する複数のアンテナ３１２）間の差分を要求することによって、ゾーンＡ（内側）を他のゾーン４００から区別してもよい。例えば、システム１００は、すべて、ゾーンＡ内に位置しているとの内側であることを示すための、アンテナ３１２−１と３１２−２との差分、アンテナ３１２−４と３１２−５との差分、アンテナ３１２−６と３１２−７との差分、アンテナ３１２−８と３１２−９との差分、およびアンテナ３１２−１０と３１２−１１との差分を利用してもよいし、もしくは、ゾーンＡ内に位置する内側を示すため、車両５００の両側でただ１つの差分を利用するだけでもよい。どの組の差分を使用するかは、他の差分の値および満足される（または満足されない）閾値に基づいて選択されてもよい。例えば、すべての差分が内側であることを示し、最大ＲＳＳＩ閾値が第１閾値の別の範囲内である（例えば、第１閾値範囲を僅かに外れるが、第２閾値範囲内である）場合、システム１００は、第１の閾値が満たされないにもかかわらず、携帯デバイスがゾーンＡ内と示してもよい。
【０２３０】
システム１００は、アンテナ３１２のセット（例えば、３１２−２、３１２−３、３１２−５、３１２−７、３１２−９および３１２−１１）の中での最大ＲＳＳＩ（または最小計算距離）が、１つまたは複数の所定の閾値範囲内（例えば、運転席近傍閾値範囲内、助手席近傍閾値範囲内、テールゲート近傍閾値範囲内、など）にあることを要求することによって、ゾーンＢ、Ｃ、またはＤをＥから区別することができる。
【０２３１】
システム１００は、携帯デバイス１１０が接続され（すなわち、１つまたは複数のマスタデバイス１２０と通信している）、かつゾーンＡ−Ｄ内にあると判定されなかった場合、携帯デバイス１１０の位置がゾーンＥ内にあると判定することができる。システム１００はまた、携帯デバイス１１０が接続され、かつアンテナ３１２のセット（例えば、３１２−２、３１２−３、３１２−５、３１２−７，３１２−９および３１２−１１）の中の最大ＲＳＳＩ（または最小計算距離）が、１つまたは複数の所定の閾値範囲を超えている（例えば、遠い閾値範囲よりも遠い、最小ＲＳＳＩを超えているなど）場合、携帯デバイス１１０の位置がゾーンＥ内にあると判定することができる。
【０２３２】
システム１００は、携帯デバイス１１０が接続されない場合、携帯デバイス１１０の位置がゾーンＦ内にあると判定することができる。
【０２３３】
７センサシステム１００と同様に、単一の閾値に加えて、またはその代わりに、アンテナ３１２の異なる組み合わせが、システムエッジケース（例えば、アンテナ３１２−２、３１２−３、３１２−５、３１２−７，３１２−９および３１２−１１の最大ＲＳＳＩは運転席近傍閾値範囲内でなければならない、アンテナ３１２−１と３１２−８の最大ＲＳＳＩはＸより小さくなければならない、アンテナ３１２−１と３１２−２の最大ＲＳＳＩはＹより小さくなければならず、かつアンテナ３１２−２、３１２−３、３１２−５、３１２−７，３１２−９および３１２−１１の最大ＲＳＳＩはＹからＺの範囲内でなければならない、など）を上手く処理するために、異なる閾値および閾値の組み合わせを有してもよい。
【０２３４】
アンテナ測定／近似誤差は、閾値範囲の一部として、または各閾値（または閾値範囲）に適用される追加の範囲として表すことができる。例えば、測定／近似誤差が２ｄＢｍである場合、閾値（および閾値範囲）は、−５０ｄＢｍ＋／−２ｄＢｍ、−５２ｄＢｍ、または−４８ｄＢｍ、−６０ｄＢｍから−３０ｄＢｍ＋／−２ｄＢｍ、−５８ｄＢｍから−２８ｄＢｍ、−５８ｄＢｍから−３２ｄＢｍ、−６２ｄＢｍから−２８ｄＢｍ、または、−６２ｄＢｍから-３２ｄＢｍなどとして表すことができる。
【０２３５】
差分はまた、閾値または閾値範囲を適用されてもよい（例えば、内側と見なされるために、［３１２−２］は［３１２−１］より少なくともＸだけ大きくなければならない）。
【０２３６】
ゾーンに入る（例えば、ＡからＢへの遷移）ための１つの値（またはイン時間量）と、ゾーンから出る（例えば、ＢからＡへの遷移）ための別の値（またはアウト時間量）とを必要とするヒステリシス（時間ベースまたは値ベース）もまた、差分もしくは閾値（または閾値範囲）に適用されてもよい。ヒステリシスはまた、測定誤差を包み込むための手段であってもよい。ヒステリシスは、ゾーン遷移判定自体にも適用されてもよい（例えば、前記決定を知らせる前に、複数の位置決めの繰り返しが同じ決定をもたらすことを必要とする）。
【０２３７】
閾値および閾値範囲は、ＲＳＳＩ（例えば、ｄＢ、ｄＢｍなど）、計算距離（例えば、メートル）、合成値（すなわち、少なくとも部分的にＲＳＳＩから導出される別の値）、またはそれらの任意の組み合わせに関して表現され、評価されてもよい。
【０２３８】
異なる収集物および集約方法（例えば、最小、最大、平均、クラスタ、中央値など）から計算される距離は、異なる方程式または手法のセットを使用してもよい。例えば、個々のアンテナ３１２から計算される距離は、方程式または手法Ｘを使用することができ、一方、アンテナ３１２−２、３１２−３、３１２−５、３１２−７，３１２−９および３１２−１１の最大値から計算される距離は、方程式または手法Ｙを使用してもよい。さらなる例として、運転席前方外部アンテナ（３１２−１）、運転席後方外部アンテナ（３１２−８）、および運転席外部アンテナのセット（３１２−１と３１２−８）の最大値も、それぞれ距離を計算するための異なる方程式または手法を有してもよい。複数の距離計算が与えられると、決定される距離は、所定のまたは動的な集計方法（例えば、最小、最大、平均、クラスタ、中央値など）を使用して選択されてもよい（例えば、運転席側の計算された距離の最小値が選択され、運転席側距離として使用されてもよい）。
【０２３９】
システム１００は、満足される可能性のあるゾーン閾値のセットの中から、いずれのゾーンを代表する外部アンテナ３１２（例えば、Ｂについては３１２−１と３１２−８、Ｃについては３１２−４と３１２−１０、Ｄについては３１２−６など）が最も高いＲＳＳＩ（または最も小さい計算距離）を有するかを判定することによって、ゾーンＢ、Ｃ、およびＤを区別してもよい。
【０２４０】
ＢＬＥベースのシステム１００では、携帯デバイス１１０が人のポケット内に入れられている（すなわち、彼らの人体によって減衰される）シナリオを上手く取り扱うために、携帯デバイス１１０が（そうでなければ近くではないと判断され得る）近接ゾーン内にあるか否かを判定するために、複数のセットのアンテナ３１２と閾値が利用されてもよい。このような処理は、システム１００が携帯デバイス１１０は対応する（または任意の）近接ゾーン閾値内にあると確信するかにかかわらず、どの近接ゾーン（Ｂ、Ｃ、またはＤ）が選択され得るかを決定するためにシステム１００を利用することができる。携帯デバイス１１０が特定の近接ゾーン４００内にあるか否かを判定するために使用される第１閾値範囲が満たされないが、第２閾値範囲内であり、かつ（同じまたは別のアンテナ３１２を使用する）１つ以上の他の差分および／または第２閾値が、特定の近接ゾーン４００に関して満たされる場合、システム１００はその近接ゾーン４００を選択することができる。例えば、システム１００は、代表する外部アンテナ３１２を使用して判定されたものとして、携帯デバイス１１０が運転席側にあると確信しているが、車両５００からの距離を計算するために使用されるアンテナのセット（例えば、３１２−２、３１２−３、３１２−５、３１２−７，３１２−９および３１２−１１）の中の最大ＲＳＳＩ（または最小計算距離）は、第１運転席側近接閾値内ではないが、第２運転席側近接閾値内であり、かつ運転席側の代表外部アンテナ３１２の最大ＲＳＳＩ（または、最少計算距離など）が、対応する近接オーバーライド閾値内である場合、システム１００は、携帯デバイス１１０がゾーンＥ（近くではない）ではなく、ゾーンＢ（運転席近く）に位置していると判定することができる。そのような判定はまた、より高い信頼性を提供するために、様々なアンテナ３１２ペアの差分を組み込んでもよい（例えば、運転席側アンテナ３１２の両方または少なくとも１つが外側を示し、助手席側アンテナ３１２の両方または少なくとも１つが内側を示すことを確かめる）。そのような判定はまた、さらなる信頼性を提供するために他のアンテナ３１２からのＲＳＳＩ（または計算距離など）を組み込んでもよい（例えば、運転席側に近い場合、助手席側距離は特定の閾値範囲内でありえる）。
【０２４１】
いくつかの基礎をなす通信技術では、ＲＳＳＩは、ＢＬＥの場合のように、信号遮断物および反射物のために非常にノイズが多くなる可能性があり、本開示で特定される高度な信号分析技法にもかかわらず、そのようなノイズまたは近接ゾーン（Ｂ、Ｃ、およびＤ）間の環境の影響による望ましくない一時的なゾーン遷移を防止するために、追加の（インテリジェント）フィルタリングが利用されてもよい。そのようなフィルタリングは、１つの近接ゾーンから別のゾーンへの遷移に対して、より大きい閾値差が必要であることを含んでもよい。（例えば、ＤからＢまたはＣへの遷移に対して、代表外部アンテナ３１２の最大値の間の５ｄＢのＲＳＳＩ差を利用し、ＢからＣへの遷移に対して、代表外部アンテナ３１２の最大値の間の１０ｄＢのＲＳＳＩ差を利用する、など）。そのようなフィルタリングはまた、近接ゾーン４００内へ遷移するとき、および／または１つの近接ゾーン４００から別のゾーンへ遷移するときに、適切な指示を提供するために、一定のアンテナ３１２のペア（例えば、対象の仮想境界４１０を生成するアンテナ３１２）間の１つ以上の差分を要求することを含んでもよい。例えば、システム１００は、ＥからＢへの遷移に対し、外側を示すための３１２−１と３１２−２との間、または３１２−８と３１２−９との間の差分を利用してもよいが、ＣからＢへの遷移に対し、外側を示すための３１２−１と３１２−２との間、および３１２−８と３１２−９との間の差分と、内側を示すための３１２−４と３１２−５との間、および３１２−１０と３１２−１１との間の差分とを利用してもよい。別の例では、システムは、閾値が満足されなかったとき、ＣからＢへ遷移するとき、外側を示すための３１２−１と３１２−２との間、または３１２−８と３１２−９との間の差分と、内側を示すための３１２−４と３１２−５との間、または３１２−１０と３１２−１１との間の差分とを利用するだけでもよい。別の例では、システム１００は、ＢまたはＣからＤへの遷移に対して、内側を示すための、３１２−１と３１２−２との間、または３１２−８と３１２−９との間、および３１２−４と３１２−５との間、または３１２−１０と３１２−１１との間の差分を利用してもよい。これらの技法は、内側／外側を含む、他のゾーン遷移にも適用されてもよい。
【０２４２】
反射による測定されたＲＳＳＩの変動（またはノイズ）は、その考えられる欠点にもかかわらず、複数の周波数／チャネルにわたって動作するシステム（例えば、ＢＬＥ）において、（セクションＣ．９に記載されように）周波数／チャネルごとのＲＳＳＩ測定値の分析を通じて、反射物体（例えば、他の車両５００）が近くにいることを判定可能である、との利点を提供し得る。例えば、携帯デバイス１１０が遠くにある場合、大多数のチャネルにわたってＲＳＳＩ測定値にばらつきがあるかもしれない。しかしながら、携帯デバイス１１０が近くにある場合、大多数のチャネルでのＲＳＳＩ測定値に実質的な一致があるかもしれない。したがって、（[本明細書に記載の]測定値／近似誤差を包み込むことができる、１つ以上の閾値によって判定されるように）わずか数チャネルでのＲＳＳＩ測定値が他のチャネルから大きく変化する状況では、システム１００は、車両５００または他の物体がそのアンテナ３１２の近くにあると結論付けることができ、必要に応じて閾値または方法を調整することができる。例えば、システム１００は、他の車両５００が車両５００の運転席側の近くに存在すると判定し、車両５００の該当する側のアンテナ３１２と共に使用される閾値または距離測定方法、ゾーン判定基準、較正／オフセット、本明細書に開示された任意の他の属性または方法、あるいはそれらの任意の組み合わせを変更してもよい。少なくとも、前述のように、無効な測定値はフィルタリングされてもよい。
【０２４３】
システム１００は、判定されたバックグランド電力および／またはバックグランドノイズに基づいて、閾値、ヒステリシス、アンテナ３１２の組み合わせ、差分、組み合わせ方法、および／または任意の他の開示された方法を調整してもよい。例えば、バックグランド電力／ノイズが高いと判定された場合、閾値が増加されてもよい。
【０２４４】
システム１００はまた、システム自体のアンテナ３１２（マスタデバイス１２０の１つ以上のアンテナ３１２を含む）からの送信から測定されたＲＳＳＩに基づいて、閾値、ヒステリシス、アンテナ３１２の組み合わせ、差分、組み合わせ方法、および／または任意の他の開示された方法を調整してもよい。例えば、各アンテナ３１２がマスタデバイス１２０によって送信された信号のＲＳＳＩを測定し、前記測定されたＲＳＳＩが閾値（例えば、所定の［通常またはオープンフィールド］基準など）を超える場合、閾値は増加されてもよい。例えば、１つのアンテナ３１２が別のアンテナ３１２によって送信された信号のＲＳＳＩを測定し、前記測定されたＲＳＳＩが閾値（例えば、所定の［通常またはオープンフィールド］基準など）を超える場合、システム１００は、大きな反射物体が近くにあると判定することができ、または逆に、測定されたＲＳＳＩが閾値を下回る場合、物体が前記アンテナ３１２の間に存在すると判定することができる。
【０２４５】
一実施形態では、システム１００は、上述のように、数チャネルのみでの変動を観測することによって、またはアンテナ３１２間のＲＳＳＩを測定することによってなど、車両５００または物体が近くにあると判定したとき、前記車両または物体までの距離が、三辺測量および／または多辺測量、あるいは本明細書に記載の任意の他の方法、またはそれらの任意の組み合わせを使用することによって、測定ＲＳＳＩと所定の［通常またはオープンフィールド］基準との差を使用して計算されてもよい。
【０２４６】
いくつかのアンテナ３１２は、下図に示すように、移動可能な場所（ドア１４２またはテールゲートなど）に配置されてもよく、または、機器（車両５００）の可動部によって影響を受ける場所に配置されてもよい。ある場合には、アンテナ３１２または機器の構成部品の移動はシステム動作に影響を及ぼさない。他の場合では、機器の状態に関する理解は、システム１００が、いずれの閾値、差分、距離計算方法、または他の計算が実行されるかを変更するための手段を提供することができる。これらの場合のいくつかにおいて、望ましい振る舞いは、機器の状態が変化していない場合と同じ振る舞いであるかもしれない（例えば、携帯デバイス１１０が開いたドア１４２の隙間に置かれたとき、システム１００は、携帯デバイス１１０が内側（ゾーンＡ）にあることを示さず、代わりに、外側（必要に応じて、ゾーンＢ、Ｃ、又はＤ）にあることを示すことが望ましい場合がある）。望ましい振る舞いはまた、例えば、後部テールゲートが開かれている場合、携帯デバイス１１０がテールゲートの近くに位置していると確信されるならば、内側へのいかなる遷移も防止する、別の振る舞いであるかもしれない。車両５００によって提供される機器状態を使用することによって、そのような変更が可能である。各ドア１４２について、ドア１４２の半分開いた状態を受信することによって、システム１００は、破棄してもよいし、そのドアの相違またはアンテナ３１２を織り込む代わりの経験則を使用してもよい。例えば、運転席ドア１４２が開いている場合、対応する内部アンテナ３１２は、車両距離を計算するために使用されるアンテナ３１２のセットから省かれてもよい。例えば、携帯デバイス１１０が車室の外側の運転席後方ドア１４２に位置しているとき、運転席前方ドア１４２が閉じられていれば、差分は外側を示すが、運転席ドア１４２が開かれていれば、差分は内側を示すかもしれず、携帯デバイス１１０が外側に位置していると判定し続けるために、追加の閾値または追加の差分の比較の使用を必要とする。
【０２４７】
アンテナ３１２が各ドア１４２の中または近くにあることと、携帯デバイス１１０の潜在的な近接性に対する手がかりを提供するドアが開いている状態とを用いて、システム１００は、各ドア１４２に対する携帯デバイス１１０の相対位置に基づいて、その決定を最適化または偏倚させてもよい。そのようなアンテナ３１２の配置の一例が、図２４−図２７の図示された実施形態に示されており、この場合、ドア１４２またはウィンドウが移動し、車両５００の内部空間５０２に１つ以上の開口部１４３が残る。
【０２４８】
各ドア１４２のウィンドウの状態を受信することによって、影響を受けるアンテナ３１２に対して、代替の信号分析が実行されてもよいし、あるいは異なる閾値が選択されてもよい。例えば、車両のガラスがＲＦ遮断材料でコーティングされている場合は、ウィンドウの上げ下げで距離の計算が大幅に変わる可能性があり、一方、コーティングされていない場合は、影響が小さいか無視できる可能性がある。例えば、ウィンドウが閉じられ、ドア１４２が開かれていない場合、これは、内側から外側へ、または外側から内側へ遷移する携帯デバイス１１０の能力に悪影響を及ぼす可能性がある。（特定のゾーン遷移を実質的に防止または抑止するためにも使用され得る）イグニッション状態、およびシートセンサ状態（シートに身体がある場合、携帯デバイス１１０の位置特定を助ける追加データを提供し得る）などの他の機器状態も含まれてもよい。
【０２４９】
システム１００は、代替的または追加的に、三辺測量および／または多辺測量ベースの手法（本明細書に記載）を使用して、携帯デバイス１１０が位置するゾーン４００を判定してもよい。
【０２５０】
システム１００は、代替的または追加的に、飛行時間／到着時間（ＴＯＦ／ＴＯＡ）および／または到着時間差（ＴＤＯＡ）ベースの手法（本明細書に記載）を使用して距離を判定してもよい。
Ｅ．１．ｄ  他のＲＳＳＩ専用システム
【０２５１】
３、５、７、および１１アンテナシステムの例示的な実施形態を説明した。システム１００は、特定された方法を依然として使用しながら、より多いまたはより少ないアンテナ３１２を用いて実施されてもよい。例えば、１２個のアンテナを有するシステム１００であって、車両５００の前部に追加のアンテナ３１２を有する１１個のアンテナシステムであってもよく、それは追加的に前方ゾーン４００を画定する。例えば、１２個のアンテナを有するシステム１００であって、車両５００の室外後部に追加のアンテナ３１２を有する１１アンテナシステムであってもよく、それは後部ゾーン４００を画定する際の援助を提供する（例えば、運転席／助手席側外部アンテナ３１２と同様）。
【０２５２】
それぞれの実施形態の場合、システム１００は、代替的にまたは追加的に、三辺測量および／または多辺測量ベースの手法（本明細書に記載）を使用して、携帯デバイス１１０が位置するゾーン４００を判定してもよい。
【０２５３】
それぞれの実施形態の場合、システム１００は、代替的にまたは追加的に、飛行時間／到着時間（ＴＯＦ／ＴＯＡ）および／または到着時間差（ＴＤＯＡ）ベースの手法（本明細書に記載）を使用して距離を判定してもよい。
Ｅ．２  到着角度を用いる内側／外側車両マイクロロケーションの実施形態
【０２５４】
これらのシステムでは、（例えば、ヒューリスティックフィンガープリント、確率的ヒューリスティック、多角測量などを使用して）車両５００に対してデバイスを位置決めするために到着角度が使用される。本明細書に記載されるように、到着角度の測定値は、スニッフィングアプローチを用いて得られる。しかしながら、実施形態自体は、測定値を取得するために特定のアーキテクチャを利用する必要はない。到着角度（ＡｏＡ）の代わりに、出発角度（ＡｏＤ）、ならびに本明細書に記載の任意の到着角度／出発角度方法を使用することができることに留意されたい。しかしながら、以下の開示は単に角度が使用される全ての可能な実施に関する（すなわち、ＡｏＡおよびＡｏＤは互換的に使用されることができ、角度はどちらの方法にも関係し得る）。
【０２５５】
これらの実施形態のうちの１つ以上において、システム１００は、報告されるゾーン４００ごとに、正確さの尤度の指標（例えば信頼スコア／メトリック、尤度スコア／メトリック、他の報告ゾーン４００および／または現在のゾーン４００に対する確率など）を提供してもよい。
【０２５６】
これらの開示は、本開示において本明細書で説明されるように、信号の角度を測定するとき、実際にはアンテナアレイであり得るアンテナ３１２を指すことに留意されたい。本明細書で説明するように、任意の所与のセンサ３１０が複数のアンテナ３１２（またはアンテナアレイ）に接続されてもよいし、任意の所与のアンテナ３１２（またはアンテナアレイ）が複数のセンサ３１０に接続されてもよい。
【０２５７】
他で説明されるように、これらのアンテナ３１２は、１つまたは複数の角度測定値（例えば、水平、垂直、または水平および垂直角度測定値など）を提供することができることに留意されたい。例えば、垂直角度を報告するアンテナ３１２は、システム５００に、車両５００に対する携帯デバイス１１０の垂直位置（例えば、地面までの距離）を推定する能力を与えることができる。ＲＳＳＩ専用の説明においては直接的に論じられていないが、仮想境界は、（例えば、[本明細書に記載されるように]適切に配置されたグランドプレーンまたは他の区分器を用いたＲＳＳＩ差分を使用して）３Ｄ空間で定義され得るので、上述した垂直角度アプローチと同様に、システム１００は、「低い対高い」の携帯デバイス１１０の垂直位置（または、追加のアンテナ３１２およびグランドプレーン／区分器で、可能性のあるより多くの垂直位置）を判定するために、地面に平行な分離グランドプレーン／区分器とともに、複数のアンテナ３１２にわたるＲＳＳＩベースの差分を使用することもできる。
【０２５８】
以下に説明する到着角度ベースのシステムは、角度にのみ依存する。そのような角度専用システムは、ゾーン４００を判定するために角度のみを使用するが、それらは、閾値または他の信号分析技術（例えば、他の信号よりも著しく低いなど）を使用するかどうかによらず、関係する信号と無関係の信号（例えば、反射、遠すぎる信号など）とを区別するために、ＲＳＳＩも使用することができることに留意されたい。ゾーン４００を判定するために前述のＲＳＳＩアプローチを追加で使用するシステムは、（ＡｏＡ−ＲＳＳＩシステムとして）本明細書に記載される。
Ｅ．２．ａ  １２アンテナＡｏＡ専用システム 
【０２５９】
例えば図４８に示される車両マイクロロケーションシステム１００の一実施形態では、システム１００は、到着角度（ＡＯＡ）と、１２個のアンテナを使用することができる。
１．運転席側をカバーする室外運転席側フロントコーナーの近く、その上、または内部（例えば、運転席側ヘッドライトアッセンブリの運転席側、運転席側フロントクォータパネルトリムの運転席側、運転席側フロントホイールウェル、フロントフェイシャ／バンパーの運転席側、運転席サイドミラー、など）のアンテナ３１２−１。
２．前側をカバーする室外運転席側フロントコーナーの近く、その上、または内部（例えば、運転席側ヘッドライトアッセンブリの前側、前側の運転席側クォータパネルトリム、フロントフェイシャ／バンパーの運転席の前側、フロントグリルの運転席側、など）のアンテナ３１２−２。
３．前側をカバーする室外助手席側フロントコーナーの近く、その上、または内部（例えば、助手席側ヘッドライトアッセンブリの前側、前側の助手席側クォータパネルトリム、フロントフェイシャ／バンパーの助手席の前側、フロントグリルの助手席側、など）のアンテナ３１２−３。
４．助手席側をカバーする室外助手席側フロントコーナーの近く、その上、または内部（例えば、助手席側ヘッドライトアッセンブリの助手席側、助手席側フロントクォータパネルトリムの助手席側、助手席側フロントホイールウェル、フロントフェイシャ／バンパーの助手席側、助手席サイドミラー、など）のアンテナ３１２−４。
５．助手席側をカバーする室外助手席側リヤコーナーの近く、その上、または内部（例えば、助手席側テールライトアッセンブリの助手席側、助手席側リヤクォータパネルトリムの助手席側、助手席側リヤホイールウェル、リヤフェイシャ／バンパーの助手席側、助手席側後部ドアハンドル、助手席側ガソリンタンクカバー、など）のアンテナ３１２−５。
６．後側をカバーする室外助手席側リヤコーナーの近く、その上、または内部（例えば、助手席側テールライトアッセンブリの後側、後側の助手席側クォータパネルトリム、リヤフェイシャ／バンパーの助手席の後側、など）のアンテナ３１２−６。
７．後側をカバーする室外運転席側リヤコーナーの近く、その上、または内部（例えば、助手席側テールライトアッセンブリの後側、後側の運転席側クォータパネルトリム、リヤフェイシャ／バンパーの運転席の後側、など）のアンテナ３１２−７。
８．運転席側をカバーする室外運転席側リヤコーナーの近く、その上、または内部（例えば、運転席側テールライトアッセンブリの運転席側、運転席側リヤクォータパネルトリムの運転席側、運転席側リヤホイールウェル、リヤフェイシャ／バンパーの運転席側、運転席側後部ドアハンドル、運転席側ガソリンタンクカバー、など）のアンテナ３１２−８。
９．室内をカバーする室内前部中央の近く、その上、または内部（例えば、ダッシュボードの中央、センタースタック、アームレスト、カップホルダー、バックミラー、ヘッドライナーまたはフロントガラスの近くの屋根に取り付けられた眼鏡保管容器の中央、など）のアンテナ３１２−９。
１０．室内をカバーする室内助手席側中央の近く、その上、または内部（例えば、助手席Ｂピラー、助手席Ｃピラー、助手席Ｂ／Ｃピラーに近いヘッドライナー、助手席Ｂ／Ｃピラーに近いフロア、助手席前方ドア１４２、助手席後方ドア１４２、前方／後方助手席シートの背もたれ／ヘッドレスト、など）のアンテナ３１２−１０。
１１．室内をカバーする室内後部中央の近く、その上、または内部（例えば、テールゲート／トランクまたはリヤウィンドウ近くのヘッドライナーの中央、テールゲート／トランクまたはリヤウィンドウ近くのフロアの中央、スペアタイヤウェル、テールゲート／トランク、バンパー、など）のアンテナ３１２−１１．
１２．室内をカバーする室内運転席側中央の近く、その上、または内部（例えば、運転席Ｂピラー、運転席Ｃピラー、運転席Ｂ／Ｃピラーに近いヘッドライナー、運転席Ｂ／Ｃピラーに近いフロア、運転席前方ドア１４２、運転席後方ドア１４２、前方／後方運転席シートの背もたれ／ヘッドレスト、など）のアンテナ３１２−１２。
【０２６０】
このシステム１００では、携帯デバイス１１０は、上述の１２個のアンテナ３１２とは別の、車両５００の内部に配置されたマスタデバイス１２０と通信する。
【０２６１】
このシステム１００では、開示されるように、アンテナ３１２は、（例えば、アンテナ３１２の一方の側が意図的に遮断され、アンテナ３１２のその側からアンテナ３１２に信号が届かないようにされるので[すなわち、アンテナアレイが配置される面と反対側のプリント回路基板の面]、または、車両の金属がアンテナ３１２の一部への信号をブロックするので、など）１８０°の視野に制限されるものと仮定される。しかしながら、より広い視野（最大３６０°）を有するアンテナ３１２が使用される代替の実施形態が存在する。図４８の図示された実施形態では、前部／後部および側部アンテナ３１２の視野は互いに垂直である（理想的である）ように示されているが、実装位置および／または実際のアンテナ視野は、様々なアンテナ３１２の視野が互いに対してわずかな角度となることをもたらたす場合があり、ギャップまたはオーバーラップのいずれかを生じる。
【０２６２】
水平角度測定が、この、および他のシステム１００の開示において、主に説明される。しかしながら、前述のように、システム１００（および代替および／または派生システムの実施形態）は、水平および垂直角度測定（および場合によっては、それぞれの複数の測定、またはさらに別の軸での測定などの、他の角度測定）のいずれかまたは両方を使用できる。
【０２６３】
本実施形態では、上述のように、外部アンテナ３１２は、以下の図に示すように、ヘッドライト／テールライトのそれぞれの中または近くに配置される。別の実施形態があり、そこでは、アンテナ３１２は車両５００の外側の側面の中央付近に配置される（すなわち、グリル、運転席Ｂピラー、助手席Ｂピラー）。アンテナ３１２がこれらの実施形態の任意の位置に配置される実施形態もある（例えば、特定の車両５００によって課される実装要件による）。
【０２６４】
本実施形態では、上述のように、内部アンテナ３１２は、以下の図に示されるように、車両５００の室内のそれぞれの側（すなわち、運転席側、前側、助手席側、後側）の中央付近に配置される。別の実施形態があり、そこでは、アンテナ３１２は車両５００の室内のコーナー（すなわち、運転席側前方、助手席側前方、助手席側後方、運転席側後方）の近くに配置される。アンテナ３１２がこれらの実施形態の任意の位置に配置される実施形態もある（例えば、特定の車両５００によって課される実装要件による）。
【０２６５】
本システム１００は、少なくとも以下のゾーン４００、Ａ）内側、Ｂ）運転席側近くの外側、Ｃ）助手席側近くの外側、Ｄ）テールゲート／トランク近くの外側、Ｅ）前側近くの外側、Ｆ）車両５００の近くではないが接続されている、およびＧ）接続されていない、を判定することができる。
【０２６６】
Ａに加えて、システム１００はまた、以下のゾーン４００、ＡＤＦ（室内運転席前側）、ＡＰＦ（室内助手席前側）、ＡＤＲ（室内運転席後側）、ＡＤＦ（室内助手席後側）、ＡＴ（トランク内側）の１つ以上を判定することができる。
【０２６７】
上記のゾーン４００は、各アンテナ３１２の視野４１２、および（測定／近似誤差マーカーを有する）各ゾーン４００を定義するために使用され得る例示的な閾値と共に、図４８の図示された実施形態に示されている。
【０２６８】
追加のゾーン４００が、様々なレベルの精度で定義されてもよい。例えば、近傍ゾーン４００の外側に別の外側ゾーン４００が定義されてもよく、それは車両５００からさらに遠くまで延びる（アプローチゾーン４００）。垂直ゾーン４００もまた、様々なレベルの精度で定義されてもよい。例えば、低い、中間、および高い垂直ゾーン４００が、近傍ゾーン４００に対して定義されてもよい。デバイスがどのゾーン４００内に位置するかどうかを正確に判定するシステム１００の能力は、通信媒体の基本的な能力（例えば、ＢＬＥ対ＵＷＢ対ＬＦ）、および角度測定設備の精度（例えば測定／近似誤差）によって制限されることがある。
【０２６９】
各アンテナの角度および／または閾値は、任意の向きおよび／または単位で定義されてもよい。しかしながら、本開示では、角度および閾値は「度」で表される（例えば、ラジアンに対して）。例えば、本開示では、全ての水平方向角度測定については、０°（および３６０°）は、車両５００の前方を向いており、９０°は助手席側を向いており、すべての垂直角度測定については、０°は地面に平行であり、＋９０°は空を向いており（すなわち、上）、および−９０°は地面を向いている（すなわち、下）と仮定する。あるいは、例えば、アンテナ３１２−１２については、０°が車両の前方に向かい、９０°が助手席側に向かうが、一方、アンテナ３１２−１０については、９０°が運転席側に向かってもよい。各アンテナ３１２の向きは、車両５００に対して固定されている（予め定められている）と仮定される。アンテナ３１２が車両５００の可動部分に配置されるときのように、アンテナ３１２の向きが固定されない代替の実施形態が存在し、その場合、アンテナ３１２の向きは動的に決定されてもよい。
【０２７０】
システム１００は、各内部アンテナ３１２（３１２−９から３１２−１２）から測定された角度が所定の閾値（または閾値範囲）内にあることを要求することによって、他のゾーン４００からゾーンＡ（内側）を区別することができる。システム１００は、ゾーンＡを判定するために、外部アンテナ（３１２から３１２−８）が携帯デバイス１１０から信号（または有効信号［例えば、反射信号は無効と見なすことができる、測定された角度が以前の測定値から過度に大きく変化する、など］）を受信していない（または、終始一貫して受信していない）こと、首尾一貫した角度を測定していない（すなわち、外部アンテナ３１２が信号を測定している場合、前記測定値が著しく変化する［おそらく、受信された測定値が反射によるもの、または遠くからのものであることを示す］）こと、所定の閾値（または閾値範囲）の範囲内（または範囲外）であること、またはそれらの任意の組み合わせを追加で利用してもよい。
【０２７１】
システム１００は、携帯デバイス１１０がゾーンＡ（内側）にあると判定したとき、内部アンテナ（３１２−９から３１２−１２）の組み合わせから測定される角度が所定の閾値（または閾値範囲）内にあることを要求することによって、携帯デバイス１１０が、ゾーンＡＤＦ、ＡＰＦ、ＡＤＲ、ＡＰＲ、またはＡＴに位置するかどうかを判定してもよい。例えば、アンテナ３１２−９が１８０°から２７０°の範囲内にある角度を測定し、アンテナ３１２−１０が２７０°から０°の範囲内にある角度を測定し、アンテナ３１２−１１が１８０°から２７０°の範囲内にある角度を測定し、および、アンテナ３１２−１２が０°から９０°の範囲内にある角度を測定するとき、携帯デバイス１１０がゾーンＡＤＦに位置していると判定されてもよい。代替として、システム１００は、アンテナ３１２−１０または３１２−１２とともにアンテナ３１２−９または３１２−１０の、２つだけのアンテナ３１２を使用することによって、携帯デバイス１１０がゾーンＡにあると判定された場合に、ゾーンＡＤＦを決定してもよい。ゾーンＡＰＦ、ＡＤＲ、およびＡＰＲは同様の方法で決定され得る。例えば、アンテナ３１２−９が９０°から２７０°の範囲内にある角度を測定し、アンテナ３１２−１０が１８０°から２２５°の範囲内にある角度を測定し、アンテナ３１２−１１が９０°から２７０°の範囲内にある角度を測定し、およびアンテナ３１２−１２が１３５°から１８０°の範囲内にある角度を測定したとき、携帯デバイス１１０はゾーンＡＴ内に位置すると判定されてもよい。代替として、システム１００は、アンテナ３１２−１０および３１２−１２のみを使用することによって、携帯デバイス１１０がゾーンＡ内にあると判定された場合に、ゾーンＡＴを決定してもよい。例えば、ゾーンＡＴの判定に関して、さらにアンテナ３１２−９の閾値を制限することによって（例えば、測定角度が１５５°から２０５°内であることを利用するように）、アンテナ３１２−９の閾値をさらに制限することによって追加の信頼性が提供されてもよい。
【０２７２】
ゾーン４００が、様々な数のアンテナ３１２を用いて（例えば、様々な信頼レベルで）計算され得るとき、どのアンテナ３１２を使用すべきかを決定するために複数の閾値が利用されてもよい。例えば、システム１００は、通常、上述のように４つすべての内部アンテナ３１２（３１２−９から３１２−１２）を使用してＡＤＦを決定することができるが、ゾーンＡがすでに判定されているときは、２つの内部アンテナ３１２（上述の）を利用するだけでもよく、アンテナ３１２−１２は３０°から６０°の範囲内にある角度を測定し、アンテナ３１２−９は２１０°から２４０°の範囲内にある角度を測定する。例えば、携帯デバイス１１０の垂直位置が低いと判定された場合、１セットのアンテナ３１２および／または閾値が使用され、垂直位置が高いと判定された場合、別のセットのアンテナ３１２および／または閾値が使用されてもよい。
【０２７３】
システム１００は、ゾーンＡ、ＡＤＦ、ＡＰＦ、ＡＤＲ、ＡＰＲ、および／またはＡＴを判定するために使用されるものと同様のアプローチを適用することによって、ゾーンＢＥをＦから区別することができる。ゾーンＢＥは、外部アンテナ（３１２−１３１２−８）の組み合わせから測定される角度が所定の閾値（または閾値範囲）内にあることを要求することによって判定されてもよい。例えば、アンテナ３１２−１が１８０°から２１０°の範囲内にある角度を測定し、アンテナ３１２−８が３３０°から０°の範囲内にある角度を測定するとき、携帯デバイス１１０はゾーンＢ内に位置すると判定されてもよい。
【０２７４】
システム１００はさらに、特定のゾーンＢ−Ｅを決定するために、任意の組み合わせの他の外部アンテナ（３１２−１から３１２−８）が携帯デバイス１１０から信号（または有効信号［例えば、反射信号は無効と見なすことができる、測定された角度が以前の測定値から過度に大きく変化する、など］）を受信していない（または、終始一貫して受信していない）こと、首尾一貫した角度を測定していない（すなわち、外部アンテナ３１２が信号を測定している場合、前記測定値が著しく変化する［おそらく、受信された測定値が反射によるもの、または遠くからのものであることを示す］）こと、所定の閾値（または閾値範囲）の範囲内（または範囲外）であること、またはそれらの任意の組み合わせを追加で利用してもよい。例えば、アンテナ３１２−１が１８０°から２１０°の範囲内である角度を測定し、アンテナ３１２−８が３３０°から０°の範囲内である角度を測定し、アンテナ３１２−２が携帯デバイス１１０からの信号を受信しないか、または車両５００の前部の視野４１２内である角度を測定し（例えば、３１５°から４５°、０°から９０°など）、アンテナ３１２−７が携帯デバイス１１０から信号を受信しないか、または車両５００の後部の視野４１２内である角度を測定し（例えば、２３０°から９５°、１８０°から９０°など）、および、他の外部アンテナ３１２が携帯デバイス１１０から信号を受信しないか、または一貫した角度を測定しないとき、携帯デバイス１１０はゾーンＢ内に位置していると判定してもよい。そのような追加の制約は、特定のゾーン４００を判定するために利用されてもよく、または追加の信頼を提供するための手段として使用されてもよい。
【０２７５】
システム１００は、特定のゾーンＢ−Ｅを決定するために、任意の組み合わせの内部アンテナ（３１２−９から３１２−１２）が携帯デバイス１１０から信号（または有効信号［例えば反射信号は無効と見なすことができる、測定された角度が以前の測定値から過度に大きく変化する、など］）を受信していない（または終始一貫して受信していない）こと、首尾一貫した角度を測定していない（すなわち、外部アンテナ３１２が信号を測定している場合、前記測定値が著しく変化する［おそらく、受信された測定値が反射によるもの、または遠くからのものであることを示す］）こと、所定の閾値（または閾値範囲）の範囲内（または範囲外）であること、またはそれらの任意の組み合わせを追加で利用してもよい。例えば、アンテナ３１２−１が１８０°から２１０°の範囲内である角度を測定し、アンテナ３１２−８が３３０°から０°の範囲内である角度を測定し、アンテナ３１２−９が２７０°から２２５°の範囲内である角度を測定し、アンテナ３１２−１０が２２５°から３１５°の範囲内である角度を測定し、アンテナ３１２−１１が２７０°から３１５°の範囲内である角度を測定するとき、携帯デバイス１１０はゾーンＢ内に位置していると判定してもよい。あるいは、システム１００は、アンテナ３１２−１２が携帯デバイス１１０から信号を受信していない、または、一貫して角度を測定していないことを追加で利用してもよい。あるいは、システム１００は、（アンテナ３１２−９、３１２−１１、および３１２−１２を無視して）アンテナ３１２−１０のみを使用してもよい。そのような追加の制約は、特定のゾーン４００を判定するために利用されてもよく、または追加の信頼を提供するための手段として使用されてもよい。
【０２７６】
内部ゾーン４００と同様に、ゾーン４００が様々な数のアンテナ３１２を用いて（例えば、様々な信頼度レベルで）計算され得るとき、どのアンテナ３１２を用いるべきかを決定するために複数の閾値が利用されてもよい。例えば、システム１００は、上述のように、４つの外部アンテナ３１２（例えば、３１２−１、３１２−２、３１２−７、及び３１２−８）を使用してＢを決定し得るが、上述のように、アンテナ３１２−１が１８０°から２００°の範囲内である角度を測定し、アンテナ３１２−８が３４０°から０°の範囲内である角度を測定するとき、２つのアンテナ３１２（例えば、３１２−１と３１２−８）のみを利用してもよい。あるいは、システム１００は、他のアンテナ３１２が携帯デバイス１１０から信号を受信しない、または一貫した角度を測定しないとき、２つのアンテナ（３１２−１および３１２−８）を使用してＢを決定してもよいし、信号が３１２−１および３１２−８以外のアンテナ３１２から受信されるとき、より多くのアンテナ３１２（例えば、３１２−１、３１２−２、３１２−７、および３１２−８）を利用してもよい。あるいは、システム１００は、他のアンテナ３１２が携帯デバイス１１０から信号を受信しない、または一貫した角度を測定しないとき、３つのアンテナ（３１２−１、３１２−８および３１２−１０）を使用してＢを決定してもよいし、信号が３１２−１および３１２−８以外の外部アンテナ３１２から受信されるとき、より多くのアンテナ３１２（例えば、３１２−１、３１２−８、３１２−９、３１２−１０および３１２−１１）を利用してもよい。例えば、携帯デバイス１１０の垂直位置が低いと判定された場合、１つのセットのアンテナ３１２および／または閾値が使用されてもよいし、垂直位置が高いと判定された場合、別のセットのアンテナ３１２および／または閾値が使用されてもよい。
【０２７７】
上記の例はゾーンＢに関して与えられている。ゾーンＣ−Ｅも同様に決定することができる。１つのゾーン４００での不存在は、別のゾーン４００の決定に信頼度を提供し得る（例えば、ゾーンＣでの不存在は、ゾーンＢにおける存在にさらなる信頼度を提供し得る）。例えば、携帯デバイス１１０がゾーンＡにあると判定されない場合、それが別のゾーン４００に位置しているとの確信はより大きくなる。
【０２７８】
ＲＳＳＩベースのシステムとは異なり、角度のみをベースとするシステムは、直接的に距離を計算しない。代わりに、より大きなまたは代替の閾値によって定義されるゾーン４００内の存在を使用して、ゾーンＢ−Ｅからさらに定義されるゾーン４００（例えば、アプローチおよび／またはウェルカムゾーン４００）内の存在を判定することができる。ゾーン４００の重心から車両５００の中心（または他の任意の基準点）までの距離を推定する、ゾーンの特定の縁から車両５００の中心までの距離を推定する、などによってのように、一旦、ゾーン４００が決定されると、任意の数の手法を使用して距離が決定され得る。距離は、多角測量ベースの位置決め手法（本明細書に記載）を使用するとき、計算された位置から車両５００の中心（または他の任意の基準点）までの距離を推測することによって決定されてもよい。
【０２７９】
システム１００は、携帯デバイス１１０が接続され（つまり、１つ以上のマスタデバイスと通信している）、ゾーンＡ−Ｅ内にあると判定されなかった場合、ゾーンＦ内にあると携帯デバイス１１０の位置を判定してもよい。システム１００はまた、任意の組み合わせのアンテナ３１２（例えば、すべて、すべての外部、すべての内部など）が携帯デバイス１１０から信号（または有効信号［例えば反射信号は無効と見なすことができる、測定された角度が以前の測定値から過度に大きく変化する、など］）を受信していない（または終始一貫して受信していない）、首尾一貫した角度を測定していない（すなわち、外部アンテナ３１２が信号を測定している場合、前記測定値が著しく変化する［おそらく、受信された測定値が反射によるもの、または遠くからのものであることを示す］）、任意のゾーンＦを定義する閾値（または閾値範囲）の範囲内（または範囲外）である、またはそれらの任意の組み合わせである場合、携帯デバイス１１０の位置をゾーンＦ内にあると判定してもよい。
【０２８０】
システム１００は、携帯デバイス１１０が接続されない場合、携帯デバイス１１０の位置がゾーンＧ内にあると判定してもよい。
【０２８１】
単一の閾値に加えて、またはその代わりに、アンテナ３１２の異なる組み合わせが、システムエッジケースをより上手く処理するために、異なる閾値および閾値の組み合わせを有してもよい（例えば、ゾーンＢを決定するとき、アンテナ３１２−１および３１２−８を使用する際に使用される閾値は、アンテナ３１２−１、３１２−２、３１２−７、および３１２−８、または、３１２−１、３１２−８、および３１２−１０、などを使用する際に使用される閾値とは異なってもよい）。
【０２８２】
各アンテナ３１２は、「度」で表すことができる測定（近似）誤差を有する（すなわち、アンテナ３１２は、信号の角度を近似し、これは、近似誤差だけ実際の角度から変動し得る）。典型的な到着角度システムでは、測定誤差は１０°または２０°となる可能性がある。到着角度アンテナアレイがＲＳＳＩベースの差動アンテナペアを使用することによって形成されるような粗い到着角度システムでは、測定誤差は４５°または９０°となるかもしれない。アンテナ測定値／近似誤差は、垂直方向と水平方向の測定値（および追加の測定値）で異なる場合がある。
【０２８３】
アンテナ測定／近似誤差は、閾値範囲の一部として、または各閾値（または閾値範囲）に適用される追加の範囲として表すことができる。例えば、測定／近似誤差が１０°である場合、閾値（および閾値範囲）は、９０°＋／−１０°、８０°、または１００°、１０°から１７０°＋／−１０°、０°から１６０°、０°から１８０°、２０°から１６０°、または２０°から１８０°などと表すことができる。
【０２８４】
ゾーンに入る（例えば、ＡからＢへの遷移）ための１つの値（またはイン時間量）と、ゾーンから出る（例えば、ＢからＡへの遷移）ための別の値（またはアウト時間量）とを必要とする、ヒステリシス（時間ベースまたは値ベース）もまた、閾値（または閾値範囲）に適用されてもよい。ヒステリシスはまた、測定／近似誤差を包み込むための手段であってもよい。ヒステリシスは、ゾーン遷移判定自体にも適用されてもよい（例えば、前記決定を知らせる前に、複数の位置決めの繰り返しが同じ決定をもたらすことを必要とする）。
【０２８５】
いくつかの基礎をなす通信技術では、測定される角度は、ＢＬＥの場合のように、信号遮断物および反射物のために非常にノイズが多くなる可能性があり、本開示で特定される高度な信号分析技法にもかかわらず、そのようなノイズまたは環境の影響による望ましくない一時的なゾーン遷移を防止するために、追加の（インテリジェント）フィルタリングが利用されてもよい。そのような反射のために、特定のゾーン４００を決定するための制約のセットの一部として、特定のアンテナ３１２からの測定値がないことに依存することは問題となり得る。その結果、そして本明細書に記載されるように、そのような問題を軽減するのを助けるために、無効な測定値は無視されてもよいし（例えば、反射信号［ＲＳＳＩを比較することによって、または他のメカニズム／アルゴリズムによって判定される、以前の測定値からの大きすぎる変動など］）、または、矛盾する測定値を持つアンテナ３１２が無視されるか、信号を受信していないものと同様に扱われてもよい。そのようなフィルタリングを用いても、角度のみをベースとするシステム（すなわち、ゾーン４００を決定するためにＲＳＳＩ差分／閾値／および／または距離を使用しないシステム）は反射に対して脆弱である。
【０２８６】
反射による測定された角度の変動（またはノイズ）は、その考えられる欠点にもかかわらず、複数の周波数／チャネル（例えば、ＢＬＥ）にわたって動作するシステムにおいて、（セクションＣ．９に記載されように）周波数／チャネルごとの角度測定値の分析を通じて、反射物体（例えば、他の車両５００）が近くにいることを判定可能である、との利点を提供し得る。例えば、携帯デバイス１１０がアンテナ３１２の視野４１２内になく、または、遠くにある場合、大多数のチャネルにわたって角度測定値にばらつきがあるかもしれない。しかしながら、携帯デバイス１１０が、アンテナ３１２の視野４１２内であって、近くにある場合、大多数のチャネルでの角度測定値に実質的な一致があるかもしれない。したがって、（[本明細書に記載の]測定値／近似誤差を包み込むことができる、１つ以上の閾値によって判定されるように）わずか数チャネルでの角度測定値が他のチャネルから大きく変化する状況では、システム１００は、車両５００または他の物体がそのアンテナ３１２の近くにあると結論づけることができ、必要に応じて閾値または方法を調整することができる。例えば、システム１００は、他の車両５００が車両５００の運転席側の近くに存在すると判定し、車両５００の該当する側のアンテナ３１２と共に使用される閾値または距離測定方法、ゾーン判定基準、較正／オフセット、本明細書に開示された任意の他の属性または方法、あるいはそれらの任意の組み合わせを変更してもよい。少なくとも、前述のように、無効な測定値はフィルタリングされてもよい。
【０２８７】
システム１００は、判定されたバックグランド電力および／またはバックグランドノイズに基づいて、閾値、ヒステリシス、アンテナ３１２の組み合わせ、差分、組み合わせ方法、および／または任意の他の開示された方法を調整してもよい。例えば、バックグランド電力／ノイズが高いと判定された場合、閾値が、厳格化されてもよいし、または緩和されてもよい。
【０２８８】
システム１００はまた、システム自体のアンテナ３１２（マスタデバイスの１つ以上のアンテナ３１２を含む）からの送信から測定された角度に基づいて、閾値、ヒステリシス、アンテナ３１２の組み合わせ、差分、組み合わせ方法、および／または任意の他の開示された方法を調整してもよい。例えば、各アンテナ３１２がマスタデバイス１２０によって送信された信号の角度を測定し、前記測定された角度が閾値（例えば、所定の［通常またはオープンフィールド］基準など）範囲内または範囲外である場合、閾値は厳格化され、または緩和され（または、使用不可と判定され）てもよい。例えば、１つのアンテナ３１２が別のアンテナ３１２によって送信された信号の角度を測定し、前記測定された角度が閾値（例えば、所定の［通常またはオープンフィールド］基準など）範囲内または範囲外である場合、システム１００は、大きな反射物体が近くにあると判定することができる。
【０２８９】
一実施形態では、システム１００は、上述のように、数チャネルのみでの変動を観測することによってなどで、車両５００または物体が近くにあると判定したとき、前記車両５００または物体までの距離が、多角測量（例えば、三角測量）を使用して計算されてもよい。
【０２９０】
いくつかのアンテナ３１２は、下図に示すように、（可動ヘッドライト、テールライト、ドア１４２，テールゲート／トランクなどのような）移動可能な場所に配置されてもよく、または、機器（車両５００）の可動部によって影響を受ける場所に配置されてもよい。ある場合には、アンテナ３１２または機器の構成部品の移動はシステム動作に影響を及ぼさない。他の場合では、機器の状態に関する理解は、システム１００が、いずれの閾値、または他の計算が実行されるかを変更するための手段を提供することができる。これらの場合のいくつかにおいて、望ましい振る舞いは、機器の状態が変化していない場合と同じ振る舞いであるかもしれない（例えば、携帯デバイス１１０が開いたドア１４２の隙間に置かれたとき、システム１００は、携帯デバイス１１０が内側（ゾーンＡ）にあることを示さず、代わりに、外側（必要に応じて、ゾーンＢ−Ｅ）にあることを示すことが望ましい場合がある）。望ましい振る舞いはまた、例えば、後部テールゲートが開かれている場合、携帯デバイス１１０がテールゲートの近くに位置していると確信されるならば、内側へのいかなる遷移も防止する、別の振る舞いであるかもしれない。車両５００によって提供される機器状態を使用することによって、そのような変更が可能である。アンテナ３１２が配置された各ドア１４２について、ドア１４２の半分開いた状態を受信することによって、前記アンテナ３１２が利用されるとき、システム１００は、破棄してもよいし、代わりの経験則または閾値を使用してもよい。例えば、携帯デバイス１１０が車室の外側の運転席後方ドア１４２に位置しているとき、アンテナ３１２が運転席前方ドア１４２に配置され、その運転席前方ドア１４２が閉じられている場合、そのアンテナ３１２は外側を示すかもしれないが、運転席ドア１４２が開かれていれば、アンテナ３１２は内側を示すかもしれず、携帯デバイス１１０が外側に位置していると判定し続けるために、追加の閾値、もしくは追加または別の閾値とアンテナ３１２との比較の使用を必要とする。別の例では、携帯デバイス１１０が車室の外側の運転席後方ドア１４２に位置しているとき、アンテナ３１２が機器の非可動部分に配置されており、運転席前方ドア１４２が閉じられている場合、そのアンテナ３１２は外側を示すかもしれないが、運転席ドア１４２が開かれていれば、それはある角度で経路を遮断する（ギャップを生成する）か、または別のアンテナ３１２への直接の反射経路を提供する可能性があり、携帯デバイス１１０が外側に位置していると判定し続けるために、追加の閾値、もしくは追加または別の閾値とアンテナ３１２との比較の使用を必要とする。
【０２９１】
携帯デバイス１１０の潜在的な近接性に対する手がかりを提供するドアが開いている状態を用いて、システム１００は、各ドア１４２に対する携帯デバイス１１０の相対位置に基づいて、その決定を最適化または偏倚させてもよい。各ドア１４２のウィンドウの状態を受信することによって、代替の信号分析が実行されてもよいし、あるいは異なる経験則が使用されてもよい。ウィンドウが閉じられ、ドア１４２が開かれていない場合、これは、内側から外側へ、または外側から内側へ遷移する携帯デバイス１１０の能力に悪影響を及ぼす可能性がある。（特定のゾーン遷移を実質的に防止または抑止するためにも使用され得る）イグニッション状態、およびシートセンサ状態（シートに身体がある場合、携帯デバイス１１０の位置特定を助ける追加データを提供し得る）などの他の機器状態も含まれてもよい。そのようなアンテナ３１２の配置および状態の一例が、図２８−図３１の図示された実施形態に示されている。
【０２９２】
システム１００は、代替的にまたは追加的に、（本明細書に記載されている）多角測量ベースのアプローチを使用して、携帯デバイス１１０が位置するゾーン４００を決定してもよい。
【０２９３】
システム１００は、代替的または追加的に、（本明細書に記載されている）飛行時間／到着時間（ＴＯＦ／ＴＯＡ）および／または到着時間差（ＴＤＯＡ）ベースのアプローチを使用して距離を決定してもよい。
Ｅ．２．ｂ  他のＡｏＡ専用システム
【０２９４】
１２個のアンテナシステムの例示的実施形態が説明された。特定された方法を依然として使用しながら、より多いまたはより少ないアンテナ３１２を使用するシステムを実装することが可能である。例えば、
・記載されたシステムとは異なる配置を持つ１２アンテナシステム。
・６個の外部および４個の内部アンテナ３１２を備え、前方および方向近接ゾーン４００を決定する能力が制限され可能性がある、１０アンテナシステム。
・４個の外部および４個の内部アンテナ３１２を備え、外側近接ゾーン４００を決定する能力がより制限される可能性がある、８アンテナシステム。
・内側の判定を提供できないが、外側のゾーン４００を提供することができる、いかなる内部アンテナ３１２も含まない８アンテナシステム。
・内側の判定だけを提供することができる、または外側のゾーン４００を判定するために内部アンテナ３１２に依存する、いかなる外部アンテナ３１２も含まない４アンテナシステム。
・多くの非常に正確なゾーン４００を提供する１６アンテナシステム。
・など。
【０２９５】
図３１−図４３および図６７の図示された実施形態において、いくつかの考えられる代替の内部および外部アンテナ構成が示されている。これらの構成、または図示されていない他の構成を組み合わせて、さまざまな特性（例えば、正確さ／精度、可能なゾーン４００の数、冗長性、２Ｄ対３Ｄ適用範囲、など）の角度ベースのシステムを作り出すことができる。
【０２９６】
各実施形態の場合、システム１００は、代替的にまたは追加的に、（本明細書で説明される）多角測量ベースの手法を使用して、携帯デバイス１１０が位置するゾーン４００を判定してもよい。
【０２９７】
各実施形態の場合、システム１００は、代替的にまたは追加的に、（本明細書に記載される）飛行時間／到着時間（ＴＯＦ／ＴＯＡ）および／または到着時間差（ＴＤＯＡ）ベースのアプローチを使用して距離を決定してもよい。
Ｅ．３  到着角度およびＲＳＳＩを用いる内外の車両マイクロロケーションの実施形態
【０２９８】
これらのシステム（以後ＡｏＡ−ＲＳＳＩシステムと呼ぶ）では、（例えば、ヒューリスティックフィンガープリント、確率的ヒューリスティック、三辺測量、多辺測量、多角測量、多角辺測量、などを使用して）車両５００に対してデバイスを位置決めするために、ＲＳＳＩおよび／または到着角度が使用される。ＲＳＳＩおよび到着角度の測定値は、本明細書に記載されるように、スニッフィングアプローチを使用して取得され得る。しかしながら、実施形態自体は、測定値を取得するために特定のアーキテクチャを利用する必要はない。到着角度（ＡｏＡ）の代わりに、出発角度（ＡｏＤ）、ならびに本明細書に記載の任意の到着角度／出発角度方法を使用することができることに留意されたい。しかしながら、以下の開示は単に角度が使用される全ての可能な実施に関する（すなわち、ＡｏＡおよびＡｏＤは互換的に使用されることができ、角度はどちらの方法にも関係し得る）。
【０２９９】
本明細書に記載の１つまたは複数の実施形態では、システム１００は、報告されるゾーン４００ごとに、正確さの尤度の指標（例えば、信頼スコア／メトリック、尤度スコア／メトリック、他の報告ゾーン４００および／または現在のゾーン４００に対する確率など）を提供してもよい。
【０３００】
これらの開示は、本開示において本明細書で説明されるように、信号の角度を測定するとき、実際にはアンテナアレイであり得るアンテナ３１２を指すことに留意されたい。本明細書で説明するように、任意の所与のセンサ３１０が複数のアンテナ３１２（またはアンテナアレイ）に接続されてもよいし、任意の所与のアンテナ３１２（またはアンテナアレイ）が複数のセンサ３１０に接続されてもよい。
【０３０１】
他で説明されるように、前記アンテナ３１２は、１つまたは複数の角度測定値（例えば、水平、垂直、または水平および垂直角度測定値など）を提供することができることに留意されたい。例えば、垂直角度を報告するアンテナ３１２は、システム５００に、車両５００に対する携帯デバイス１１０の垂直位置（例えば、地面までの距離）を推定する能力を与えることができる。
【０３０２】
本明細書に記載されるように、角度測定センサは、閾値または他の信号分析技術（例えば、他の信号よりも著しく低いなど）を使用するかどうかによらず、関係する信号と無関係の信号（例えば、反射、遠すぎる信号など）とを区別するために、ＲＳＳＩを使用することができることに留意されたい。
【０３０３】
センサ３１０は、角度、ＲＳＳＩ、差分（ＲＳＳＩまたは角度）、またはそれらの任意の組み合わせを報告する（すなわち、測定し、使用のために他のセンサ３１０に利用可能にする）ことができる。ＡｏＡ−ＲＳＳＩシステムは、センサタイプの任意の組み合わせ（例えば、角度のみを報告するセンサ３１０、ＲＳＳＩのみを報告するセンサ３１０、両方を報告するセンサ３１０など）から構成することができる。例えば、システム１００は、角度を報告するいくつかのセンサ３１０と、ＲＳＳＩを報告するいくつかのセンサ３１０とから構成されてもよい。あるいは、例えば、システム１００は、角度とＲＳＳＩの両方を報告するセンサ３１０から完全に構成されてもよい。角度とＲＳＳＩの両方を報告するセンサは、単一のアンテナ３１２を使用して（１つのアンテナ３１２［すなわちアンテナアレイ］を使用して角度とＲＳＳＩを測定する）、複数のアンテナ３１２を使用して（例えば、１つのアンテナを使ってＲＳＳＩを測定し、別のアンテナを使用して角度を測定する、別個のアンテナアレイ）、またはそれらの任意の組み合わせにより、それを行うことができる。特定のＡｏＡ−ＲＳＳＩシステムのための設計および仕様（例えば、測定／近似誤差、感度、サイズ、通信媒体など）と共に、センサ３１０（およびアンテナ３１２）の適切な組み合わせは、その用途およびコスト／性能要求次第である。
【０３０４】
距離は、（多角測量によって）ＲＳＳＩまたは角度から計算され得ることに留意されたい。それゆえ、距離が使用される場合はいつも、ＲＳＳＩまたは角度（または、ＲＳＳＩまたは角度の任意の他のユニット／派生値）が代わりに用いられ、および／または追加されてもよい。同様に、ＲＳＳＩまたは角度（または、ＲＳＳＩまたは角度の他の任意のユニット／派生値）が使用される場合は常に、距離が代用され、および／または追加されてもよい。飛行時間／到着時間（ＴＯＦ／ＴＯＡ）および到着時間差（ＴＤＯＡ）によってなど、ＲＳＳＩまたは角度に依存せずに距離が決定される方法が存在する。本開示におけるＲＳＳＩ、角度、および／または距離の使用は、ＴＯＦ、ＴＤＯＡ、または代替方法の使用を制限する、または妨げることを意図するものではなく、したがって、距離、ＲＳＳＩ、および／または角度が、距離測定／評価に関して使用される場合はいつも、距離は、そのような代替方法によって計算された距離を参照することができ、ＲＳＳＩまたは角度は、ソース測定値（例えば、時間、時間差など）で置き換えることができる。
【０３０５】
ＡｏＡ−ＲＳＳＩシステムでは、関連する（相関する）角度および距離の測定値（例えば、同じ位置からの角度およびＲＳＳＩ測定値）は、＜角度、距離＞のペアと呼ばれることがあり、それは、上述のように、１つ以上のアンテナ３１２を使用する１つのセンサ３１０を介して（例えば、角度と距離の両方を提供する１つのアンテナアレイ３１２を有するセンサ３１０から、角度を提供するアンテナアレイ３１２と距離を提供する別のアンテナ３１２とを有するセンサ３１０から、複数の＜角度、距離＞のペアなどを提供する複数のアンテナアレイ３１２を有するセンサ３１０から、など）、１つ以上のアンテナ３１２を使用する複数のセンサ３１０を介して（例えば、１つのセンサ３１０は角度を提供し、別の近くのセンサ３１０は距離を提供し得る、など）、または、それらの任意の組み合わせによって、提供されることができる。本明細書に記載されるように、＜角度＞は、水平軸、垂直軸、または任意の他の軸に対する角度、または実際には、複数の角度測定値（例えば、水平および垂直軸の両方からの＜角度Ｈ、角度ｖ＞）であってもよいことに留意されたい。任意の所与のセンサ３１０は、複数の＜角度、距離＞のペアを報告することができる（例えば、１つのセンサ３１０が複数のアンテナ３１２に接続され、各アンテナ３１２を異なる視野を持つように、および／または機器上の異なる位置［例えば、内側と外側］に配置してもよい、など）。本明細書で説明されるスニッフィングアプローチを使用するＡｏＡ−ＲＳＳＩシステムでは、＜角度、距離＞のペアは、多くのアンテナ３１２にわたる同一の信号送信から得られ、したがってさらに時間的、周波数的、および空間的に相関し得る。＜距離＞成分は、携帯デバイス１１０に対する距離（絶対値または差分）、１つまたは複数の他のアンテナ３１２／センサ３１０に対する距離（例えば、差分ベースの多辺測量アプローチと同様の距離差）、またはそれらの任意の組み合わせを含むことができる。同様に、＜角度＞成分は、携帯デバイス１１０に対する１つ以上の角度（絶対値または差分）、１つ以上の他のアンテナ３１２／センサ３１０に対する１つ以上の角度（例えば、差分ベースの多辺測量アプローチと同様の角度差）、またはそれらの任意の組み合わせを含むことができる。提供された例示的な実施形態では、アンテナ３１２／センサ３１０の位置（および対応する位置情報）は固定されている（静止）。しかしながら、アンテナ３１２／センサ３１０の位置が部分的に動的であり得る（すなわち、機器の状態に基づいて１つの位置から他のいくつかの位置に移動し得る［例えば、ドア１４２上のアンテナ３１２／センサ３１０など］）、または、完全に動的である（すなわち、対応する位置情報がリアルタイムで決定される［例えば、他のシステム／方法によって、他の固定アンテナ３１２／センサ３１０を使用することによって、など）代替の実施形態が存在する。
【０３０６】
ＲＳＳＩと角度の両方をベースとするシステム、およびゾーン４００内においてデバイスを位置決めするために、それらに使用される技法について説明した。個々には、これらのシステムのそれぞれは、本開示に記載された方法／技法を使用するとき、それぞれ様々な可能性のある利点（長所）および可能性のある不利益（弱点）を伴って、驚くほどうまく機能する。ＲＳＳＩおよびＡｏＡベースのシステムは、異なるデータ（ＲＳＳＩと角度）で動作するので、異なる障害モードを持つ（および、同じ障害モードはいくつかあるが、異なるシナリオで発生する）。特に、ＢＬＥのような、一般的な物体（金属および水など）からの反射および減衰の影響を受けやすい通信媒体を使用して動作するシステムにおいて、改善された性能およびロバスト性を提供するために、ＲＳＳＩベースおよび角度ベースの技法を、システムの障害モードの相違を利用可能となるように組み合わせることができる。
【０３０７】
後に本明細書に開示される方法および技法を使用して、開示されたＲＳＳＩおよびＡｏＡシステムおよび／または技法が、それらの長所および障害モードの相違を利用可能となるように組み合わされてもよく、それにより、ＡｏＡ−ＲＳＳＩシステムは、ＲＳＳＩ専用および角度専用システムに比べて、いずれのシステム１００も個別には克服できない障害モードを鎮静しつつ、改善された性能およびロバスト性を提供できる結果となる。例えば、ＢＬＥを使用して動作するシステムは、一般的な物体（例えば、金属、水、人体、木材など）から信号の反射や減衰の影響を受けやすいため、前記信号反射および／または減衰の結果、デバイスが、特定のゾーン４００の内部に位置するかしないかを誤って判定する可能性がある。
【０３０８】
ＡｏＡ−ＲＳＳＩシステムは、ＲＳＳＩおよびＡｏＡ技法を、任意の時点で任意の組み合わせで使用してもよい。ＡｏＡ−ＲＳＳＩシステムは、すべてのゾーン判定のためにＲＳＳＩとＡｏＡ技法の両方を組み込んでもよいし、または特定の状況および／またはゾーン判定においてＲＳＳＩとＡｏＡ技法の両方を組み込むだけで、他の状況および／またはゾーン判定ではＲＳＳＩまたはＡｏＡ技法のみを使用してもよい（例えば、システム１００は、外側ゾーン４００の特定のセットを判定するためにＲＳＳＩとＡｏＡを使用し、デバイスが内側ゾーン４００内にあるか判定するためにＲＳＳＩだけを使用してもよい）。
【０３０９】
上述したように、ＲＳＳＩ専用システムと角度専用システムは、それぞれ異なる障害モードを有することがある。信号反射物と遮断物は、ＲＳＳＩと角度に異なる影響を与える可能性がある（ＢＬＥなどのＲＦベースのシステムにおいて、各送信機/受信機の向きに対して、並びに、各チャネル/周波数に対して）。
【０３１０】
例えば、ＲＳＳＩは、通常はそれぞれ無効または有効とされえる、特定の場所からアンテナ３１２への伝播経路を有効または無効にする反射物または遮断物のため、より強くなったり、または弱くなったりすることがある（例えば、携帯デバイス１１０が車両５００の後部から２メートル離れている場合、内部アンテナ３１２の最大ＲＳＳＩは、車両５００が住宅用ガレージ内に駐車されているときよりも、車両５００が開放された野外に駐車されているときよりも、車両５００が金属製屋根を有する商業用ガレージ内に配置されているときにかなり大きくなる可能性がある。人が携帯デバイス１１０とアンテナ３１２との間にいる場合には、前記携帯デバイス１１０から前記アンテナ３１２への信号のＲＳＳＩ測定値は、人がそれらの間にいない場合よりも著しく低くなる可能性がある。車両５００が他の車両５００の中に駐車されている場合、近くの車両５００が、内部アンテナ３１２の最大ＲＳＳＩを特定の距離において通常値よりも高くする反射を生じる可能性がある。）
【０３１１】
本明細書で説明されているように、スニッフィングアーキテクチャと共に使用されるとき、ＲＳＳＩ差分技法は、反射物／遮断物の影響を実質的に受けない。しかしながら、ＲＳＳＩベースの距離計算およびＲＳＳＩ（すなわち、差分ではない）は、反射物／遮断物に対して脆弱である可能性がある（これは、角度が何らかの支援を提供するかもしれない場合である）。
【０３１２】
別の例として、携帯デバイス１１０からの直接信号の角度の代わりに、反射の角度が測定されるかもしれないので、角度測定は反射によって不安定になる可能性がある（例えば、強める／弱める干渉［速いフェージング］によって、１台の車両５００が車両５００の運転席側に駐車され、携帯デバイス１１０が前記車両５００の運転席側に位置している場合、アンテナ３１２は、前記信号を受信しないのとは逆に、近くの駐車車両５００から反射される信号の角度を測定するかもしれない。）
【０３１３】
角度測定は、反射によって、より強くされたり、または弱くされたりすることはない（それよりも、それらはアンテナ３１２の視野４１２内にあることによってより信頼されえる）。本明細書に開示されるように、無効な測定値をフィルタリングするための到着角度技法が使用され、スニッフィングアーキテクチャを使用するとき、すべての利用可能なチャネル／周波数および他のアンテナ３１２／センサ３１０についてフィルタリングされ、相関され得る。スニッフィングアーキテクチャを使用して取得およびフィルタリングされたＲＳＳＩ情報と組み合わせることによって、様々な信号測定値の有効性にさらなる見識を提供することもできる。
【０３１４】
到着角度を、境界ゾーン４００について開示されたＲＳＳＩ技法と組み合わせることによって、ＡｏＡ−ＲＳＳＩシステムは、より高い近傍ゾーン判定精度、ならびに、反射によって、デバイスが実際にはゾーン４００の外側にあるが、そのゾーン４００内にあるように見える状況、またはゾーン４００の外側にあるように見えるが、実際にはそのゾーン４００の内側にある状況に対する許容力を提供することができる。これらの障害モードの相違は、他と同様に、すべてのゾーン４００（内側、外側、近い、遠い、距離ベース、または差分ベース）に利用され得る。
【０３１５】
以下のセクションでは、いくつかの考えられるＡｏＡ−ＲＳＳＩシステムおよびそれらの方法の実施形態について説明する。ＡｏＡ−ＲＳＳＩシステムは、前述のＲＳＳＩベースおよび角度ベースの方法、以下に記載される組み合わせ方法、飛行時間（ＴＯＦ）、到着時間差（ＴＤＯＡ）、三辺測量、多辺測量、多角測量、多角辺測量、またはそれらの任意の組み合わせを使用できることに留意されたい。また、前記システムは、以下に開示する組合せ方法、カルマンフィルタ、粒子フィルタ、確率的推定/フィルタ、フィンガープリンティング、およびヒューリスティックを含むがこれらに限定されない、開示された方法の任意の組合せを使用して、位置決め方法の結果を統合する（１つの方法の、または複数の方法の結果を統合する）ことができることにも留意されたい。
Ｅ．３．ａ  ２３アンテナＡｏＡ−ＲＳＳＩシステム（１２ＡｏＡ＋１１ＲＳＳＩ）
【０３１６】
例えば、図４９に示される車両マイクロロケーションシステム１００の一実施形態では、システム１００は到着角度（ＡＯＡ）およびＲＳＳＩを使用することができる。システム１００は、２３個のアンテナ３１２を含むことができる。このシステム１００では、１２アンテナＡｏＡシステム（セクションＥ．２．ａに記載、アンテナ３１２−１〜３１２−１２）と、１１アンテナＲＳＳＩシステム（セクションＥ．１．ｃに記載、アンテナ３１２−１３〜３１２−２３）とが、それぞれの各システム１００について前述された、アンテナ３１２（ＲＳＳＩ専用および角度専用）と、アンテナ配置とを使用して組み合わされる。これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３１７】
このシステム１００では、携帯デバイス１１０は、上記の２３個のアンテナ３１２とは別個の、車両５００の内部に配置されたマスタデバイス１２０と通信する。
【０３１８】
本システム１００は、少なくとも以下のゾーン４００、Ａ）内側、Ｂ）運転席側近くの外側、Ｃ）助手席側近くの外側、Ｄ）テールゲート／トランク近くの外側、Ｅ）前側近くの外側、Ｆ）車両５００の近くではないが、１つ以上の第２閾値の範囲内、Ｇ）車両５００の近くではないが、接続されている、およびＨ）接続されていない、を判定することができる。Ａに加えて、システム１００はまた、以下のゾーン４００、ＡＤＦ（室内運転席前側）、ＡＰＦ（室内助手席前側）、ＡＤＲ（室内運転席後側）、ＡＤＦ（室内助手席後側）、ＡＴ（トランク内側）の１つ以上を判定することができる。
【０３１９】
上記のゾーン４００は、各ＡｏＡアンテナ３１２の視野４１２、および（測定／近似誤差マーカーを有する）ＡｏＡおよびＲＳＳＩアンテナ３１２の両方のゾーン４００を定義するために使用され得る例示的な閾値と共に、図４９の図示された実施形態に示されている。
【０３２０】
追加の（または、より少ない）ゾーン４００が、様々なレベルの精度で定義されてもよい。例えば、近傍ゾーン４００の外側に別の外側ゾーン４００が定義されてもよく、それは車両５００からさらに遠くまで延び、ゾーンＦは存在しなくてもよく、または様々な角度で追加の近傍ゾーン４００が定義されてもよい。垂直ゾーン４００もまた、様々なレベルの精度で定義されてもよい。例えば、低い、中間、および高い垂直ゾーン４００が、近傍ゾーン４００に対して定義されてもよい。デバイスがどのゾーン４００内に位置するかどうかを正確に判定するシステム１００の能力は、通信媒体の基本的な能力（例えば、ＢＬＥ対ＵＷＢ対ＬＦ）、およびＲＳＳＩと角度の測定設備の精度（例えば測定／近似誤差）によって制限されることがある。
【０３２１】
システム１００は、特定のゾーン４００内の存在（または、不在）を判定するために、ＲＳＳＩベースのおよび／または角度ベースの方法の任意の組み合わせを使用することができる（例えば、ＲＳＳＩのみを使用、角度のみを使用、特定の閾値が満たされた［または、満たされない］ときにのみ、および／または、両方がゾーン４００を判定することができるとき、ＲＳＳＩベースの方法と角度ベースの方法の両方の間の一致を要求、ＲＳＳＩベースの方法と角度ベースの方法との１つを要求、最も可能性の高い位置をもたらす方法を選択［例えば、確率に基づいて、最大のマージンを持つ、など］、など）。
【０３２２】
システム１００は、携帯デバイス１１０が特定のゾーン４００内、または特定の距離に位置していることを判定するために、いずれの角度ベースの方法、アンテナ３１２の組み合わせ、閾値の組み合わせ、閾値、またはそれらの任意の組み合わせを使用するかを決定し、または変更するためにＲＳＳＩベースの方法を使用してもよい（例えば、ＲＳＳＩベースの方法が特定のゾーン４００［例えば、ゾーンＢ］を判定する場合、角度ベースの方法で利用される基準は緩和されてもよい［例えば、通常よりも僅かに包括的となるようにゾーンＢ閾値を調整する］）。同様に、システム１００は、携帯デバイス１１０が特定のゾーン４００内、または特定の距離に位置していることを判定するために、いずれのＲＳＳＩベースの方法、アンテナ３１２の組み合わせ、閾値の組み合わせ、閾値、またはそれらの任意の組み合わせを使用するかを決定し、または変更するために角度ベースの方法を使用してもよい（例えば、角度ベースの方法が特定のゾーン４００［例えば、ゾーンＢ］を判定する場合、ＲＳＳＩベースの方法で利用される基準は緩和されてもよい［例えば、通常よりも僅かに包括的となるようにゾーンＢ閾値を調整する］、角度ベースの方法が、携帯デバイス１１０はあるおおよその高さで特定のゾーン４００の近くにあると判定した場合、ＲＳＳＩベースの方法で利用される基準は厳しくされてもよい［例えば、通常よりもやや制限的となるようにゾーンＢの閾値を調整する］、など）。
【０３２３】
前述のように、携帯デバイス１１０および／または他のシステムアンテナ３１２（マスタデバイス１２０のアンテナ３１２を含む）からの、測定されたＲＳＳＩおよび／または角度の相違（またはノイズ）、ならびに測定されたバックグランド電力／ノイズは、システム１００が近くの物体（例えば、車両５００、人々など）の存在（または不在）、および／またはシステム１００が特定の環境（例えば、高反射環境）内に位置するかどうかを判定することを可能にする。前述のＲＳＳＩベースおよび角度ベースの方法は、そのような判定および／または調整を行うために別々にまたは一緒に使用することができる。
【０３２４】
一実施形態では、システム１００は、上述のようにＲＳＳＩベースおよび角度ベースの両方の方法を使用して、ほんの数チャンネル上の相違を観測することなどによって、車両５００または物体が近くにあると判定したとき、前記車両５００または物体までの距離を、多角測量（例えば、三角測量）、多角辺測量、他の任意の開示された方法、またはそれらの任意の組み合わせを使用して計算することができる。
【０３２５】
システム１００は、異なる時点での位置決め方法の結果を組み合わせるために、方法の異なる組み合わせを使用してもよい（例えば、システム１００は、ゾーン４００内へのまたはゾーン４００から外への遷移に対して、ＲＳＳＩベースと角度ベースの両方の方法の一致を利用してもよいが、前記ゾーン内に留まることに対して、ＲＳＳＩベースと角度ベースの方法のうちの１つだけを利用してもよい、など）。（特定のゾーン４００内に存在する、または、存在しないことにおいて）両方の方法が一致することに依存することは、携帯デバイス１１０がより明確に特定のゾーン４００内にあることに焦点を当てることを犠牲にして、システム１００が誤ったゾーン４００を判定する可能性を低減することができる（すなわち、両方のシステムから適用可能なすべての閾値の範囲内）。これは、特定のゾーンの判定が望まれるが、システム１００がそのような判定を提供することができない特定の状況（例えば、反射物または遮断物による課題をもたらす特定の位置における、特定の閾値の際の場合、など）をもたらすかもしれない。逆に、これらの方法のうちの１つのみを必要とすることは、不正確なゾーン４００を判定する可能性があることを犠牲にして、システム１００が特定のゾーン４００を判定する可能性を高める。これは、特定のゾーンの判定は望まれないが、システム１００がそのような判定を防止することができない特定の状況（例えば、反射物または遮断物による課題をもたらす特定の位置における、特定の閾値の際の場合、など）をもたらすかもしれない。
【０３２６】
いつ一致を利用し、あるいはいつ利用しないかの適切な選択は、システム１００の所望の動作に依存し、各システム１００における各ゾーン４００について、先験的に、静的に、または動的に決定され得る。大部分のシステムでは、特定のゾーン４００に対する、最適なまたは選択される方法の組み合わせは、以前のゾーン４００および候補ゾーン４００（すなわち、ある種のゾーン遷移）、候補ゾーン４００の集合自体（すなわち、互いに近いまたは遠く離れているゾーン４００を判定するＲＳＳＩベースおよび角度ベースの方法である）、候補ゾーン４００の具体性（すなわち、１つの候補ゾーン４００はほとんどあり得ないが、別のものは大いに有り得る）、満足される（または、されない）閾値の集合、特定の方法がゾーン４００を決定することができるかどうか（すなわち、角度ベースの方法がゾーン４００を決定することはできないが、ＲＳＳＩベースの方法は決定することができる場合、またはその逆）、他の関連基準（例えば、他の車両センサ、携帯デバイス１１０のセンサ、センサ３１０の状態／診断、など）、または、それらの任意の組み合わせに基づいて、動的に変化してもよい。
【０３２７】
一実施形態では、位置決め結果は、代替的にまたは追加的に、粒子フィルタを使用して組み合わされてもよい。別の実施形態では、位置決め結果は、代替的にまたは追加的に、
カルマンフィルタを使用して組み合わされてもよい。さらに別の実施形態では、位置決め結果は、代替的にまたは追加的に、起こり得る状態／ゾーン遷移の確率モデルを使用して組み合わされてもよい。さらに別の実施形態では、位置決め結果は、代替的にまたは追加的に、フィンガープリントを使用して組み合わされてもよい。
【０３２８】
任意の実施形態において、以前に記載されたもののような、追加のセンサ情報（例えば、ＩＮＳ（慣性航法システム）を備える携帯デバイス１１０またはシステム１００［例えば、加速度計、磁力計、ジャイロスコープなど］、超音波、歩数計測など）が、アンテナ３１２測定、信号処理技術、ゾーン判定方法、位置組合せ方法、他の任意の開示された方法または技術、またはそれらの任意の組合せに統合されてもよい。
【０３２９】
角度ベースのアンテナ３１２に関して、１つ以上のアンテナ３１２の視野が制限されることがあり、または１つ以上のアンテナ３１２の測定／近似誤差が大きくなることがあり、その結果、前記アンテナに関連付けられた閾値が制限され、望まれるものよりも小さい、大きい、または不正確であるゾーン境界となる可能性がある。そのような状況において、一致するためには、ＲＳＳＩベースの方法が、携帯デバイス１１０はこれらのゾーン４００のうちの１つに位置している（または、位置していない）と判定したとき、角度ベースの方法の１つ以上の閾値を緩和または厳格化することが有利となる可能性がある。例えば、ＲＳＳＩベースの方法が、携帯デバイス１１０はゾーンＢに位置すると判定した場合、角度ベースの方法の１つ以上の閾値が、より大きな角度ベースのゾーンＢを形成するために（従って、角度ベースの方法が携帯デバイス１１０はゾーンＢに位置していると判定する可能性が高くなる［例えば、角度ベースのシステムはそれ自体が所望の境界よりも近くなるので］）、緩和されてもよい。
【０３３０】
ＲＳＳＩベースのアンテナ３１２に関して、１つ以上のアンテナ３１２の視野（すなわち、放射パターン）が制限されることがあり、または１つ以上のアンテナ３１２の測定／近似誤差が大きくなることがあり、その結果、前記アンテナ３１２に関連付けられた閾値が制限され、望まれるものよりも小さい、大きい、または不正確であるゾーン境界となる可能性がある。そのような状況において、一致するためには、角度ベースの方法が、携帯デバイス１１０はこれらのゾーン４００のうちの１つに位置している（または、位置していない）と判定したとき、ＲＳＳＩベースの方法の１つ以上の閾値を緩和または厳格化することが有利となる可能性がある。例えば、角度ベースの方法が、携帯デバイス１１０はゾーンＢに位置すると判定した場合、ＲＳＳＩベースの方法の１つ以上の閾値が、より大きなＲＳＳＩベースのゾーンＢを可能とするために（従って、ＲＳＳＩベースの方法が携帯デバイス１１０はゾーンＢに位置していると判定する可能性が高くなる［例えば、ＲＳＳＩベースのシステム１００はそれ自体が所望の境界よりも近くなるので］）、緩和されてもよい。例えば、角度ベースの方法が、携帯デバイス１１０はあるおおよその高さで特定のゾーン４００の近くにあると判定した場合、ＲＳＳＩベースの方法で利用される基準は厳格化されてもよい（例えば、通常よりもわずかにより制限的となるようにゾーンＢ閾値を調整する、または、距離を計算するために、代替の閾値、公式、または方法を使用する［例えば、携帯デバイス１１０は、ＲＳＳＩベースの方法がより強く信号を測定する位置に置かれる可能性があるため］）。
【０３３１】
前述のように、ゾーン４００は、存在を示す方法の一方のセットと不在を示す方法の他方のセットとを利用することによって判定されてもよく、および／または、１つ以上の方法は測定値の存在によってサポートされ、かつ１つ以上の方法は測定値の欠如によってサポートされることがあることを利用することによって判定されてもよい。ＲＳＳＩベースの方法と角度ベースの方法との間で一致することも、これらの特性を利用できる可能性があり、かくして、一致は、特定のゾーン４００における存在または不在、および／または携帯デバイス１１０（または、他の任意のデータソース［例えば、車両センサ、携帯デバイス１１０のセンサ、など］）からの測定の存在または欠如を含んでもよい。例えば、ＲＳＳＩベースの方法は、携帯デバイス１１０がゾーンＢに位置すると判定するが、角度ベースの方法は判定を提供しないかもしれない。角度ベースのアンテナ３１２から測定値が得られなかった場合、システム１００は両方の方法を一致しているとみなすことはできない。しかしながら、測定値が特定のアンテナ３１２からのみ得られなかった場合には、システム１００は、角度ベースの方法を一致すると見なすかもしれない。例えば、システム１００は、ＲＳＳＩベースの方法のゾーンＢの判定と、携帯デバイス１１０はゾーンＢ、Ｃ、及びＥに存在しないとの角度ベースの方法の判定とにより、携帯デバイス１１０はゾーンＢに位置すると判定してもよい。
【０３３２】
システム１００は、ＲＳＳＩベースのシステムおよび角度ベースのシステムについて前述した方法を使用して、ゾーンＡ（内側）を他のゾーン４００から区別してもよい。システム１００は、携帯デバイス１１０がゾーンＡに位置することを決定するために、ＲＳＳＩベースの方法と角度ベースの方法の両方が、携帯デバイス１１０はゾーンＡに位置することに同意することを利用することができる。あるいは、システム１００は、携帯デバイス１１０がゾーンＡに位置することを決定するために、ＲＳＳＩベースの方法と角度ベースの方法とのどちらか一方が、携帯デバイス１１０はゾーンＡに位置すると判定することを利用するだけでもよい。そのようなアプローチは、１以上の閾値が満足されることを追加的に利用することができる（それは、特定のアプローチが、その決定プロセスにおいて最小量のマージンを有することを要求することを含み得る）。あるいは、システム１００は、携帯デバイス１１０の決定された位置を他の任意のゾーンからゾーンＡに移行させるために、ＲＳＳＩベースの方法と角度ベースの方法の両方が携帯デバイス１１０はゾーンＡに位置することに同意することを利用してもよいが、１つ以上の閾値に達しなかったときゾーンＡに位置したままとするために（例えば、携帯デバイス１１０が別のゾーン４００に位置することが明らかではない場合ゾーンＡに留まっている、システム１００が携帯デバイス１１０が他の任意のゾーンに位置していると判定できない場合ゾーンＡに留まっている、など）、ＲＳＳＩベースの方法と角度ベースの方法とのどちらか一方が、携帯デバイス１１０はゾーンＡに位置すると判定することを利用するだけでもよい。
【０３３３】
システム１００は、携帯デバイス１１０がゾーンＡ（内側）内にあると判定したとき、ＲＳＳＩベースのシステムおよび角度ベースのシステムについて前述した方法を使用して、携帯デバイス１１０がゾーンＡＤＦ、ＡＰＦ、ＡＤＲ、ＡＰＲ、またはＡＴに位置するかどうかを判定してもよい。ゾーンＡと同様に、システム１００は、携帯デバイス１１０がそれらのゾーン４００のどれに位置するかを決定するために、ＲＳＳＩベースの方法および角度ベースの方法の間の一致を利用することができる。あるいは、システム１００は、最大のマージンおよび最大の確率を持つと判定されたゾーン４００を使用することによって、最も確からしいゾーン４００を選択してもよい（例えば、ＲＳＳＩベースの方法がＡＤＦを判定し、アプローチベースの方法がＡＰＦを判定した場合であって、ＲＳＳＩベースの方法は具体的にＡＤＦを判定したが［すなわち、他の任意のゾーン４００であることはほとんどありえず、選択されたゾーン４００には多大なマージンがある］、アプローチベースの方法は大まかにＡＰＦを判定した場合［すなわち、決定はエッジにおいて正しかったが、別のゾーン４００を判定するのにそれほど時間がかからないかもしれず、選択されたゾーン４００にはマージンがあまりない］、システム１００は、ＡＤＦを判定してもよい［代わりに、両方が具体的または大まかである場合、または、両方の方法が近くではないゾーン４００となっている場合、ゾーン４００を決定しなくてもよい］、など）。
【０３３４】
システム１００は、ゾーンＡ、ＡＤＦ、ＡＰＦ、ＡＤＲ、ＡＰＲ、および／またはＡＴを判定するために使用されるのと同様のアプローチを適用することによって、ゾーンＢ−ＥをＦから区別することができる。システム１００は、携帯デバイス１１０がこれらのゾーン４００のどれに位置しているかを判定するために、ＲＳＳＩベースの方法と角度ベースの方法との間の一致を利用してもよい。あるいは、システム１００は、最大のマージンおよび最大の確率を持つと判定されたゾーン４００を使用することによって、最も確からしいゾーン４００を選択してもよい（例えば、ＲＳＳＩベースの方法がＢを判定し、アプローチベースの方法がＤを判定した場合であって、ＲＳＳＩベースの方法は具体的にＢを判定したが［すなわち、他の任意のゾーン４００であることはほとんどありえず、選択されたゾーン４００には多大なマージンがある］、アプローチベースの方法は大まかにＤを判定した場合［すなわち、決定はエッジにおいて正しかったが、別のゾーン４００を判定するのにそれほど時間がかからないかもしれず、選択されたゾーン４００にはマージンがあまりない］、システム１００は、Ｂを判定してもよい［代わりに、両方が具体的または大まかである場合、または、両方の方法が近くではないゾーン４００となっている場合、ゾーン４００を決定しなくてもよい］、など）。
【０３３５】
システム１００は、ゾーンＢ−Ｅを判定するために使用されるのと同様のアプローチを適用することによってゾーンＦを識別することができる。システム１００は、携帯デバイス１１０がゾーンＦに位置していることを判定するために、ＲＳＳＩベースの方法と角度ベースの方法との間の合意を利用してもよい。例えば、角度ベースの方法がゾーンＦを明示しない場合、システム１００は、ＲＳＳＩベースの方法が携帯デバイス１１０はゾーンＦに位置すると判定すること、および角度ベースの方法が携帯デバイス１１０はゾーンＡ−Ｅに存在しないと判定することを利用してもよい。あるいは、角度ベースの方法がゾーンＦを明示する場合、角度ベースの方法も、携帯デバイス１１０がゾーンＦに位置することを判定するために利用されてもよい。あるいは、システム１００は、最大のマージンおよび最大の確率を持つと判定されたゾーン４００を使用することによって、最も確からしいゾーン４００を選択してもよい（例えば、ＲＳＳＩベースの方法がＦを判定し、アプローチベースの方法がＢを判定した場合であって、ＲＳＳＩベースの方法は具体的にＦを判定したが［すなわち、他の任意のゾーン４００であることはほとんどありえず、選択されたゾーン４００には多大なマージンがある］、アプローチベースの方法は大まかにＢを判定した場合［すなわち、決定はエッジにおいて正しかったが、別のゾーン４００を判定するのにそれほど時間がかからないかもしれず、選択されたゾーン４００にはマージンがあまりない］、システム１００は、Ｆを判定してもよい［または、代わりに、両方が具体的である場合、または、一方の方法がゾーンＧを判定した場合、ゾーンＢを判定してもよい］、など）。
【０３３６】
システム１００は、ゾーンＦを判定するために使用されるのと同様のアプローチを適用することによってゾーンＧを識別することができる。システム１００は、携帯デバイス１１０がゾーンＧに位置していることを判定するために、ＲＳＳＩベースの方法と角度ベースの方法との間の合意を利用してもよい。例えば、角度ベースの方法がゾーンＧを明示しない場合、システム１００は、ＲＳＳＩベースの方法が携帯デバイス１１０はゾーンＧに位置すると判定すること、および角度ベースの方法が携帯デバイス１１０はゾーンＡ−Ｆに存在しないと判定することを利用してもよい。あるいは、角度ベースの方法がゾーンＧを明示する場合、角度ベースの方法も、携帯デバイス１１０がゾーンＧに位置することを判定するために利用されてもよい。あるいは、システム１００は、最大のマージンおよび最大の確率を持つと判定されたゾーン４００を使用することによって、最も確からしいゾーン４００を選択してもよい（例えば、ＲＳＳＩベースの方法がＧを判定し、アプローチベースの方法がＢ又はＦを判定した場合であって、ＲＳＳＩベースの方法は具体的にＧを判定したが［すなわち、他の任意のゾーン４００であることはほとんどありえず、選択されたゾーン４００には多大なマージンがある］、アプローチベースの方法は大まかにＢ又はＦを判定した場合［すなわち、決定はエッジにおいて正しかったが、別のゾーン４００を判定するのにそれほど時間がかからないかもしれず、選択されたゾーン４００にはマージンがあまりない］、システム１００は、Ｇを判定してもよい［または、代わりに、両方が具体的である場合ゾーンＦを判定してもよいし、具体性のレベルまたは他の条件に応じてＢを判定してもよい］、など）。
【０３３７】
携帯デバイス１１０が接続されていない場合、システム１００は、携帯デバイス１１０の位置がゾーンＨ内にあると判定してもよい。
【０３３８】
システム１００は、代替的に又は追加的に、三辺測量、多辺測量、多角測量、又は多角辺測量ベースの手法、又はそれらの任意の組み合わせ（本明細書に記載）を使用して携帯デバイス１１０が位置するゾーン４００を判定してもよい。
【０３３９】
システム１００は、代替的または追加的に、飛行時間／到着時間（ＴＯＦ／ＴＯＡ）および／または到着時間差（ＴＤＯＡ）ベースの手法（本明細書に記載）を使用して距離を決定してもよい。
Ｅ．３．ｂ  ２１アンテナＡｏＡ−ＲＳＳＩシステム（１０ＡｏＡ＋１１ＲＳＳＩ）
【０３４０】
前向きの前部ＡｏＡアンテナ３１２（アンテナ３１２−２、３１２−３）のない、上記の２３アンテナＡｏＡ−ＲＳＳＩシステムの実施形態。
Ｅ．３．ｃ  ２１アンテナＡｏＡ−ＲＳＳＩシステム（１０ＡｏＡ＋１１ＲＳＳＩ、後部なし）
【０３４１】
後向きの後部ＡｏＡアンテナ３１２（アンテナ３１２−６、３１２−７）のない、上記の２３アンテナＡｏＡ−ＲＳＳＩシステムの実施形態。
Ｅ．３．ｄ  １９アンテナＡｏＡ−ＲＳＳＩシステム（８ＡｏＡ＋１１ＲＳＳＩ、前部/後部なし）
【０３４２】
前向きの前部および後向きの後部ＡｏＡアンテナ３１２（アンテナ３１２−２、３１２−３、３１２−６、３１２−７）のない、上記の２３アンテナＡｏＡ−ＲＳＳＩシステムの実施形態。
Ｅ．３．ｅ  １９アンテナＡｏＡ−ＲＳＳＩシステム(８ＡｏＡ＋１１ＲＳＳＩ)
【０３４３】
例えば、図５０に示される、車両マイクロロケーションシステム１００の一実施形態では、システム１００は、１９個のアンテナ３１２を用いて、到着角度（ＡＯＡ）およびＲＳＳＩを使用することができる。このシステム１００では、内部アンテナのない１２アンテナＡｏＡシステム（セクションＥ．２．ａに記載）の変形である、８個のアンテナのＡｏＡシステム（アンテナ３１２−１から３１２−８）と、１１アンテナＲＳＳＩシステム（セクションＥ．１．ｃに記載、アンテナ３１２−９から３１２−１９）とが、それぞれの各システム１００について前述されたアンテナ（ＲＳＳＩ専用および角度専用）およびアンテナ配置を使用して組み合わされる。これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３４４】
このシステム１００において、携帯デバイス１１０の位置および／またはそれまでの距離を決定するために使用される方法は、前述の２３アンテナＡｏＡ−ＲＳＳＩシステム１００で使用される方法と同様である。
【０３４５】
この１９アンテナＡｏＡ−ＲＳＳＩシステム１００を開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０３４６】
このシステム１００では、１つ以上の内側ゾーン４００（例えば、Ａ、ＡＤＦ、ＡＰＦ、ＡＤＲ、ＡＰＲ、ＡＴなど）は、前述したＲＳＳＩベースの方法を使用して判定されることができる。追加的に又は代替的に、前述したように、ＡｏＡアンテナ３１２が、（例えば、外部ＡｏＡアンテナ３１２の視野がそれを可能にする場合、など）内側ゾーンの判定に参加してもよい。
【０３４７】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図５０の図示された実施形態に示されている。
Ｅ．３．ｆ  １７アンテナＡｏＡ−ＲＳＳＩシステム（６ＡｏＡ＋１１ＲＳＳＩ）
【０３４８】
例えば、図５１に示される車両マイクロロケーションシステム１００の一実施形態では、システム１００は、１７個のアンテナ３１２を用いて、到着角度（ＡＯＡ）およびＲＳＳＩを使用することができる。このシステム１００では、内側および前向きの前部アンテナ３１２のない、１２アンテナＡｏＡシステム（セクションＥ．２．ａに記載）の変形である、６アンテナＡｏＡシステム（アンテナ３１２−１、３１２−４から３１２−８）と、１１アンテナＲＳＳＩシステム（セクションＥ．１．ｃに記載、アンテナ３１２−９から３１２−１９）とが、それぞれの各システム１００について前述されたアンテナ３１２（ＲＳＳＩ専用および角度専用）およびアンテナ配置を使用して組み合わされる。これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３４９】
このシステム１００において、携帯デバイス１１０の位置および／またはそれまでの距離を決定するために使用される方法は、前述の２３アンテナＡｏＡ−ＲＳＳＩシステム１００で使用される方法と同様である。
【０３５０】
この１７アンテナＡｏＡ−ＲＳＳＩシステムを開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０３５１】
このシステム１００では、１つ以上の内側ゾーン４００（例えば、Ａ、ＡＤＦ、ＡＰＦ、ＡＤＲ、ＡＰＲ、ＡＴなど）は、前述したＲＳＳＩベースの方法を使用して判定されることができる。追加的に又は代替的に、前述したように、ＡｏＡアンテナ３１２が、（例えば、外部ＡｏＡアンテナ３１２の視野がそれを可能にする場合、など）内側ゾーンの判定に参加してもよい。
【０３５２】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図５１の図示された実施形態に示されている。
Ｅ．３．ｇ  １５アンテナＡｏＡ−ＲＳＳＩシステム（４ＡｏＡ＋１１ＲＳＳＩ）
【０３５３】
例えば、図５２に示される車両マイクロロケーションシステム１００の一実施形態では、システム１００は、１５個のアンテナ３１２を用いて、到着角度（ＡＯＡ）およびＲＳＳＩを使用することができる。このシステム１００では、内部、前向きの前部、および後向きの後部アンテナ３１２のない、１２アンテナＡｏＡシステム（セクションＥ．２．ａに記載）の変形である、４アンテナＡｏＡシステム（アンテナ３１２−１、３１２−４、３１２−５、３１２−８）と、１１アンテナＲＳＳＩシステム（セクションＥ．１．ｃに記載、アンテナ３１２−７から３１２−１７）とが、それぞれの各システム１００について前述されたアンテナ３１２（ＲＳＳＩ専用および角度専用）およびアンテナ配置を使用して組み合わされる。これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３５４】
このシステム１００において、携帯デバイス１１０の位置および／またはそれまでの距離を決定するために使用される方法は、前述の２３アンテナＡｏＡ−ＲＳＳＩシステム１００で使用される方法と同様である。
【０３５５】
この１５アンテナＡｏＡ−ＲＳＳＩシステムを開示する目的のため、可能性があるゾーン４００のセットは、前面近傍ゾーン４００のない、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０３５６】
このシステム１００では、１つ以上の内側ゾーン４００（例えば、Ａ、ＡＤＦ、ＡＰＦ、ＡＤＲ、ＡＰＲ、ＡＴなど）は、前述したＲＳＳＩベースの方法を使用して判定されることができる。このシステム１００では、１つ以上の外側後方ゾーン４００（例えば、Ｄ）が、前述したＲＳＳＩベースの方法を使用して判定されてもよい。追加的に又は代替的に、前述したように、ＡｏＡアンテナ３１２が、（例えば、外部ＡｏＡアンテナ３１２の視野がそれを可能にする場合、など）内側または外側後方ゾーンの判定に参加してもよい。
【０３５７】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図５２の図示された実施形態に示されている。
【０３５８】
図５３の図示された実施形態では、この１５アンテナＡｏＡ−ＲＳＳＩシステムの代替実施形態が示されており、そこでは、ＡｏＡアンテナ３１２（３１２−１、３１２−４、３１２−５、３１２−８）の位置および視野が、僅かに移動されている（例えば、いくらかの後方ゾーンのカバレッジを可能とすることで、最適とは言えないサイドゾーンのカバレッジを示すため）。
Ｅ．３．ｈ  １５アンテナＡｏＡ−ＲＳＳＩシステム（８ＡｏＡ＋７ＲＳＳＩ）
【０３５９】
例えば、図５４に示される車両マイクロロケーションシステム１００の一実施形態では、システム１００は、１５個のアンテナ３１２を用いて、到着角度（ＡＯＡ）およびＲＳＳＩを使用することができる。このシステム１００では、内部アンテナ３１２のない、１２アンテナＡｏＡシステム（セクションＥ．２．ａに記載）の変形である、８アンテナＡｏＡシステム（アンテナ３１２−１から３１２−８）と、運転席後側と助手席後側のアンテナペアのない（すなわち、Ｅ．１．ｂに記載の７アンテナＲＳＳＩシステムに等しい）、１１アンテナＲＳＳＩシステム（セクションＥ．１．ｃに記載）の変形例である、７アンテナＲＳＳＩシステム（アンテナ３１２−９から３１２−１２、３２−１５、３１２−１６、３１２−１９）とが、おそらくアンテナ３１２−９から３１２−１２を除いて、それぞれの各システム１００について前述されたアンテナ３１２（ＲＳＳＩ専用および角度専用）およびアンテナ配置を使用して組み合わされる。このシステム１００において、アンテナ３１２−９から３１２−１２は、前述の配置を使用してもよいし、あるいは、それらは、Ｂピラーまたはドアハンドル上または近くなど、車両５００の側部の中心に向かってさらに移動されてもよい。
【０３６０】
これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３６１】
このシステム１００において、携帯デバイス１１０の位置および／またはそれまでの距離を決定するために使用される方法は、前述の２３アンテナＡｏＡ−ＲＳＳＩシステム１００で使用される方法と同様である。
【０３６２】
この１５アンテナＡｏＡ−ＲＳＳＩシステムを開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０３６３】
このシステム１００では、１つ以上の内側ゾーン４００（例えば、Ａ、ＡＤＦ、ＡＰＦ、ＡＤＲ、ＡＰＲ、ＡＴなど）は、前述したＲＳＳＩベースの方法を使用して判定されることができる。例えば、一実施形態では、内側ゾーンＡのみが判定されてもよい。別の実施形態では、ゾーンＡとＡＴだけが判定されてもよい。さらに別の実施形態では、ゾーンＡ、ＡＤ（運転席側の内側、ＡＤＦとＡＤＲを組み合わせたもの）、Ａｐ（助手席側内側、ＡＰＦとＡＰＲを組み合わせたもの）、およびＡＴだけが判定されてもよい。追加的に又は代替的に、前述したように、ＡｏＡアンテナ３１２が、（例えば、外部ＡｏＡアンテナ３１２の視野がそれを可能にする場合、など）内側ゾーンの判定に参加してもよい。
【０３６４】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図５４の図示された実施形態に示されている。
Ｅ．３．ｉ  １３アンテナＡｏＡ−ＲＳＳＩシステム（６ＡｏＡ＋７ＲＳＳＩ）
【０３６５】
例えば、図５５に示される車両マイクロロケーションシステム１００の一実施形態では、システム１００は、１３個のアンテナ３１２を用いて、到着角度（ＡＯＡ）およびＲＳＳＩを使用することができる。このシステム１００では、内部および前向きの前部アンテナ３１２のない、１２アンテナＡｏＡシステム（セクションＥ．２．ａに記載）の変形である、６アンテナＡｏＡシステム（アンテナ３１２−１、３１２−４から３１２−８）と、運転席後側と助手席後側のアンテナペアのない（すなわち、Ｅ．１．ｂに記載の７アンテナＲＳＳＩシステムに等しい）、１１アンテナＲＳＳＩシステム（セクションＥ．１．ｃに記載）の変形例である、７アンテナＲＳＳＩシステム（アンテナ３１２−９から３１２−１２、３２−１５、３１２−１６、３１２−１９）とが、おそらくアンテナ３１２−９から３１２−１２を除いて、それぞれの各システム１００について前述されたアンテナ（ＲＳＳＩ専用および角度専用）およびアンテナ配置を使用して組み合わされる。このシステム１００において、アンテナ３１２−９から３１２−１２は、前述の配置を使用してもよいし、あるいは、それらは、Ｂピラー上または近くなど、車両５００の側部の中心に向かってさらに移動されてもよい。
【０３６６】
これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３６７】
このシステム１００において、携帯デバイス１１０の位置および／またはそれまでの距離を決定するために使用される方法は、前述の２３アンテナＡｏＡ−ＲＳＳＩシステムで使用される方法と同様である。
【０３６８】
この１３アンテナＡｏＡ−ＲＳＳＩシステムを開示する目的のため、可能性があるゾーン４００のセットは、前面近傍ゾーン４００のない、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０３６９】
このシステム１００では、１つ以上の内側ゾーン４００（例えば、Ａ、ＡＤＦ、ＡＰＦ、ＡＤＲ、ＡＰＲ、ＡＴなど）は、前述したＲＳＳＩベースの方法を使用して判定されることができる。例えば、一実施形態では、内側ゾーンＡのみが判定されてもよい。別の実施形態では、ゾーンＡとＡＴだけが判定されてもよい。さらに別の実施形態では、ゾーンＡ、ＡＤ（運転席側の内側、ＡＤＦとＡＤＲを組み合わせたもの）、Ａｐ（助手席側内側、ＡＰＦとＡＰＲを組み合わせたもの）、およびＡＴだけが判定されてもよい。追加的に又は代替的に、前述したように、ＡｏＡアンテナ３１２が、（例えば、外部ＡｏＡアンテナ３１２の視野がそれを可能にする場合、など）内側ゾーンの判定に参加してもよい。
【０３７０】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図５５の図示された実施形態に示されている。
Ｅ．３．ｊ  １１アンテナＡｏＡ−ＲＳＳＩシステム（４ＡｏＡ＋７ＲＳＳＩ）
【０３７１】
例えば、図５６に示される車両マイクロロケーションシステム１００の一実施形態では、システム１００は、１１個のアンテナ３１２を用いて、到着角度（ＡＯＡ）およびＲＳＳＩを使用することができる。このシステム１００では、内側、前向きの前部、および後向きの後部アンテナ３１２のない、１２アンテナＡｏＡシステム（セクションＥ．２．ａに記載）の変形である、４アンテナＡｏＡシステム（アンテナ３１２−１、３１２−４、３１２−５、３１２−８）と、運転席後側と助手席後側のアンテナペアのない（すなわち、Ｅ．１．ｂに記載の７アンテナＲＳＳＩシステムに等しい）、１１アンテナＲＳＳＩシステム（セクションＥ．１．ｃに記載）の変形例である、７アンテナＲＳＳＩシステム（アンテナ３１２−９から３１２−１２、３１２−１５、３１２−１６、３１２−１９）とが、おそらくアンテナ３１２−９から３１２−１２を除いて、それぞれの各システム１００について前述されたアンテナ３１２（ＲＳＳＩ専用および角度専用）およびアンテナ配置を使用して組み合わされる。このシステム１００において、アンテナ３１２−９から３１２−１２は、前述の配置を使用してもよいし、あるいは、それらは、Ｂピラーまたはドアハンドル上または近くなど、車両５００の側部の中心に向かってさらに移動されてもよい。
【０３７２】
これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３７３】
このシステム１００において、携帯デバイス１１０の位置および／またはそれまでの距離を決定するために使用される方法は、前述の２３アンテナＡｏＡ−ＲＳＳＩシステムで使用される方法と同様である。
【０３７４】
この１１アンテナＡｏＡ−ＲＳＳＩシステムを開示する目的のため、可能性があるゾーン４００のセットは、前面近傍ゾーン４００のない、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０３７５】
このシステム１００では、１つ以上の内側ゾーン４００（例えば、Ａ、ＡＤＦ、ＡＰＦ、ＡＤＲ、ＡＰＲ、ＡＴなど）は、前述したＲＳＳＩベースの方法を使用して判定されることができる。例えば、一実施形態では、内側ゾーンＡのみが判定されてもよい。別の実施形態では、ゾーンＡとＡＴだけが判定されてもよい。さらに別の実施形態では、ゾーンＡ、ＡＤ（運転席側の内側、ＡＤＦとＡＤＲを組み合わせたもの）、Ａｐ（助手席側内側、ＡＰＦとＡＰＲを組み合わせたもの）、およびＡＴだけが判定されてもよい。このシステム１００において、１つ以上の外側後方ゾーン４００（例えば、Ｄ）が、前述したＲＳＳＩベースの方法を使用して判定されてもよい。追加的に又は代替的に、前述したように、ＡｏＡアンテナ３１２が、（例えば、外部ＡｏＡアンテナ３１２の視野がそれを可能にする場合、など）内側ゾーンの判定に参加してもよい。
【０３７６】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図５６の図示された実施形態に示されている。
Ｅ．３．ｋ  １８アンテナＡｏＡ−ＲＳＳＩシステム（１２ＡｏＡ＋６ＲＳＳＩ）
【０３７７】
例えば、図５７に示される車両マイクロロケーションシステム１００の一実施形態では、システム１００は、１８個のアンテナ３１２を用いて、到着角度（ＡＯＡ）およびＲＳＳＩを使用することができる。このシステム１００では、１２アンテナＡＯＡシステム（セクションＥ．２．ａに記載、アンテナ３１２−１から３１２−１２）と、内部アンテナ３１２のない（センターアンテナ３１２を除く）、１１アンテナＲＳＳＩシステム（Ｅ．１．ｃに記載）の変形例である、６アンテナＲＳＳＩシステム（アンテナ３１２−１３、３１２−１６、３１２−１８、３１２−２０、３１２−２１、３１２−２３）とが、それぞれの各システム１００について前述されたアンテナ３１２（ＲＳＳＩ専用および角度専用）およびアンテナ配置を使用して組み合わされる。これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３７８】
このシステム１００において、携帯デバイス１１０の位置および／またはそれまでの距離を決定するために使用される方法は、前述の２３アンテナＡｏＡ−ＲＳＳＩシステムで使用される方法と同様である。
【０３７９】
この１８アンテナＡｏＡ−ＲＳＳＩシステムを開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０３８０】
このシステム１００では、１つ以上の内側ゾーン４００（例えば、Ａ、ＡＤＦ、ＡＰＦ、ＡＤＲ、ＡＰＲ、ＡＴなど）は、前述したＡｏＡベースの方法を使用して判定されてもよい。追加的に又は代替的に、前述したように、ＲＳＳＩアンテナ３１２が、内側ゾーンの判定に参加してもよい。
【０３８１】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図５７の図示された実施形態に示されている。
Ｅ．３．ｌ  １４アンテナＡｏＡ−ＲＳＳＩシステム（８ＡｏＡ＋６ＲＳＳＩ）
【０３８２】
前向き前部および後向き後部ＡｏＡアンテナ（アンテナ３１２−２、３１２−３、３１２−６、３１２−７）のない、上記１８アンテナＡｏＡ−ＲＳＳＩシステムの実施形態。
Ｅ．３．ｍ  １７アンテナＡｏＡ−ＲＳＳＩシステム（１２ＡｏＡ＋５ＲＳＳＩ）
【０３８３】
センターＲＳＳＩアンテナ（アンテナ３１２−２３）のない、上記１８アンテナＡｏＡ−ＲＳＳＩシステムの実施形態。
Ｅ．３．ｎ  １３アンテナＡｏＡ−ＲＳＳＩシステム（８ＡｏＡ＋５ＲＳＳＩ）
【０３８４】
前向き前部および後向き後部ＡｏＡアンテナ（アンテナ３１２−２、３１２−３，３１２−６、３１２−７）のない、上記１７アンテナＡｏＡ−ＲＳＳＩシステムの実施形態。
Ｅ．３．ｏ  １６アンテナＡｏＡ−ＲＳＳＩシステム（１２ＡｏＡ＋４ＲＳＳＩ）
【０３８５】
例えば、図５８に示される車両マイクロロケーションシステム１００の一実施形態では、システム１００は、１７個のアンテナを用いて、到着角度（ＡＯＡ）およびＲＳＳＩを使用することができる。このシステムでは、１２アンテナＡｏＡシステム（セクションＥ．２．ａに記載、アンテナ３１２−１から３１２−１２）と、運転席後側と助手席後側のアンテナペアのない（すなわち、Ｅ．１．ｂに記載の７アンテナＲＳＳＩシステムに等しい）、およびさらに内部アンテナ３１２のない（センターアンテナ３１２を除く）、１１アンテナＲＳＳＩシステム（セクションＥ．１．ｃに記載）の変形例である、４アンテナＲＳＳＩシステム（アンテナ３１２−１３、３１２−１６、３１２−２０、３１２−２３）とが、おそらくアンテナ３１２−１３と３１２−１１６を除いて、それぞれの各システム１００について前述されたアンテナ３１２（ＲＳＳＩ専用および角度専用）およびアンテナ配置を使用して組み合わされる。このシステム１００において、アンテナ３１２−１３と３１２−１６は、前述の配置を使用してもよいし、あるいは、それらは、Ｂピラーまたはドアハンドル上または近くなど、車両５００の側部の中心に向かってさらに移動されてもよい。
【０３８６】
これは、組み合わせＡｏＡ−ＲＳＳＩシステムの単純な実施形態と見なすことができ、したがって、より効率の良い／組み合わされた配置を備える、角度およびＲＳＳＩの両方を一緒に報告するセンサ３１０を使用する代替実施形態（そのような実施形態は、本開示において本明細書に記載されている）では、より高い効率を得ることができることに留意されたい。しかしながら、この実施形態で使用される方法および技法は、後に説明される実施形態において使用されてもよい。
【０３８７】
このシステム１００において、携帯デバイス１１０の位置および／またはそれまでの距離を決定するために使用される方法は、前述の２３アンテナＡｏＡ−ＲＳＳＩシステムで使用される方法と同様である。
【０３８８】
この１６アンテナＡｏＡ−ＲＳＳＩシステムを開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０３８９】
このシステム１００では、１つ以上の内側ゾーン４００（例えば、Ａ、ＡＤＦ、ＡＰＦ、ＡＤＲ、ＡＰＲ、ＡＴなど）は、前述したＡｏＡベースの方法を使用して判定されてもよい。追加的に又は代替的に、前述したように、ＲＳＳＩアンテナ３１２が、内側ゾーンの判定に参加してもよい。
【０３９０】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図５８の図示された実施形態に示されている。
Ｅ．３．ｐ  １５アンテナＡｏＡ−ＲＳＳＩシステム（１２ＡｏＡ＋３ＲＳＳＩ）
【０３９１】
センターＲＳＳＩアンテナ３１２（アンテナ３１２−２３）のない、上記１６アンテナＡｏＡ−ＲＳＳＩシステムの実施形態。
Ｅ．３．ｑ  １５アンテナＡｏＡ−ＲＳＳＩシステム（１２ＡｏＡ＋３ＲＳＳＩ、後部なし）
【０３９２】
外側後部ＲＳＳＩアンテナ３１２（アンテナ３１２−２０）のない、上記１６アンテナＡｏＡ−ＲＳＳＩシステムの実施形態。
Ｅ．３．ｒ  １４アンテナＡｏＡ−ＲＳＳＩシステム（１２ＡｏＡ＋２ＲＳＳＩ）
【０３９３】
センターまたは外側後部ＲＳＳＩアンテナ３１２（アンテナ３１２−２０と３１２−２３）のない、上記１６アンテナＡｏＡ−ＲＳＳＩシステムの実施形態。
Ｅ．３．ｓ  １２アンテナＡｏＡ−ＲＳＳＩシステム（８ＡｏＡ＋４ＲＳＳＩ）
【０３９４】
前向き前部および後向き後部ＡｏＡアンテナ３１２（アンテナ２、３、６、７）のない、上記１６アンテナＡｏＡ−ＲＳＳＩシステムの実施形態。一例が、図５９の図示された実施形態に示される。
Ｅ．３．ｔ  １１アンテナＡｏＡ−ＲＳＳＩシステム（８ＡｏＡ＋３ＲＳＳＩ）
【０３９５】
前向き前部および後向き後部ＡｏＡアンテナ３１２（アンテナ３１２−２、３１２−３、３１２−６、３１２−７）のない、かつセンターＲＳＳＩアンテナ３１２（アンテナ３１２−２３）のない、上記１６アンテナＡｏＡ−ＲＳＳＩシステムの実施形態。
Ｅ．３．ｕ  １１アンテナＡｏＡ−ＲＳＳＩシステム（８ＡｏＡ＋３ＲＳＳＩ、後部なし）
【０３９６】
前向き前部および後向き後部ＡｏＡアンテナ３１２（アンテナ３１２−２、３１２−３、３１２−６、３１２−７）のない、かつ外側後部ＲＳＳＩアンテナ３１２（アンテナ３１２−２０）のない、上記１６アンテナＡｏＡ−ＲＳＳＩシステムの実施形態。
Ｅ．３．ｖ  １０アンテナＡｏＡ−ＲＳＳＩシステム（８ＡｏＡ＋２ＲＳＳＩ）
【０３９７】
前向き前部および後向き後部ＡｏＡアンテナ３１２（アンテナ３１２−２、３１２−３、３１２−６、３１２−７）のない、かつセンターまたは外側後部ＲＳＳＩアンテナ３１２（アンテナ３１２−２０と３１２−２３）のない、上記１６アンテナＡｏＡ−ＲＳＳＩシステムの実施形態。
Ｅ．３．ｗ  １３アンテナＡｏＡ−ＲＳＳＩシステム（１３個の組み合わせ）
【０３９８】
例えば、図６０に示される車両マイクロロケーションシステム１００の一実施形態では、システム１００は、１３個の組み合わせアンテナ３１２を用いて、到着角度（ＡＯＡ）およびＲＳＳＩを使用することができる。このシステム１００では、１２アンテナＡｏＡシステム（セクションＥ．２．ａに記載、アンテナ３１２−１から３１２−１２）用のアンテナ３１２の配置、加えて、前述したＲＳＳＩシステム（例えば、セクションＥ．１．ｃに記載）におけるものと同様の追加のセンターアンテナ３１２（アンテナ３１２−２３）が使用されるが、各アンテナ３１２は、角度およびＲＳＳＩの両方を（一緒にもしくは別々に）報告することが可能な組み合わせアンテナ３１２（例えば、センサ３１０）である。前述したように、前記組み合わせアンテナ３１２（センサ３１０）は、１つ以上のアンテナ３１２（または、アンテナアレイ）を備えてもよく、物理的に、結合／並置されていれもいなくてもよい。前述したように、前記組み合わせアンテナ３１２は、１つ以上の角度測定値（例えば、水平角度測定値、垂直角度測定値、または、水平垂直角度測定値、など）を提供してもよい。
【０３９９】
このシステム１００において、携帯デバイス１１０の位置および／またはそれまでの距離を決定するために使用される方法は、前述の２３アンテナＡｏＡ−ＲＳＳＩシステムで使用される方法と同様である。
【０４００】
この１３アンテナＡｏＡ−ＲＳＳＩシステムを開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０４０１】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図６０の図示された実施形態に示されている。この実施形態での１つの懸念は、図から明らかなように、アンテナ配置が空間的に相関したＲＳＳＩ差分を提供し得ない（すなわち、互いに近くにはないが、互いに反対の放射パターンを有するアンテナペアがある）ことであるかもしれない。図示のセンサ配置を有する一実施形態では、内部センサ３１０の一部または全部が、ほぼ同じ場所で、ＲＳＳＩを測定する、内側に配置された１つのアンテナ３１２と、ＲＳＳＩを測定する、外側に配置されたもう１つのアンテナとを有することができ（例えば、Ｂピラーまたはドアハンドルの内側と外側）、そこでは、各前記センサ３１０は２つのセンサ３１０（１つは内側、１つは外側）のように作動し、報告する。あるいは、追加のアンテナ３１２／センサ３１０が使用されてもよいし、またはアンテナ配置が（図６１の図示された実施形態に示されるように）変更されてもよい。
【０４０２】
上述のように、代替の実施形態では、例えば、図６１の図示された実施形態に示すように、システム１００において実施される空間的に相関するＲＳＳＩの差分の数を増やすために、アンテナ配置が変更されてもよい。このシステム１００において、例えば、アンテナ３１２−１と３１２−９、３１２−７と３１２−１２、３１２−８と３１２−１２、３１２−６と３１２−１１、などのＲＳＳＩ測定値の間の差分が計算されてもよい。
Ｅ．３．ｘ  １２アンテナＡｏＡ−ＲＳＳＩシステム（１２個の組み合わせ）
【０４０３】
センター組み合わせアンテナ（アンテナ３１２−２３）のない、上記１３アンテナＡｏＡ−ＲＳＳＩシステムの実施形態。
Ｅ．３．ｙ  １５アンテナＡｏＡ−ＲＳＳＩシステム（１５個の組み合わせ）
【０４０４】
例えば、図６２に示される車両マイクロロケーションシステム１００の一実施形態では、システム１００は、１５個の組み合わせアンテナ３１２を用いて、到着角度（ＡＯＡ）およびＲＳＳＩを使用することができる。このシステム１００では、内部アンテナ３１２のない、１２アンテナＡｏＡシステム（セクションＥ．２．ａに記載、アンテナ３１２−１から３１２−８）の変形例である、８アンテナシステム用の、および、運転席後側および助手席後側のアンテナのペアのない（すなわち、Ｅ．１．ｂに記載の７アンテナＲＳＳＩシステムに等しい）、１１アンテナＲＳＳＩシステム（Ｅ．１．ｃに記載）の変形例である、７アンテナシステム（アンテナ３１２−９から３１２−１２，３１２−１５、３１２−１６、３１２−１９）用のアンテナ配置が組み合わされるが、各アンテナ３１２は、角度およびＲＳＳＩの両方を（一緒にもしくは別々に）報告することが可能な組み合わせアンテナ３１２（例えば、センサ３１０）である。前述したように、前記組み合わせアンテナ３１２（センサ３１０）は、１つ以上のアンテナ３１２（または、アンテナアレイ）を備えてもよく、物理的に、結合／並置されていれもいなくてもよい。前述したように、前記組み合わせアンテナ３１２は、１つ以上の角度測定値（例えば、水平角度測定値、垂直角度測定値、または、水平垂直角度測定値、など）を提供してもよい。
【０４０５】
このシステム１００では、アンテナ３１２−９から３１２−１２は、前述の配置を使用してもよいし、あるいは、それらは、Ｂピラーまたはドアハンドル上または近くなど、車両５００の側部の中心に向かってさらに移動されてもよい。
【０４０６】
このシステム１００において、携帯デバイス１１０の位置および／またはそれまでの距離を決定するために使用される方法は、前述の２３アンテナＡｏＡ−ＲＳＳＩシステムで使用される方法と同様である。
【０４０７】
この１５アンテナＡｏＡ−ＲＳＳＩシステムを開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０４０８】
各ＡｏＡアンテナ３１２の視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図６１の図示された実施形態に示されている。前述した１３組み合わせアンテナシステムに対する、このアンテナ３１２配置構成の考えられる利点は、両側に、ゾーン判定支援および／または追加のゾーン境界を提供するために使用され得る追加の中央配置の組み合わせアンテナ３１２が設けられていることである。
Ｅ．３．ｚ  １１アンテナＡｏＡ−ＲＳＳＩシステム（１１個の組み合わせ、センター）
【０４０９】
図６３の図示された実施形態に示されるように、前向き前部および後向き後部組み合わせアンテナ３１２（アンテナ３１２−２、３１２−３、３１２−６、３１２−７）のない、上記１５アンテナＡｏＡ−ＲＳＳＩシステムの実施形態。
Ｅ．３．ａａ  １１アンテナＡｏＡ−ＲＳＳＩシステム（１１個の組み合わせ）
【０４１０】
例えば、図６４に示される車両マイクロロケーションシステム１００の一実施形態では、システム１００は、１１個の組み合わせアンテナ３１２を用いて、到着角度（ＡＯＡ）およびＲＳＳＩを使用することができる。このシステム１００では、１１アンテナＲＳＳＩシステム（Ｅ．１．ｃに記載）用のアンテナ配置が使用されるが、各アンテナ３１２は、角度およびＲＳＳＩの両方を（一緒にもしくは別々に）報告することが可能な組み合わせアンテナ３１２（例えば、センサ３１０）である。前述したように、前記組み合わせアンテナ３１２（センサ３１０）は、１つ以上のアンテナ３１２（または、アンテナアレイ）を備えてもよく、物理的に、結合／並置されていれもいなくてもよい。前述したように、前記組み合わせアンテナ３１２は、１つ以上の角度測定値（例えば、水平角度測定値、垂直角度測定値、または、水平垂直角度測定値、など）を提供してもよい。
【０４１１】
このシステム１００において、携帯デバイス１１０の位置および／またはそれまでの距離を決定するために使用される方法は、前述の２３アンテナＡｏＡ−ＲＳＳＩシステムで使用される方法と同様である。
【０４１２】
この１１アンテナＡｏＡ−ＲＳＳＩシステムを開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０４１３】
各ＡｏＡアンテナの視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図６４の図示された実施形態に示されている。
Ｅ．３．ｂｂ  １０アンテナＡｏＡ−ＲＳＳＩシステム（１０個の組み合わせ）
【０４１４】
センター組み合わせアンテナ（アンテナ３１２−２３）のない、上記１１アンテナＡｏＡ−ＲＳＳＩシステムの実施形態。
Ｅ．３．ｃｃ  ７アンテナＡｏＡ−ＲＳＳＩシステム（７個の組み合わせ）
【０４１５】
例えば、図６５に示される車両マイクロロケーションシステム１００の一実施形態では、システム１００は、７個の組み合わせアンテナ３１２を用いて、到着角度（ＡＯＡ）およびＲＳＳＩを使用することができる。このシステム１００では、７アンテナＲＳＳＩシステム（Ｅ．１．ｂに記載）用のアンテナ配置が使用されるが、各アンテナ３１２は、角度およびＲＳＳＩの両方を（一緒にもしくは別々に）報告することが可能な組み合わせアンテナ３１２（例えば、センサ３１０）である。前述したように、前記組み合わせアンテナ３１２（センサ３１０）は、１つ以上のアンテナ３１２（または、アンテナアレイ）を備えてもよく、物理的に、結合／並置されていれもいなくてもよい。前述したように、前記組み合わせアンテナ３１２は、１つ以上の角度測定値（例えば、水平角度測定値、垂直角度測定値、または、水平垂直角度測定値、など）を提供してもよい。
【０４１６】
このシステム１００において、携帯デバイス１１０の位置および／またはそれまでの距離を決定するために使用される方法は、前述の２３アンテナＡｏＡ−ＲＳＳＩシステムで使用される方法と同様である。
【０４１７】
この７アンテナＡｏＡ−ＲＳＳＩシステムを開示する目的のため、可能性があるゾーン４００のセットは、前述した２３アンテナＡｏＡ−ＲＳＳＩシステムにて説明したセットと同じであると仮定される。しかしながら、やはり前述したように、システム１００は、同じまたは異なる境界／定義を持つ、追加のおよび／またはより少ないゾーン４００を使用してもよい。
【０４１８】
各ＡｏＡアンテナの視野４１２を伴う、可能性のあるゾーン４００の記載されたセットと、ＡｏＡおよびＲＳＳＩアンテナ３１２の両方に対してゾーン４００を画定するために使用され得る例示的な閾値（測定／近似誤差マーカーを伴う）が、図６５の図示された実施形態に示されている。
Ｅ．３．ｄｄ  ６アンテナＡｏＡ−ＲＳＳＩシステム（６個の組み合わせ）
【０４１９】
センター組み合わせアンテナ３１２（アンテナ３１２−２３）のない、上記６アンテナＡｏＡ−ＲＳＳＩシステムの実施形態。
Ｅ．３．ｅｅ  その他のシステム
【０４２０】
上記のセクションは、多数のＡｏＡ−ＲＳＳＩシステムの実施形態を説明しているが、上述されていない多くの代替構成がある（本明細書に記載の位置決め手法の任意の組み合わせを使用し、より少ない又は追加のアンテナ３１２を備える）。例えば、飛行時間／到着時間（ＴＯＦ／ＴＯＡ）および／または到着時間差（ＴＤＯＡ）ベースの距離測定（本明細書に記載）を使用することは、既存のアンテナ３１２と同じ無線を使用する場合、より少ないアンテナを有するシステムを可能にし得る（または、新しい無線が利用される場合は、より多くのアンテナ３１２）。例えば、ＲＳＳＩ専用、角度専用、および組み合わせ（ＲＳＳＩと角度の両方）センサ３１０／アンテナ３１２の混合を使用する構成は、明記されていない。しかしながら、説明された一連の実施形態から、前記実施形態が存在してもよいこと、並びに、前記センサ３１０／アンテナ３１２を集めて配置するため、携帯デバイス１１０の位置および／または距離を計算するため、ゾーン４００を定義し判定するため、方法を組み合わせるため、脆弱性を軽減するため、などに、どの方法が使用され得るかは、明らかである。
【０４２１】
各実施形態の場合、システム１００は、代替的にまたは追加的に、三辺測量、多辺測量、多角測量、または多角辺測量ベースの手法、またはそれらの任意の組み合わせ（本明細書に記載）を使用して、携帯デバイス１１０が位置するゾーン４００を判定してもよい。
【０４２２】
各実施形態の場合、システム１００は、代替的または追加的に、飛行時間／到着時間（ＴＯＦ／ＴＯＡ）および／または到着時間差（ＴＤＯＡ）ベースの手法（本明細書に記載）を使用して、距離を判定してもよい。
Ｅ．３．ｆｆ  三角測量（多角測量）、三辺測量、多辺測量、および三角辺測量（多角辺測量）
【０４２３】
上記のＡｏＡ−ＲＳＳＩシステムは、ＲＳＳＩ専用システムおよび角度専用システムについて開示された方法を組み合わせることに関して説明されている。ＲＳＳＩ専用システムにおいて位置を判定するためには、ＲＳＳＩ測定値（または、［ＲＳＳＩ測定値から計算される］距離測定値）のみが利用可能であると想定される。角度専用システムにおいて位置を判定するためには、角度測定値のみが利用可能であると想定される。ＡｏＡ−ＲＳＳＩシステムでは、両方の測定値が利用可能であり得る。多数のアンテナ３１２／センサ３１０からの利用可能な角度測定値を用いて、（三角測量を含む）多角測量が実行され得る。多数のアンテナ３１２／センサ３１０からの利用可能な両方の測定値を用いて、（三角三辺測量を含む）多角辺測量が実行され得る。
【０４２４】
このセクションでは、三辺測量、多辺測量、多角測量、および多角辺測量位置決め方法およびそれらの支援方法に焦点を当てており、従って、これらの位置決め方法に関して、方法が説明される。しかしながら、前記方法は、前述のＲＳＳＩ、ＡｏＡ、およびＡｏＡ−ＲＳＳＩ方法のうちの任意のものと共に使用されてもよい。
【０４２５】
多角測量、または単に角度測量は、基準座標系（本明細書に記載）における、（この場合、携帯デバイス１１０の）未知の位置を計算するために、２つ以上の角度を使用することができ、各角度は既知の基準位置に関連付けられる。基準座標系は、単に、各アンテナ３１２／センサ３１０の位置、携帯デバイス１１０の計算された位置、および（本明細書に記載されるように）様々なゾーン４００または車両５００の属性を定義するための手段である。各角度は、特定のアンテナ３１２／センサ３１０の位置に関連付けられるので、多角測量アルゴリズムへの入力（角度入力）は、＜角度、位置＞ペアとしても表現され得る。本明細書に記載されるように、＜角度＞は、水平軸、垂直軸、または任意の他の軸に対する角度、または実際には、複数の角度測定値（例えば、水平および垂直軸の両方からの＜角度Ｈ、角度ｖ＞）であってもよいことに留意されたい。三角測量は、３つの位置を含む多角測量であり、３番目の位置は、２つの＜角度、位置＞のペアを使用して計算される。そのように、本開示における三角測量、角度測量、および／または多角測量へのすべての言及は、三角測量、角度測量、または多角測量のいずれかまたはすべてを指すことがある。例えば、他に特定されない限り、三角測量へのすべての言及は、実際には三角測量および／または多角測量／角度測量を指すことがある。
【０４２６】
三辺測量は、その名称にもかかわらず、各距離が既知の基準位置に関連付けられる２つ以上（例えば、３つ以上）の距離を使用して、基準座標系（本明細書に記載）における（この場合、携帯デバイス１１０の）未知の位置を計算することができる。各距離は特定のアンテナ３１２／センサ３１０の位置に関連付けられるので、三辺測量アルゴリズムへの入力（三辺測量入力）は、＜距離、位置＞のペアとして表すこともできる。三辺測量は多辺測量とは異なるため、三辺測量は、３つの位置を持つ多辺測量ではないことに留意されたい。
【０４２７】
多辺測量、すなわちＭＬＡＴは、各距離差が２つの既知の基準位置に関連付けられる２つ以上（例えば３つ以上）の距離差（計算された距離の差分）を使用して、基準座標系（本明細書に記載）における（この場合、携帯デバイス１１０の）未知の位置を計算することができる。各距離差は特定のアンテナ３１２／センサ３１０の位置に関連付けられるので、多辺測量アルゴリズムへの入力（多辺測量入力）は、＜距離差、位置１、位置２＞のペアとして表すこともできる。多辺測量は、到着時間差（ＴＤＯＡ）ベースの距離差測定アプローチを用いて使用されてもよいが、本明細書に記載のスニッフィングアプローチのような、他の距離差測定アプローチが使用されてもよい。多辺測量は三辺測量とは異なるため、多辺測量は、三辺測量を一般化したものではないことに留意されたい。
【０４２８】
多角辺測量、又は単に角辺測量は、多角測量と三辺測量方法の組み合わせであり、各ペアが既知の基準位置に関連づけられる任意の数の＜角度、距離＞のペアを使用して、基準座標系（本明細書に記載）における（この場合、携帯デバイス１１０の）未知の位置を計算する。（三辺測量の代わりに）多辺測量を使用する多角辺測量アプローチが使用されてもよいが、そのようなアプローチは本明細書に本明細書では明示的に説明されていない。各＜角度、距離＞のペアは特定のアンテナ３１２／センサ３１０の位置に関連付けられるので、多角辺測量アルゴリズムへの入力は、＜角度、距離、位置＞の三つ組として表すこともできる。本明細書に記載されるように、＜角度＞は、水平軸、垂直軸、または任意の他の軸に対する角度、または実際には、複数の角度測定値（例えば、水平および垂直軸の両方からの＜角度Ｈ、角度ｖ＞）であってもよいことに留意されたい。三角辺測量は、三角測量と三辺測量とを組み合わせた多角辺測量である。３番目の位置は、２つの＜角度、距離、位置＞の３つ組を使用して計算される。そのように、本開示における三角辺測量、角辺測量、および／または多角辺測量へのすべての言及は、三角辺測量、角辺測量、または多角辺測量のいずれかまたはすべてを指すことがある。例えば、他に特定されない限り、三角辺測量へのすべての言及は、実際には三角辺測量および／または多角辺測量／角辺測量を指すことがある。
【０４２９】
ＲＳＳＩのみをベースとするシステムは、三辺測量および／または多辺測量を使用することができる。角度のみをベースとするシステムは多角測量を使用することができる。ＡｏＡ−ＲＳＳＩシステムは、多角測量、多角辺測量、三辺測量、多辺測量、またはそれらの任意の組み合わせを使用することができる。
【０４３０】
距離は、（多角測量によって）ＲＳＳＩまたは角度から計算され得ることに留意されたい。それゆえ、距離が使用される場合はいつも、ＲＳＳＩまたは角度（または、ＲＳＳＩまたは角度の任意の他のユニット／派生値）が代わりに用いられ、および／または追加されてもよい。同様に、ＲＳＳＩまたは角度（または、ＲＳＳＩまたは角度の他の任意のユニット／派生値）が使用される場合は常に、距離が代用され、および／または追加されてもよい。飛行時間（ＴＯＦ）および到着時間差（ＴＤＯＡ）によってなど、ＲＳＳＩまたは角度に依存せずに距離が決定される方法が存在する。本開示におけるＲＳＳＩ、角度、および／または距離の使用は、ＴＯＦ、ＴＤＯＡ、または代替方法の使用を制限する、または妨げることを意図するものではなく、したがって、距離、ＲＳＳＩ、および／または角度が、距離測定／評価に関して使用される場合はいつも、距離は、そのような代替方法によって計算された距離を参照することができ、ＲＳＳＩまたは角度は、ソース測定値（例えば、時間、時間差など）で置き換えることができる。
【０４３１】
本明細書で説明されるように、ＡｏＡ−ＲＳＳＩシステムでは、関連する（相関する）角度および距離の測定値（例えば、同じ位置からの角度およびＲＳＳＩ測定値）は、＜角度、距離＞のペアと呼ばれることがあり、それは、上述のように、１つ以上のアンテナ３１２を使用する１つのセンサ３１０を介して（例えば、角度と距離の両方を提供する１つのアンテナアレイを有するセンサ３１０から、角度を提供するアンテナアレイと距離を提供する別のアンテナ３１２とを有するセンサ３１０から、複数の＜角度、距離＞のペアを提供する複数のアンテナアレイ３１２を有するセンサ３１０から、など）、１つ以上のアンテナ３１２を使用する複数のセンサ３１０を介して（例えば、１つのセンサ３１０は角度を提供し、別の近くのセンサ３１０は距離を提供し得る、など）、または、それらの任意の組み合わせによって、提供されることができる。本明細書に記載されるように、＜角度＞は、水平軸、垂直軸、または任意の他の軸に対する角度、または実際には、複数の角度測定値（例えば、水平および垂直軸の両方からの＜角度Ｈ、角度ｖ＞）であってもよいことに留意されたい。任意の所与のセンサ３１０は、複数の＜角度、距離＞のペアを報告することができる（例えば、１つのセンサ３１０が複数のアンテナ３１２に接続され、各アンテナ３１２を異なる視野を持つように、および／または機器上の異なる位置［例えば、内側と外側］に配置してもよい、など）。本明細書で説明されるスニッフィングアプローチを使用するＡｏＡ−ＲＳＳＩシステムでは、＜角度、距離＞のペアは、多くのアンテナ３１２にわたる同一の信号送信から得られ、したがってさらに時間的、周波数的、および空間的に相関し得る。多角辺測量ベースのアルゴリズムのような、いくつかの位置決めアルゴリズムが、そのような＜角度、距離＞のペアから役立つかもしれない。＜距離＞成分は、携帯デバイス１１０に対する距離（絶対値または差分）、１つ以上の他のアンテナ３１２／センサ３１０に対する距離（例えば、差分ベースの多辺測量アプローチと同様の距離差）、またはそれらの任意の組み合わせを含むことができる。同様に、＜角度＞成分は、携帯デバイス１１０に対する１つ以上の角度（絶対値または差分）、１つ以上の他のアンテナ３１２／センサ３１０に対する１つ以上の角度（例えば、差分ベースの多辺測量アプローチと同様の角度差）、またはそれらの任意の組み合わせを含むことができる。提供された例示的な実施形態では、アンテナ３１２／センサ３１０の位置（および対応する位置情報）は固定されている（静止）。しかしながら、アンテナ３１２／センサ３１０の位置が部分的に動的であり得る（すなわち、機器の状態に基づいて１つの位置から他のいくつかの位置に移動し得る［例えば、ドア１４２上のアンテナ３１２／センサ３１０など］）、または、完全に動的である（すなわち、対応する位置情報がリアルタイムで決定される［例えば、他のシステム／方法によって、他の固定アンテナ３１２／センサ３１０を使用することによって、など）代替の実施形態が存在する。
【０４３２】
前述の実施形態は、車両５００の内部および周囲の画定されたゾーン４００に対する携帯デバイス１１０の位置を決定する。三辺測量、多辺測量、多角測量、または多角辺測量ベースの方法もまた、車両５００の内部および周囲に画定されたゾーン４００に対する携帯デバイス１１０の位置を決定することができ、従って、前述した任意の方法と組み合わされてもよく、または代わりに使用されてもよい（例えば、三辺測量、多辺測量、多角測量、および／または多角辺測量結果を、各位置決め方法［例えば、ＲＳＳＩベース、角度ベース、ＡｏＡ−ＲＳＳＩ、など］の中の合意アルゴリズム（すなわち、組み合わせ方法）への追加入力として使用することによって、三辺測量、多辺測量、多角測量、および／または多角辺測量のみを使用することによって［組み合わせ方法を必要としない］、など）。代替的にまたは追加的に、三辺測量、多辺測量、多角測量、および／または多角辺測量を使用するＡｏＡ−ＲＳＳＩシステムは、その基準座標系（本明細書に記載）において、車両５００に対する、決定された携帯デバイス１１０の位置を報告してもよい。代替的に又は追加的に、三辺測量、多辺測量、多角測量、および／または多角辺測量を使用するＡｏＡ − ＲＳＳＩシステムは、決定された携帯デバイス１１０の位置から車両５００までの距離を報告してもよい。
【０４３３】
携帯デバイス１１０の位置を決定するために、以前に開示されたＲＳＳＩ、ＡｏＡ、および組み合わされたＡｏＡ−ＲＳＳＩ方法を使用する実施形態を含んで、多角測量、多角辺測量、多辺測量、および三辺測量方法の任意の組み合わせを使用する実施形態が存在する。例えば、ＡｏＡ−ＲＳＳＩシステムの一実施形態は、携帯デバイス１１０が一するゾーン４００を決定するため、および／またはその相対距離を計算するために多角測量を追加的に使用する。
【０４３４】
他の実施形態と同様に、携帯デバイス１１０は、角度およびＲＳＳＩ／距離を測定するアンテナ３１２／センサ３１０とは別個の、車両５００の内部に配置されたマスタデバイス１２０と通信する。
【０４３５】
三辺測量、多辺測量、多角測量、および多角辺測量ベースの方法において、位置は、システムの基準座標系（例えば、車両５００の中心に［０、０］が定義された、２次元デカルト［ｘ、ｙ］座標系、車両５００の中心に［０、０、０］が定義された、３次元デカルト［ｘ、ｙ、ｚ］座標系、車両５００の中心に［０°、０］が定義された、２次元極［角度、距離］座標系、３次元極座標系、など）を用いて表される。各三辺測量、多辺測量、角測量、および／または角辺測量入力（例えば、上述のアンテナ３１２／センサ３１０）の位置、ならびに携帯デバイス１１０の計算された位置は、基準座標系に対して表現される（例えば、センサ１は［−４、−４］に配置され、センサ２は［４、４］に配置され、センサ３は［０、０］に配置される。など）。基準座標系内で使用される位置の単位は任意であってよく、かつ任意の所望の精度（または精度の欠如）を有してもよい。単位は、車両５００の中心に対する実際の位置を反映する浮動小数点値を有するメートルであってもよく（例えば、センサ１は［−１．１ｍ、１．４ｍ］に配置され、目的が、基準座標系における位置および／または距離を決定し、報告することである場合、それは実行を簡単にすることができる）、単位は、車両５００の中心に対する実際の位置を反映する整数値で定義されなくてもよく（例えば、センサ１は［−４、４］に配置され、実際の測定単位への変換を必要とする（そのような操作が必要とみなされる場合））、または、ｘおよびｙがメートルで定義され、ｚが高い、真ん中、低いとの観点で定義される（例えば、［−１．１ｍ、１．４ｍ、真ん中］）３次元デカルト系のような、（実際の位置を反映する単位と未定義の任意の値とを含む）両方の組み合わせであってもよい。
【０４３６】
携帯デバイス１１０の位置が特定のゾーン４００内に存在していることに関して報告される、三辺測量、多辺測量、多角測量、および多角辺測量ベースの方法において、各ゾーン４００の境界は、システムの基準座標系に対して定義される。システムは、１つ以上の該当するゾーン４００を報告するために、決定された携帯デバイス１１０の位置および定義されたゾーン境界を使用することによって、携帯デバイス１１０が位置している可能性がある、ゼロ以上のゾーン４００を判定することができる。ゾーンの境界は、任意の形状（例えば、長方形、円形、三角形、平行四辺形、五角形、など）を表すため、任意の手段（例えば、境界座標、中心座標と半径、アンカー座標と公式、座標リストおよび／または座標範囲、など）によって定義されてもよい。
【０４３７】
２次元デカルト基準座標系の一例が、図６６の図示された実施形態に示されている。基準座標系自体の描写に加えて、この図は、２つの例示的な計算された携帯デバイス１１０の位置（５つの角度入力を用いた三角測量および多角測量を使用して決定される）およびいくつかの例示的な長方形のゾーン４００を含んでいる。
【０４３８】
図示された例示的なゾーン４００は、他の開示されたシステムにおけるものと同様である。Ａ）内側、Ｂ）運転席側近くの外側、Ｃ）助手席側近くの外側、Ｄ）テールゲート／トランク近くの外側、Ｅ）前方近くの外側、Ｆ）車両５００の近くではないが、１つ以上の補助的な閾値内、Ｇ）車両５００の近くではないが接続されている、Ｈ）接続されていない（図示せず）。
【０４３９】
他の開示されたシステムと同様に、様々なレベルの精度で、追加の（またはより少ない）ゾーン４００が定義されてもよい。例えば、内側ゾーン４００が追加されてもよく、車両５００からさらに遠くに延びる、別の外側ゾーン４００が、近傍ゾーン４００の外側に定義されてもよく、ゾーンＦは存在しなくてもよく、または様々な位置に追加の近傍ゾーン４００が定義されてもよい。垂直ゾーン４００もまた、様々なレベルの精度で定義されてもよい。例えば、低、中、および高の垂直ゾーン４００が、近傍ゾーン４００に対して定義されてもよい。デバイスがどのゾーン４００内に位置するかどうかを正確に判定するシステム１００の能力は、通信媒体の基本的な能力（例えば、ＢＬＥ対ＵＷＢ対ＬＦ）およびＲＳＳＩと角度の測定設備の精度（例えば測定／近似誤差）によって制限されることがある。
【０４４０】
システム１００は、三辺測量、多辺測量、多角測量、多角辺測量アルゴリズム（すなわち、３つ以上の角度出し入力を使用して）、またはそれらの任意の組み合わせを使用して計算されたゼロ以上の携帯デバイス１１０の位置のセットを組む合わせることによって、基準座標系に対する携帯デバイスの位置を決定することができる。例えば、システム１００は、アンテナ３１２−１および３１２−２を使用する以下の図に示されるような、ちょうど１対の角度出し入力を使用する三角測量を用いて、携帯デバイス１１０の位置を計算してもよい。例えば、システム１００は、アンテナ３１２−４から３１２−８を使用する以下の図に示されるような、角度出し入力のセット中の多くのペアに渡って三角測量を使用して、携帯デバイスの多くの計算された位置を生成してもよい。例えば、システム１００は、アンテナ３１２−４から３１２−８を使用する以下の図に示されるような、５入力多角測量アルゴリズムを使用して携帯デバイス１１０の位置を計算してもよい。
【０４４１】
位置を計算するために使用される三辺測量、多辺測量、角測量、および／または角辺測量入力のセットは、ＲＳＳＩおよび角度ベースの方法におけるアンテナ３１２のセットが変化することがあるのと同じ理由で、同じ様に変化することがある。多角測量を使用する一実施形態では、システム１００は、そこから携帯デバイス１１０の位置を計算するため、セット内のすべての角度出し入力を常に有している。多角測量を使用する代替の実施形態では、例えば、他の方法を使用して携帯デバイス１１０がゾーンＡに位置すると判定された場合、システム１００は携帯デバイス１１０の位置を計算するために内側角度出し入力のみを使用することができる。代替の実施形態では、例えば、他の方法を使用して携帯デバイス１１０がゾーンＢに位置すると判定された場合、システム１００は、携帯デバイス１１０の位置を計算するために運転席側角度出し入力のみを使用することができる。
【０４４２】
三辺測量、多辺測量、角測量、および／または角辺測量入力のセット内からの入力の組み合わせは、ＲＳＳＩおよび角度ベースの方法における差分と閾値のセットが変化することがあるのと同じ理由で、同じ様に変化することがある。例えば、角度出し入力が存在しない、閾値を満たさない（例えば、弱すぎる）、または不安定／不統一であるかもしれず、その場合、前記角度出し入力は、角度出し入力セット内で無視されるか、セットから削除されることができる。三角測量を使用する一実施形態では、システム１００は、角度出し入力セット内の各固有の角度出し入力ペアについて携帯デバイス１１０の位置を常に計算する。多角測量を使用する代替実施形態では、例えば、角度出し入力の特定の組み合わせが、異なる角度出し入力セットにおいて、携帯デバイス１１０の位置を計算するために使用されてもよい。
【０４４３】
位置を計算するために、複数の方法（三辺測量、多辺測量、角測量、および／または角辺測量）が使用される実施形態では、１つの方法が、入力のセットまたは別の方法からの出力に基づいて調整されてもよく、あるいは、１つの方法が、入力のセットまたは出力に基づいて、別の方法よりも優先されてもよい（例えば、特定の入力が利用できない／有効でない場合、三角測量の代わりに三辺測量が使用されてもよい、など）。
【０４４４】
計算された携帯デバイス１１０の位置のセットは、そのセットのセントロイドを計算する、そのセット内の中央位置を決定する、セット内の位置をクラスタリング（例えば、ｋ平均法、閾値により、など）して最も位置が多いクラスタを選択する、すべての位置が同じであるか、互いに近くにある（つまり、互いの１つ以上の閾値内にある）ことを要求する、任意の他の方法、またはそれらの任意の組み合わせによって、単一の（組み合わされた）計算された携帯デバイス１１０の位置を生成するように、組み合わされても良い。入力セットが空であった（すなわち、計算された携帯デバイス１１０の位置が存在しない）、または計算された位置が大きく変化し過ぎる場合、システム１００は、組み合わされ計算された携帯デバイス１１０の位置を未知として報告してもよい。
【０４４５】
位置を計算するために、複数の方法（三辺測量、多辺測量、角測量、および／または角辺測量）が使用される実施形態では、組み合わされ計算された携帯デバイス１１０の位置は、各方法ごとに存在してもよい。それぞれの前記組み合わされ計算された携帯デバイス１１０の位置は、報告され、または後続の処理において使用され、もしくは、代替的にまたは追加して、複数の位置決め方法をまとめる、組み合わされ計算された単一の携帯デバイス１１０の位置を生成するために、前述の方法のいずれかを使用して、組み合わされてもよい。
【０４４６】
一実施形態では、組み合わされ計算された携帯デバイス１１０の位置を使用して、携帯デバイス１１０が位置するゾーン４００が、定義されたゾーン境界（例えば、重なり合うゾーンのない境界）を用いて選択されてもよい。代替の実施形態では、携帯デバイス１１０の位置は、２つ以上のゾーン４００（例えば、重なり合うゾーンの境界）にマッピングされてもよく、その場合、可能性のあるゾーン４００のセットの中で、最も可能性の高いゾーン４００（例えば、最新の既知の携帯デバイス１１０の位置と最も一致するゾーン４００、など）が、決定されたゾーン４００として選択されてもよい（または、代替的に、すべての可能性のあるゾーン４００が報告されてもよい）。
【０４４７】
代替的に又は追加して、携帯デバイス１１０が位置する可能性があるゾーン４００のセットは、すべての計算された携帯デバイス１１０の位置に渡る、定義されたゾーン境界を使用して、携帯デバイス１１０が位置するかもしれないすべてのゾーン４００を含んで形成されてもよい。可能性のあるゾーンの結果として生じるセットから、最も可能性の高いゾーン４００（例えば、セット内で最も重複するゾーン４００、最新の既知の携帯デバイス１１０の位置と最も一致するゾーン４００、他の任意の方法、又はそれらの任意の組み合わせ）が決定されたゾーン４００として選択されてもよい（または、代替的に、すべての固有の可能性のあるゾーンが報告されてもよい）。このアプローチは、重なり合うゾーンの境界が存在するかどうかにかかわらず同じである。
【０４４８】
システム１００は、同時にまたは異なる時間に、可能性のあるゾーン４００のセットを生成するために、両方の手法（上述した、すなわち、組み合わせて決定すること［組み合わされ計算された携帯デバイス１１０の位置を使用］、ｖｓ、決定して組み合わせること［[組み合わされていない]計算された携帯デバイス１１０の位置のセットを使用］）を使用してもよい。両方のアプローチが同時に使用される場合、前記ゾーン決定アプローチ間の合意を必要とすることは、（計算された携帯デバイス１１０の位置が著しく変化するときなどの）不正確なゾーン決定に対する追加の保障を提供することができる。各アプローチによって生成される可能性のあるゾーン４００のセットは、可能性のあるゾーン４００の単一のセットに組み合わされてもよいし（任意の組み合わせ方法を使用、そのうちのいくつかは以下に記載）、または、それらは組み合わされずに、単に後続のステップで処理される追加の可能性のあるゾーン４００のセットであってもよい。
【０４４９】
位置を計算するために、複数の方法（三辺測量、多辺測量、角測量、および／または角辺測量）が使用される実施形態では、（まさに決定されたゾーン４００となるかもしれない）可能性のあるゾーン４００のセットは、各方法ごとに存在してもよい。それぞれの前記可能性のあるゾーン４００のセットは、報告され、または後続の処理において使用され、もしくは、代替的にまたは追加して、複数の位置決め方法をまとめる、（まさに決定されたゾーン４００となるかもしれない）可能性のあるゾーン４００の組み合わされた単一のセットを生成するために、組み合わされてもよい。可能性のあるゾーン４００のセットは、それぞれの方法による可能性のあるゾーン４００のセットを単に連結し、その後、重複したものを削除することによって、可能性のあるゾーン４００のそれぞれのセットに存在する（または、可能性のあるゾーン４００の１つ以上の他のセットに存在する）ゾーン４００だけを含む可能性のあるゾーン４００のセットを構築することによって、互いに隣接するゾーン４００だけを含む可能性のあるゾーン４００のセットを構築することによって、携帯デバイス１１０の現在位置を与えることが可能な、またはその可能性がある、可能性のあるゾーン４００のセットを構築することによって、または任意の他の方法、もしくはそれらの任意の組み合わせによって、組み合わされ得る。
【０４５０】
一実施形態では、三辺測量、多辺測量、角測量、および／または角辺測量の結果として、単一の決定されたゾーン４００が報告されてもよい。組み合わされ計算された携帯デバイス１１０の位置が未知であるか、または計算された携帯デバイス１１０の位置が存在しない（つまり、可能性のあるゾーン４００の空ではないセットが存在しない）場合、システム１００は適切なゾーン４００（例えば、ゾーンＧ）を選択してもよいし、ゾーン４００を決定できなかったことを報告してもよいし、またはそれらの任意の組み合わせを実行してもよい。前述の処理の後に２つ以上の固有の可能性のあるゾーン４００が残っている場合、システム１００は、決定ゾーン４００として報告するために、開示されたゾーン選択方法のいずれかを使用して、それらの１つを選択してもよいし、適切なゾーン４００（例えば、ゾーンＧ、すべての可能性のあるゾーン４００を包含するゾーン４００、など）を選択してもよいし、ゾーンを決定できなかったことを報告してもよいし、またはそれらの任意の組み合わせを実行してもよい。代替実施形態では、２以上の決定ゾーン４００が報告されてもよく、その場合、システム１００はすべての可能性のあるゾーン４００または可能性のあるゾーン４００のサブセットを報告してもよい（例えば、システム１００は、報告する前に、可能性のあるゾーン４００のセットに対して上述したフィルタリングのいずれかを実行してもよい）。
【０４５１】
位置を計算するために、複数の方法（三辺測量、多辺測量、角測量、および／または角辺測量）が使用される実施形態では、各位置決め方法の結果が（上述したように）個別に報告されてもよい。代替実施形態では、すべての三辺測量、多辺測量、角測量、および／または角辺測量方法の結果が、上述の方法のいずれかを使用して組み合わされ、および／または報告されてもよい。
【０４５２】
一実施形態では、システム１００は、報告されるゾーン４００ごとに、正確さの尤度の指標（例えば、信頼スコア／メトリック、尤度スコア／メトリック、他の報告ゾーン４００および／または現在ゾーン４００に対する確率、など）を提供してもよい。
【０４５３】
システム１００は、車両５００の中心（および／または、運転者、乗員の皮膚、および／または後部キャビンからのような、１つ以上の多の基準位置）から、組み合わされ計算される携帯デバイス１１０の位置までの距離を報告してもよい。位置を計算するために、複数の方法（三辺測量、多辺測量、角測量、および／または角辺測量）が使用される実施形態では、そのような距離は、各方法ごとに報告されてもよい。代替の実施形態では、すべての三辺測量、多辺測量、角測量、および／または角辺測量方法の計算された距離が、上述の方法（例えば、平均化、中央値、最小値、最大値、クラスタリング、など）のいずれかを使用して組み合わされてもよい。
【０４５４】
（１つの方法の、または複数の方法の中での）位置決め結果は、後に開示される組合せ方法、カルマンフィルタ、粒子フィルタ、確率的推定／フィルタ、フィンガープリンティング、およびヒューリスティックを含むがこれらに限定されない、開示された方法の任意の組合せを使用して、組み合わされ／フィルタリングされてもよい。
【０４５５】
本明細書に記載されるように、三辺測量、多辺測量、角測量、および／または角辺測量方法の報告された結果は、記載されたＲＳＳＩ、ＡｏＡ、またはＡｏＡ−ＲＳＳＩシステムに統合されてもよい。
Ｅ．３．ｇｇ  ＴＯＦ（飛行時間）およびＴＤＯＡ（到着時間差）
【０４５６】
距離測定は、ＲＳＳＩ、ＡｏＡ、およびＡｏＡ−ＲＳＳＩシステムの有用な特徴と見なすことができる。距離は、ゾーン４００の決定プロセスで使用され、システム１００のユーザまたは他の主体に報告され、あるいはシステム１００における他の目的のために使用されてもよい（例えば、あるセキュリティ制限を適用するとき、ある状態または接続方法から別のものに以降するとき、アイドルモード、低電力モード、長距離モード、近距離モード、またはその他の動作モードへ/から移行するとき、など）。
【０４５７】
ＲＳＳＩから計算された距離の精度および正確さは、通信媒体の基本的な能力（例えば、ＢＬＥ対ＵＷＢ対ＬＦ）およびＲＳＳＩと角度の測定設備の精度（例えば測定／近似誤差）によって制限される。
【０４５８】
システムの距離測定方法の精度およびロバスト性は、それらがユーザ経験に貢献するのと同じくらいシステムセキュリティに貢献する。例えば、距離が、近傍（パッシブエントリ）ゾーン４００と遠方（接近）ゾーン４００とを区別するために使用されてもよい。車両５００は、ユーザが、近傍ゾーン４００にいるとき受動的にロックを解除し、および／または車両５００へ乗車することを許可するが、遠方ゾーン４００にいるときには許可しないようにすることができる。距離測定手法の不正確さまたは脆弱性は、ユーザが実際に近距離ゾーン４００内にいるときに車両５００がロックを解除することができないなど、ユーザが直面する望ましくない振る舞い、または、ユーザが実際に遠方ゾーン内にいるときに車両５００がロックを解除することを可能とするなどのセキュリティ上の懸念をもたらす結果となる可能性がある。これは、本開示において本明細書で説明されるように、距離境界のような安全な測距手法の使用を必要とする。
【０４５９】
本開示において本明細書で説明されているように、ＲＳＳＩおよび角度測定値は、反射物および遮断物に脆弱である可能性がある。同様に、ＲＳＳＩまたは角度から計算される距離は、反射物および遮断物に脆弱である可能性がある。一部の通信媒体（例えば、ＵＷＢ、ＬＦ）は、人々および車両５００が行動する環境に存在する可能性がある物体からの反射および減衰に対して脆弱ではない（または、それほど脆弱ではない）。しかしながら、例えば、ＢＬＥは、一般的な物体（例えば、金属、木材、水、コンクリートなど）によって反射および減衰されるので脆弱である。脆弱な通信媒体においては、悪意のある行為者によって戦略的に反射物および遮断物が配置され、システム１００によって計算される距離が彼らに好都合と考えられるまで増加又は減少される可能性がある。
【０４６０】
ＲＳＳＩおよび角度測定値は、行為者が別の携帯デバイス１１０を使用して、携帯デバイス１１０から信号を受信して再送信するリレー攻撃に対しても脆弱である（例えば、実際に車両５００の近くに認可された携帯デバイス１１０が無くても、行為者が車両５００にアクセスすることを許可する）。
【０４６１】
本開示内に記載されるＲＳＳＩおよび角度測定値を使用する距離測定方法は、例えば、いくつかのアンテナ３１２を使用して距離を計算し、次に、それらの結果をうまく組み合わせることによって、そのような脆弱性に対して防御するが、前記方法は前記脆弱性を完全には軽減しない。例えば、携帯デバイス１１０とアンテナシステム３１２（例えば、車両５００）との間に立っている人は、（携帯デバイス１１０が車両５００の近くにあることを依然として判定する能力にもかかわらず）距離測定に大きな影響を及ぼし得る。
【０４６２】
ＲＳＳＩおよび角度測定値を使用して距離を計算する代わりに、距離は、様々なアンテナ３１２での携帯デバイス１１０からの信号の飛行時間／到着時間（ＴＯＦ／ＴＯＡ）または到着時間差（ＴＤＯＡ）を使用して計算されてもよい。そのようなアプローチは、反射物および遮断物に対して脆弱ではないか、またはほとんど脆弱ではない可能性がある（距離は伝播時間に基づいて計算され、それは反射物および遮断物によってほとんど変化しないため）。（通信媒体に対して）適切なタイミング要件を採用するシステムでは、伝播時間が正確に測定され、伝播時間は、攻撃者が携帯デバイス１１０へ／から信号を中継するために利用される時間よりもかなり速いので、リレー攻撃に対しても脆弱ではないか、またはほとんど脆弱ではない可能性がある。いくつかのシステムは、より正確な距離測定を実行するために追加のハードウェア／無線機（例えば、複合ＢＬＥ／ＵＷＢシステム、またはＢＬＥ／ＬＦシステム、など）を組み込んでもよい。いくつかのシステムは、標準的なハードウェア／無線機を使用し、独自開発のまたはカスタムの通信プロトコルを組み込んでもよい（例えば、ＢＬＥハードウェア上のカスタム［おそらく非ＢＬＥ］プロトコル、など）。
【０４６３】
ＲＳＳＩベース、角度ベース、およびＡｏＡ−ＲＳＳＩシステムは、ＲＳＳＩベースおよび／または角度ベースの方法に加えて、またはその代わりに、ＴＯＦ／ＴＯＡおよび／またはＴＤＯＡを使用して距離測定を実行してもよい。例えば、ＢＬＥハードウェア上のＴＯＦ、ＲＳＳＩ、および角度ベースの方法を使用する、ＢＬＥベースのシステムである。例えば、携帯デバイス１１０において利用可能であることに基づき、ＢＬＥハードウェア上でＵＷＢおよび／またはＴＯＦ、ＲＳＳＩ、および角度ベースの方法を使用するＢＬＥおよびＵＷＢベースのシステムである。例えば、携帯デバイス１１０において利用可能であることに基づき、ＢＬＥハードウェア上でＬＦおよび／またはＴＯＦ、ＲＳＳＩ、および角度ベースの方法を使用するＢＬＥおよびＬＦベースのシステムである。例えば、携帯デバイス１１０において利用可能であることに基づき、ＢＬＥハードウェア上でＵＷＢ、ＬＦ、および／またはＴＯＦ、ＲＳＳＩ、および角度ベースの方法を使用するＢＬＥおよびＵＷＢおよびＬＦベースのシステムである。
【０４６４】
ＴＯＦ／ＴＯＡおよび／またはＴＤＯＡベースの距離測定値は、本開示内に記載された任意の位置決め方法において使用されてもよい。一実施形態では、そのような距離測定値は、ＲＳＳＩ（または、例えば、従来のＲＳＳＩ測定値を回避、補足、または置き換えるために距離をＲＳＳＩに変換することによって［例えば、従来のＲＳＳＩ測定値が利用できないか、または使用され得ない場合］、ＲＳＳＩに関連するまたはＲＳＳＩから導出される他の任意の値）の代用として使用されてもよい。
【０４６５】
ＤＩＹ／愛好家／プロトタイプマイクロロケーションシステム
【０４６６】
一実施形態では、上述のシステム１００の１つ以上の構成要素は、前記構成要素が（購入者が決定するもの以外の）特定の用途に割り当てられることなく、購入可能にされてもよい。その実施形態は、予めパッケージ化されたシステム構成要素を使用した実験、教育、評価、およびプロトタイプ作成を可能にし得る。ユーザはシステムコンポーネントを購入して、ニーズに合った構成に組み立てることができる。その後、ユーザはこの構成を他のシステムと統合することができる。
【０４６７】
本開示は、一実施形態によれば、人々が、用途が特定されたマイクロロケーションシステムを容易に構築するための手段を提供する。マイクロロケーションシステムは、（例えば、製品［例えば、車両５００、ドアロック、ＡＴＭなど］に埋め込まれている、またはサービス［例えば、ショッピング、博物館、など］の一部としての）アンテナ３１２／センサ３１０のセットに対するデバイスの位置を正確に決定するように構成され得る。
【０４６８】
従来の位置特定システムは、ビーコンを使用し、ＲＳＳＩを使用してデバイスがどのビーコンに最も近いかを判定しようとするか、または、異なる信号を使用して異なる場所で異なる時間に異なるビーコンから測定されたＲＳＳＩのセットを使用して三辺測量を試みようとすることがある（各センサ３１０はただ１つのアンテナ３１２を有する）。これらのシステムは、空間的および時間的な差異（例えば、人体または金属物体のような、信号を減衰または反射する、環境内を移動する物体）によってもたらされる不一致に対して脆弱である。本開示による１つ以上の実施形態は、所与のセンサ３１０について、すべての意図および目的のために、同じ場所で同じ時間に同じ信号に対して、潜在的に複数のアンテナ３１２から得られるＲＳＳＩを測定するという点で異なる。２０１６年４月１５日に出願され、「リアルタイムロケーションを確立するためのシステムおよび方法」と題する、Raymond Michael Stittの米国仮出願第６２／３２３，２６２号（その開示は、全体として参照により本明細書に組み入れられる）に記載されるシステムおよび方法と組み合わせて使用する場合、システム１００は、所与のデバイスに対するすべてのセンサ３１０から同時にこれらの測定値を得ることができる。このシステム１００における、仮想境界センサおよび測定値に対するアンテナ３１２の空間的および時間的相関は、従来のセンサに影響を与える環境効果（高速フェージング効果、移動物体、強める／弱める干渉など）を低減し、より一貫したデータセットを生成する（いくつかの効果を分離し、および／またはフィンガープリントの利点に変えることができる）。
【０４６９】
「垂直」、「水平」、「上」、「下」、「上方」、「下方」、「内側」、「内側へ」、「外側」および「外側へ」などの方向を示す用語が、図示された実施形態の方向に基づいて本発明を説明するのを助けるために使用される。方向を示す用語の使用が、本発明をいずれかの特定の方向に限定すると解釈されるべきではない。
【０４７０】
上記の説明は、本発明の現在の実施形態の説明である。均等論を含む特許法の原則に従って解釈されるべき、添付の特許請求の範囲に定義される本発明の精神および広範な態様から逸脱することなく、様々な変更や変化がなされることができる。本開示は、説明の目的のために提示されたものであり、本発明のすべての実施形態の包括的な説明として解釈されるべきではなく、または請求の範囲をこれらの実施形態に関連して図示または説明される特定の要素に限定するものでもない。例えば、限定するものではないが、記載された発明の任意の個々の要素は、実質的に同様の機能を提供するか、さもなければ適切な動作を提供する代替要素によって置き換えることができる。これには、例えば、当業者に現在知られているような、現在知られている代替要素、および開発時に当業者が代替要素として認識するような、将来的に開発される代替要素が含まれる。さらに、開示された実施形態は、共に説明され、協力して利点の集まりを提供する複数の特徴を含む。本発明は、発行された特許請求の範囲に明示的に記載されている場合を除き、これらの特徴の全てを含む、または、記載された全ての利点を提供する実施形態のみに限定されない。例えば、冠詞「a」、「an」、「the」または「said」を使用する、単数形での請求項要素を参照することは、その要素を単数に限定するものとして解釈されるべきではない。「Ｘ、ＹおよびＺのうちの少なくとも１つ」としての請求項要素に対する言及は、個々にＸ、ＹまたはＺのいずれか１つ、およびＸ、ＹおよびＺの任意の組み合わせ、例えばＸ、Ｙ、Ｚ；Ｘ、Ｙ；Ｘ、Ｚ：Ｙ、Ｚを含むことを意味する。
【図１】
2019537016.tif 000003
【図２】
2019537016.tif 000004
【図３】
2019537016.tif 000005
【図４】
2019537016.tif 000006
【図５】
2019537016.tif 000007
【図６】
2019537016.tif 000008
【図７】
2019537016.tif 000009
【図８】
2019537016.tif 000010
【図９】
2019537016.tif 000011
【図１０】
2019537016.tif 000012
【図１１】
2019537016.tif 000013
【図１２】
2019537016.tif 000014
【図１３】
2019537016.tif 000015
【図１４】
2019537016.tif 000016
【図１５】
2019537016.tif 000017
【図１６】
2019537016.tif 000018
【図１７】
2019537016.tif 000019
【図１８】
2019537016.tif 000020
【図１９】
2019537016.tif 000021
【図２０】
2019537016.tif 000022
【図２１】
2019537016.tif 000023
【図２２】
2019537016.tif 000024
【図２３】
2019537016.tif 000025
【図２４】
2019537016.tif 000026
【図２５】
2019537016.tif 000027
【図２６】
2019537016.tif 000028
【図２７】
2019537016.tif 000029
【図２８】
2019537016.tif 000030
【図２９】
2019537016.tif 000031
【図３０】
2019537016.tif 000032
【図３１】
2019537016.tif 000033
【図３２】
2019537016.tif 000034
【図３３】
2019537016.tif 000035
【図３４】
2019537016.tif 000036
【図３５】
2019537016.tif 000037
【図３６】
2019537016.tif 000038
【図３７】
2019537016.tif 000039
【図３８】
2019537016.tif 000040
【図３９】
2019537016.tif 000041
【図４０】
2019537016.tif 000042
【図４１】
2019537016.tif 000043
【図４２】
2019537016.tif 000044
【図４３】
2019537016.tif 000045
【図４４】
2019537016.tif 000046
【図４５】
2019537016.tif 000047
【図４６】
2019537016.tif 000048
【図４７】
2019537016.tif 000049
【図４８】
2019537016.tif 000050
【図４９】
2019537016.tif 000051
【図５０】
2019537016.tif 000052
【図５１】
2019537016.tif 000053
【図５２】
2019537016.tif 000054
【図５３】
2019537016.tif 000055
【図５４】
2019537016.tif 000056
【図５５】
2019537016.tif 000057
【図５６】
2019537016.tif 000058
【図５７】
2019537016.tif 000059
【図５８】
2019537016.tif 000060
【図５９】
2019537016.tif 000061
【図６０】
2019537016.tif 000062
【図６１】
2019537016.tif 000063
【図６２】
2019537016.tif 000064
【図６３】
2019537016.tif 000065
【図６４】
2019537016.tif 000066
【図６５】
2019537016.tif 000067
【図６６】
2019537016.tif 000068
【図６７】
2019537016.tif 000069
2019537016.tif 000070
2019537016.tif 000071
2019537016.tif 000072
2019537016.tif 000073
2019537016.tif 000074
2019537016.tif 000075
2019537016.tif 000076
2019537016.tif 000077
2019537016.tif 000078
2019537016.tif 000079
2019537016.tif 000080
2019537016.tif 000081
2019537016.tif 000082
2019537016.tif 000083
2019537016.tif 000084
2019537016.tif 000085
2019537016.tif 000086
2019537016.tif 000087
2019537016.tif 000088
2019537016.tif 000089
2019537016.tif 000090
2019537016.tif 000091
2019537016.tif 000092
2019537016.tif 000093
2019537016.tif 000094
2019537016.tif 000095
2019537016.tif 000096
2019537016.tif 000097
2019537016.tif 000098
2019537016.tif 000099
2019537016.tif 000100
2019537016.tif 000101
2019537016.tif 000102
2019537016.tif 000103
2019537016.tif 000104
2019537016.tif 000105
2019537016.tif 000106
2019537016.tif 000107
2019537016.tif 000108
2019537016.tif 000109
2019537016.tif 000110
2019537016.tif 000111
2019537016.tif 000112
2019537016.tif 000113
2019537016.tif 000114
2019537016.tif 000115
2019537016.tif 000116
2019537016.tif 000117
2019537016.tif 000118
2019537016.tif 000119
2019537016.tif 000120
2019537016.tif 000121
2019537016.tif 000122
2019537016.tif 000123
2019537016.tif 000124
2019537016.tif 000125
2019537016.tif 000126
2019537016.tif 000127
2019537016.tif 000128
2019537016.tif 000129
2019537016.tif 000130
2019537016.tif 000131
2019537016.tif 000132
2019537016.tif 000133
2019537016.tif 000134
2019537016.tif 000135
2019537016.tif 000136
2019537016.tif 000137
2019537016.tif 000138
2019537016.tif 000139
2019537016.tif 000140
2019537016.tif 000141
【国際調査報告】
2019537016.tif 000142
2019537016.tif 000143
2019537016.tif 000144